(57)【要約】【課題】間接気化冷却機能を備えて、住宅への設置が可能な換気装置を提供することを目的とする。【解決手段】換気装置１Ａは、間接気化冷却ユニット４の間接気化エレメント１１に水を供給する給排水装置１２を備える。給排水装置１２は、間接気化エレメント１１への水の供給を制御する給水バルブ１２ａと、水を受けるドレンパン１３と、ドレンパン１３の水の排水を制御する排水バルブ１２ｂを備え、ドレンパン１３に貯まった水の水位等に応じて給排水制御が行われる。【選択図】        図１
2006105424.tif 000002
【特許請求の範囲】
【請求項１】
外気吸込口から給気吹出口へ連通した給気流路と、
還気吸込口から排気吹出口へ連通した排気流路と、
前記給気流路もしくは前記排気流路と連通してワーキングエアが供給されるワーキングエア流路及び前記給気流路と連通してプロダクトエアが供給されるプロダクトエア流路を有し、水の気化熱でワーキングエアが冷却され、隔壁で仕切られた前記ワーキングエア流路と前記プロダクトエア流路の間でワーキングエアとプロダクトエアとの顕熱交換が行われる間接気化冷却ユニットと、
前記間接気化冷却ユニットへの給水装置、給水された水を受けるドレンパン及びドレンパンからの排水装置を有する給排水装置と、
前記排水装置を制御して、前記ドレンパンの水を排水する制御手段を備えた
ことを特徴とする換気装置。
【請求項２】
外気吸込口から給気吹出口へ連通した給気流路と、
前記外気吸込口から排気吹出口へ連通した排気流路と、
前記排気流路と連通してワーキングエアが供給されるワーキングエア流路及び前記給気流路と連通してプロダクトエアが供給されるプロダクトエア流路を有し、水の気化熱でワーキングエアが冷却され、隔壁で仕切られた前記ワーキングエア流路と前記プロダクトエア流路の間でワーキングエアとプロダクトエアとの顕熱交換が行われる間接気化冷却ユニットと、
前記間接気化冷却ユニットへの給水装置、給水された水を受けるドレンパン及びドレンパンからの排水装置を有する給排水装置と、
前記排水装置を制御して、前記ドレンパンの水を排水する制御手段を備えた
ことを特徴とする換気装置。
【請求項３】
還気吸込口から給気吹出口へ連通した給気流路と、
前記還気吸込口から排気吹出口へ連通した排気流路と、
前記排気流路と連通してワーキングエアが供給されるワーキングエア流路及び前記給気流路と連通してプロダクトエアが供給されるプロダクトエア流路を有し、水の気化熱でワーキングエアが冷却され、隔壁で仕切られた前記ワーキングエア流路と前記プロダクトエア流路の間でワーキングエアとプロダクトエアとの顕熱交換が行われる間接気化冷却ユニットと、
前記間接気化冷却ユニットへの給水装置、給水された水を受けるドレンパン及びドレンパンからの排水装置を有する給排水装置と、
前記排水装置を制御して、前記ドレンパンの水を排水する制御手段を備えた
ことを特徴とする換気装置。
【請求項４】
前記ドレンパンに水検出センサを備え、
前記制御手段は、前記水検出センサで検出した前記ドレンパンの貯水量に応じて、前記排水装置を制御して前記ドレンパンの水を排水する
ことを特徴とする請求項１，２または３記載の換気装置。
【請求項５】
前記制御手段は、冷却運転の停止の指示を受けると、前記排水装置を制御して前記ドレンパンの水を排水する
ことを特徴とする請求項１，２，３または４記載の換気装置。
【請求項６】
前記ドレンパンは、所定水位以上の水を排出できる位置に排水口を備えた
ことを特徴とする請求項１，２，３，４または５記載の換気装置。
【請求項７】
前記ドレンパンに水検出センサを備え、
前記制御手段は、前記水検出センサで検出した前記ドレンパンの貯水量に応じて前記給水装置で給水を行う
ことを特徴とする請求項１，２，３，４，５または６記載の換気装置。
【請求項８】
前記給水装置は、水道管もしくは貯水した雨水の供給を受ける
ことを特徴とする請求項１，２，３，４，５，６または７記載の換気装置。
【請求項９】
前記排水装置は、排水を下水または建物の排水口へ排水する
ことを特徴とする請求項１，２，３，４，５，６，７または８記載の換気装置。
【請求項１０】
外気吸込口から給気吹出口へ連通した給気流路と、
還気吸込口から排気吹出口へ連通した排気流路と、
前記給気流路もしくは前記排気流路と連通してワーキングエアが供給されるワーキングエア流路及び前記給気流路と連通してプロダクトエアが供給されるプロダクトエア流路を有し、水の気化熱でワーキングエアが冷却され、隔壁で仕切られた前記ワーキングエア流路と前記プロダクトエア流路の間でワーキングエアとプロダクトエアとの顕熱交換が行われる間接気化冷却ユニットと、
前記間接気化冷却ユニットに設けられ、給排水を行う給排水装置と、
前記間接気化冷却ユニットで気化した水分を回収して給水に再利用する回収装置とを備えた
ことを特徴とする換気装置。
【請求項１１】
外気吸込口から給気吹出口へ連通した給気流路と、
前記外気吸込口から排気吹出口へ連通した排気流路と、
前記排気流路と連通してワーキングエアが供給されるワーキングエア流路及び前記給気流路と連通してプロダクトエアが供給されるプロダクトエア流路を有し、水の気化熱でワーキングエアが冷却され、隔壁で仕切られた前記ワーキングエア流路と前記プロダクトエア流路の間でワーキングエアとプロダクトエアとの顕熱交換が行われる間接気化冷却ユニットと、
前記間接気化冷却ユニットに設けられ、給排水を行う給排水装置と、
前記間接気化冷却ユニットで気化した水分を回収して給水に再利用する回収装置とを備えた
ことを特徴とする換気装置。
【請求項１２】
還気吸込口から給気吹出口へ連通した給気流路と、
前記還気吸込口から排気吹出口へ連通した排気流路と、
前記排気流路と連通してワーキングエアが供給されるワーキングエア流路及び前記給気流路と連通してプロダクトエアが供給されるプロダクトエア流路を有し、水の気化熱でワーキングエアが冷却され、隔壁で仕切られた前記ワーキングエア流路と前記プロダクトエア流路の間でワーキングエアとプロダクトエアとの顕熱交換が行われる間接気化冷却ユニットと、
前記間接気化冷却ユニットに設けられ、給排水を行う給排水装置と、
前記間接気化冷却ユニットで気化した水分を回収して給水に再利用する回収装置とを備えた
ことを特徴とする換気装置。
【請求項１３】
前記回収装置は、前記ワーキングエア流路の出口に前記給排水装置を構成する給水配管を通し、前記給水配管を流れる供給水の冷熱でワーキングエアを冷却して水分を結露させて回収する
ことを特徴とする請求項１０，１１または１２記載の換気装置。
【請求項１４】
前記回収装置は、前記給気流路もしくは前記排気流路から分岐し、前記排気吹出口と連通した回収排気流路を備えて、
前記回収排気流路を流れるエアの冷熱でワーキングエアを冷却して水分を結露させて回収する
ことを特徴とする請求項１０，１１または１２記載の換気装置。
【請求項１５】
前記回収装置は、前記間接気化冷却ユニットの前記プロダクトエア流路の出口側に配置される前記ワーキングエア流路と連通される冷却排気流路と、前記プロダクトエア流路の入口側に配置される前記ワーキングエア流路と連通され、前記冷却排気流路との受熱部を有する回収排気流路とを備え、前記回収排気流路を流れるワーキングエアを前記冷却排気流路を流れるワーキングエアの冷熱で冷却して水分を結露させて回収する
ことを特徴とする請求項１０，１１または１２記載の換気装置。
【請求項１６】
請求項１〜１５に何れか記載の換気装置を備えた
ことを特徴とする建物。
【発明の詳細な説明】
【技術分野】
【０００１】
本発明は、住宅に設置され、室内と屋外で換気を行う換気装置及びこの換気装置を備えた建物に関し、特に、水の気化熱を利用してエアを冷却する間接気化冷却機能を備えた換気装置及び建物に関する。
【背景技術】
【０００２】
従来より、建物を冷房する空調装置が提案されているが、水の気化熱を利用してエアを冷却する間接気化冷却装置を備えた空調装置が提案されている（例えば、特許文献１参照）。間接気化冷却装置は、隔壁で仕切られた流路間で顕熱（温度）交換を行う構成で、一方の流路で水の気化熱を利用してエアを冷却すると共に、他方の流路との間で冷熱の授受を行い、他方の流路を通るエアを冷却して、室内等に供給するものである。
【０００３】
【特許文献１】特開２００４−１９０９０７号公報
【発明の開示】
【発明が解決しようとする課題】
【０００４】
従来の間接気化冷却装置を備えた空調装置は、オフィスや店舗等に設置されており、住宅への設置は考慮されていない。間接気化冷却装置を備えた空調装置を住宅に設置する場合、冷却に使用する水の処理が重要となるが、従来装置では、住宅での使用に適した水の処理装置を備えていないという問題がある。また、水の消費量を減らしてランニングコストを抑えることができないという問題がある。
【０００５】
本発明は、このような課題を解決するためになされたもので、住宅への設置が可能な間接気化冷却機能を備えた換気装置及びこのような換気装置を備えた建物を提供することを目的とする。
【課題を解決するための手段】
【０００６】
上述した課題を解決するため、請求項１の発明は、外気吸込口から給気吹出口へ連通した給気流路と、還気吸込口から排気吹出口へ連通した排気流路と、給気流路もしくは排気流路と連通してワーキングエアが供給されるワーキングエア流路及び給気流路と連通してプロダクトエアが供給されるプロダクトエア流路を有し、水の気化熱でワーキングエアが冷却され、隔壁で仕切られたワーキングエア流路とプロダクトエア流路の間でワーキングエアとプロダクトエアとの顕熱交換が行われる間接気化冷却ユニットと、間接気化冷却ユニットへの給水装置、給水された水を受けるドレンパン及びドレンパンからの排水装置を有する給排水装置と、排水装置を制御して、ドレンパンの水を排水する制御手段を備えたことを特徴とする。
【０００７】
請求項２の発明は、外気吸込口から給気吹出口へ連通した給気流路と、外気吸込口から排気吹出口へ連通した排気流路と、排気流路と連通してワーキングエアが供給されるワーキングエア流路及び給気流路と連通してプロダクトエアが供給されるプロダクトエア流路を有し、水の気化熱でワーキングエアが冷却され、隔壁で仕切られたワーキングエア流路とプロダクトエア流路の間でワーキングエアとプロダクトエアとの顕熱交換が行われる間接気化冷却ユニットと、間接気化冷却ユニットへの給水装置、給水された水を受けるドレンパン及びドレンパンからの排水装置を有する給排水装置と、排水装置を制御して、ドレンパンの水を排水する制御手段を備えたことを特徴とする。
【０００８】
請求項３の発明は、還気吸込口から給気吹出口へ連通した給気流路と、還気吸込口から排気吹出口へ連通した排気流路と、排気流路と連通してワーキングエアが供給されるワーキングエア流路及び給気流路と連通してプロダクトエアが供給されるプロダクトエア流路を有し、水の気化熱でワーキングエアが冷却され、隔壁で仕切られたワーキングエア流路とプロダクトエア流路の間でワーキングエアとプロダクトエアとの顕熱交換が行われる間接気化冷却ユニットと、間接気化冷却ユニットへの給水装置、給水された水を受けるドレンパン及びドレンパンからの排水装置を有する給排水装置と、排水装置を制御して、ドレンパンの水を排水する制御手段を備えたことを特徴とする。
【０００９】
請求項１〜請求項３の発明では、間接気化冷却ユニットに供給した水をドレンパンで受け、貯水量が所定量を超えた場合等に排水することで、オーバーフローを未然に防ぐ。
【００１０】
請求項１０の発明は、外気吸込口から給気吹出口へ連通した給気流路と、還気吸込口から排気吹出口へ連通した排気流路と、給気流路もしくは排気流路と連通してワーキングエアが供給されるワーキングエア流路及び給気流路と連通してプロダクトエアが供給されるプロダクトエア流路を有し、水の気化熱でワーキングエアが冷却され、隔壁で仕切られたワーキングエア流路とプロダクトエア流路の間でワーキングエアとプロダクトエアとの顕熱交換が行われる間接気化冷却ユニットと、間接気化冷却ユニットに設けられ、給排水を行う給排水装置と、間接気化冷却ユニットで気化した水分を回収して給水に再利用する回収装置とを備えたことを特徴とする。
【００１１】
請求項１１の発明は、外気吸込口から給気吹出口へ連通した給気流路と、外気吸込口から排気吹出口へ連通した排気流路と、排気流路と連通してワーキングエアが供給されるワーキングエア流路及び給気流路と連通してプロダクトエアが供給されるプロダクトエア流路を有し、水の気化熱でワーキングエアが冷却され、隔壁で仕切られたワーキングエア流路とプロダクトエア流路の間でワーキングエアとプロダクトエアとの顕熱交換が行われる間接気化冷却ユニットと、間接気化冷却ユニットに設けられ、給排水を行う給排水装置と、間接気化冷却ユニットで気化した水分を回収して給水に再利用する回収装置とを備えたことを特徴とする。
【００１２】
請求項１２の発明は、還気吸込口から給気吹出口へ連通した給気流路と、還気吸込口から排気吹出口へ連通した排気流路と、排気流路と連通してワーキングエアが供給されるワーキングエア流路及び給気流路と連通してプロダクトエアが供給されるプロダクトエア流路を有し、水の気化熱でワーキングエアが冷却され、隔壁で仕切られたワーキングエア流路とプロダクトエア流路の間でワーキングエアとプロダクトエアとの顕熱交換が行われる間接気化冷却ユニットと、間接気化冷却ユニットに設けられ、給排水を行う給排水装置と、間接気化冷却ユニットで気化した水分を回収して給水に再利用する回収装置とを備えたことを特徴とする。
【００１３】
請求項１０〜請求項１２の発明では、間接気化冷却ユニットで気化した水分を回収して、間接気化冷却ユニットへの給水に再利用することで、水の消費量が抑えられる。
【００１４】
請求項１６の発明は、このような換気装置を備えたことを特徴とする建物である。
【発明の効果】
【００１５】
本発明の換気装置によれば、間接気化冷却ユニットに供給した水を受けるドレンパンの排水を制御することで、ドレンパンを大型化することなくオーバーフローを未然に防いだり、運転停止時に不要な水を排水でき、住宅での使用に適した排水処理が行える。
【００１６】
また、間接気化冷却ユニットで気化した水分を回収して、間接気化冷却ユニットへの給水に再利用することで、水の消費量を減らしてランニングコストを抑えることができる。
【００１７】
従って、住宅への設置に要求される性能を有する間接気化冷却機能を備えた換気装置を、小型、かつ安価に提供できる。
【００１８】
そして、このような換気装置を備えた建物では、外気と建物内の空気の換気を行いながら空調が行われるので、快適な住空間を提供できると共に、水を利用して空調を行うことで、消費電力を抑えることができる。更に、水を回収して再利用することで、水の消費量も抑えることができる。
【発明を実施するための最良の形態】
【００１９】
以下、図面を参照して本発明の換気装置及び建物の実施の形態について説明する。
【００２０】
＜第１の実施の形態の換気装置１Ａの構成＞
図１は第１の実施の形態の換気装置１Ａの一例を示す構成図である。第１の実施の形態の換気装置１Ａは、給気ファン２と排気ファン３と間接気化冷却ユニット４を備える。
【００２１】
また、換気装置１Ａは、屋外からの外気ＯＡ（OutsideAir）を吸い込む外気吸込口５と、給気ＳＡ（SupplyAir）を室内に吹き出す給気吹出口６を備える。更に、換気装置１Ａは、室内からの還気ＲＡ（ReturnAir）を吸い込む還気吸込口７と、排気ＥＡ（ExhaustAir）を屋外に吹き出す排気吹出口８を備える。なお、各吹出口及び各吸込口は、例えば図示しないダクト等を介して室内及び屋外と接続される。
【００２２】
給気ファン２及び排気ファン３は例えばシロッコファンで、給気ファン２は、外気吸込口５から給気吹出口６へ連通した給気流路９Ａにおいて、給気吹出口６へ向かうエアの流れを生成する。また、排気ファン３は、還気吸込口７から排気吹出口８へ連通した排気流路１０Ａにおいて、排気吹出口８へ向かうエアの流れを生成する。
【００２３】
間接気化冷却ユニット４は、間接気化エレメント１１と、給排水装置１２とドレンパン１３等を備える。間接気化エレメント１１は、水の気化熱で冷却されるワーキングエアＷＡが通るワーキングエア流路１１ａと、ワーキングエアＷＡとの間で顕熱（温度）交換が行われるプロダクトエアＰＡが通るプロダクトエア流路１１ｂを備える。
【００２４】
給排水装置１２は、給水装置として例えば電磁弁で構成される給水バルブ１２ａを備えて、間接気化エレメント１１に対する給水が制御できる構成である。ドレンパン１３は、給排水装置１２で間接気化エレメント１１に供給された水を受ける。更に、給排水装置１２は、排水装置として、例えば電磁弁で構成される排水バルブ１２ｂを備えて、ドレンパン１３の水の排水が制御できる構成である。
【００２５】
給排水装置１２は、例えば、間接気化エレメント１１の上側から水を滴下または散水し、ドレンパン１３で受ける構成である。給排水装置１２の給水バルブ１２ａは、上水管と接続される構成でも良いし、貯水した雨水を利用する構成としても良い。なお、給排水動作の詳細については後述する。
【００２６】
給気流路９Ａは、外気吸込口５から給気ファン２及び間接気化エレメント１１のプロダクトエア流路１１ｂを通り、給気吹出口６へ連通する。排気流路１０Ａは、還気吸込口７から間接気化エレメント１１のワーキングエア流路１１ａ及び排気ファン３を通り、排気吹出口８へ連通する。
【００２７】
給気流路９Ａは、例えば間接気化冷却ユニット４の上流側に給気流量調整ダンパ１４を備える。給気流量調整ダンパ１４は流量制御手段を構成し、開閉によりエアの流量を調整するダンパと、ダンパを駆動するモータを備え、給気流量調整ダンパ１４の開度を調整することで、給気流路９Ａを流れるエアの流量が調整される。これにより、間接気化冷却ユニット４を構成する間接気化エレメント１１のプロダクトエア流路１１ｂを流れるプロダクトエアＰＡの流量が調整される。
【００２８】
排気流路１０Ａは、例えば間接気化冷却ユニット４の上流側に排気流量調整ダンパ１５を備える。排気流量調整ダンパ１５は流量制御手段を構成し、開閉によりエアの流量を調整するダンパと、ダンパを駆動するモータを備え、排気流量調整ダンパ１５の開度を調整することで、排気流路１０Ａを流れるエアの流量が調整される。これにより、間接気化冷却ユニット４を構成する間接気化エレメント１１のワーキングエア流路１１ａを流れるワーキングエアＷＡの流量が調整される。
【００２９】
また、給気流路９Ａは、例えば間接気化冷却ユニット４の上流側に空気清浄装置として空気清浄フィルタ１６を備える。給気流路９Ａに空気清浄フィルタ１６を備えることで、外気ＯＡから粉塵等が除去された給気ＳＡが室内に供給される。また、空気清浄フィルタ１６を間接気化冷却ユニット４の上流側に配置することで、間接気化エレメント１１への粉塵等の侵入を防ぐ。
【００３０】
更に、給気流路９Ａは、給気吹出口６に温度センサ１７を備えることで、給気温度が検出される。
【００３１】
＜間接気化エレメントの構成＞
図２は間接気化エレメント１１の概要を示す説明図で、図２（ａ）は間接気化エレメント１１の全体構成、図２（ｂ）は間接気化エレメント１１の要部構成、図２（ｃ）は冷却原理を示す。
【００３２】
間接気化エレメント１１は、図２（ｂ）に示すように、仕切り２１ａで仕切られた複数の第１の流路２１ｂを有するドライセル２１と、仕切り２２ａで仕切られた複数の第２の流路２２ｂを有するウェットセル２２と、ドライセル２１とウェットセル２２を仕切る隔壁２３とを備える。
【００３３】
ドライセル２１とウェットセル２２は、第１の流路２１ｂと第２の流路２２ｂが直交する向きで、隔壁２３を挟んで積層される。
【００３４】
隔壁２３は、図２（ｃ）に示すように、ポリエチレンフィルム等で形成された防湿フィルム２３ａと、パルプ等で形成された湿潤層２３ｂを備え、防湿フィルム２３ａがドライセル２１に面し、湿潤層２３ｂがウェットセル２２に面する。
【００３５】
また、隔壁２３は、図２（ｂ）に示すように、一部の第１の流路２１ｂと第２の流路２２ｂを連通させる通気孔２３ｃが形成される。更に、図２（ａ）に示すように、通気孔２３ｃが形成された第１の流路２１ｂの出口には閉塞部２４が形成され、エアが通り抜けないように構成される。
【００３６】
これにより、間接気化エレメント１１において、ワーキングエア流路１１ａは、通気孔２３ｃが形成された第１の流路２１ｂの入口から、第１の流路２１ｂ、通気孔２３ｃ及び第２の流路２２ｂを通り、第２の流路２２ｂの出口へ連通する。また、プロダクトエア流路１１ｂは、通気孔２３ｃが形成されていない第１の流路２１ｂの入口から、第１の流路２１ｂを通りこの第１の流路２１ｂの出口へ連通する。
【００３７】
図２（ｃ）を参照に間接気化エレメント１１による冷却原理の概要を説明する。ここで、ワーキングエアＷＡとプロダクトエアＰＡは直交する向きに流れるが、図２（ｃ）ではワーキングエアＷＡとプロダクトエアＰＡの流れる向きを平行に図示している。
【００３８】
ワーキングエア流路１１ａに面した湿潤層２３ｂは、図１に示す給排水装置１２によって水が供給される。これにより、ワーキングエア流路１１ａを通るワーキングエアＷＡと湿潤層２３ｂの温度差によって水分が気化し、ワーキングエアＷＡが冷却される。
【００３９】
ワーキングエアＷＡが冷却されると、ワーキングエア流路１１ａと隔壁２３で仕切られたプロダクトエア流路１１ｂを通るプロダクトエアＰＡは、隔壁２３を通して冷熱を受けて冷却される。
【００４０】
ここで、隔壁２３を構成する防湿フィルム２３ａは水分を通さないことから、プロダクトエアＰＡはプロダクトエア流路１１ｂを通過しても絶対湿度が変化しない。なお、ワーキングエアＷＡは、ワーキングエア流路１１ａを通過すると高湿度になる。
【００４１】
一例として、プロダクトエアＰＡ及びワーキングエアＷＡの入力温度が３０℃、絶対湿度が１０ｇ／ｋｇ（ＤＡ：ドライエア）、相対湿度が約４０％ＲＨとした場合、プロダクトエアＰＡの出口温度は２０℃と下がる。なお相対湿度は温度が下がるため約７０％ＲＨと上がるが、絶対湿度は１０ｇ／ｋｇ（ＤＡ）であり、変化しない。
【００４２】
また、ワーキングエアＷＡの出口温度は２３℃と下がる。但し、絶対湿度は１６ｇ／ｋｇ（ＤＡ）と上がる。
【００４３】
＜間接気化エレメントの冷却原理＞
間接気化エレメント１１の冷却原理は、プロダクトエアＰＡの温度Ｔｄ、絶対湿度Ｘｄ、風量Ｇｄ、ワーキングエアＷＡの温度Ｔｗ、絶対湿度Ｘｗ、風量Ｇｗ、その他パラメータを用いて以下の様に表せる。
【００４４】
（１）エネルギー保存則より
【００４５】
【数１】
2006105424.tif 000003
【００４６】
（２）質量保存則より
【００４７】
【数２】
2006105424.tif 000004
【００４８】
（３）ワーキングエアＷＡの流量とプロダクトエアＰＡの出口温度の関係
上述した式より、間接気化エレメント１１におけるワーキングエアＷＡの流量とプロダクトエアＰＡの出口温度の関係を求め、図３のグラフに示す。
【００４９】
図３はワーキングエアＷＡの流量とプロダクトエアＰＡの出口温度の関係を示すグラフで、間接気化エレメント１１に入力されるワーキングエアＷＡとプロダクトエアＰＡの条件は、絶対湿度５．２６ｇ／ｋｇ（ＤＡ：ドライエア）、入口温度３０℃固定、プロダクトエアＰＡの流量は５０ｍ3／ｈｒ固定とする。
【００５０】
図３より、ワーキングエアＷＡの流量が高い程、プロダクトエアＰＡの出口温度が低下していることが判る。なお、間接気化エレメント１１で冷却されたエアには温度分布があるが、各例の温度データは最低温度で記載している。
【００５１】
（４）プロダクトエアＰＡの流量とプロダクトエアＰＡの出口温度の関係
上述した式より、間接気化エレメント１１におけるプロダクトエアＰＡの流量とプロダクトエアＰＡの出口温度の関係を求め、図４のグラフに示す。
【００５２】
図４はプロダクトエアＰＡの流量とプロダクトエアＰＡの出口温度の関係を示すグラフで、間接気化エレメント１１に入力されるワーキングエアＷＡとプロダクトエアＰＡの条件は、絶対湿度５．２６ｇ／ｋｇ（ＤＡ）、入口温度３０℃固定、ワーキングエアＷＡの流量は５０ｍ3／ｈｒ固定とする。
【００５３】
図４より、プロダクトエアＰＡの流量が低い程、プロダクトエアＰＡの出口温度が低下していることが判る。
【００５４】
（５）ワーキングエアＷＡ及びプロダクトエアＰＡの入口温度とプロダクトエアＰＡの出口温度の関係
上述した式より、間接気化エレメント１１におけるワーキングエアＷＡ及びプロダクトエアＰＡの入口温度とプロダクトエアＰＡの出口温度の関係を求め、図５のグラフに示す。
【００５５】
図５はワーキングエアＷＡ及びプロダクトエアＰＡの入口温度とプロダクトエアＰＡの出口温度の関係を示すグラフで、間接気化エレメント１１に入力されるワーキングエアＷＡとプロダクトエアＰＡの条件は、絶対湿度５．２６ｇ／ｋｇ（ＤＡ）、流量は５０ｍ3／ｈｒ固定とする。
【００５６】
図５より、ワーキングエアＷＡ及びプロダクトエアＰＡの入口温度が高い程、プロダクトエアＰＡの出口温度が上昇していることが判る。
【００５７】
（６）ワーキングエアＷＡ及びプロダクトエアＰＡの入口温度と水の消費量の関係
上述した式より、間接気化エレメント１１におけるワーキングエアＷＡ及びプロダクトエアＰＡの入口温度と水の消費量の関係を求め、図６のグラフに示す。
【００５８】
図６はワーキングエアＷＡ及びプロダクトエアＰＡの入口温度と水の消費量の関係を示すグラフで、間接気化エレメント１１に入力されるワーキングエアＷＡとプロダクトエアＰＡの条件は、絶対湿度５．２６ｇ／ｋｇ（ＤＡ）、流量は５０ｍ3／ｈｒ固定とする。
【００５９】
図６より、ワーキングエアＷＡ及びプロダクトエアＰＡの入口温度が高い程、冷却に使用する水の消費量が多くなることが判る。
【００６０】
これにより、図５及び図６から、ワーキングエアＷＡ及びプロダクトエアＰＡの入口温度を下げれば、プロダクトエアＰＡの出口温度が下がり、また、水の消費量が減ることが判る。
【００６１】
（７）ワーキングエアＷＡ及びプロダクトエアＰＡの入口湿度とプロダクトエアＰＡの出口温度の関係
上述した式より、間接気化エレメント１１におけるワーキングエアＷＡ及びプロダクトエアＰＡの入口湿度とプロダクトエアＰＡの出口温度の関係を求め、図７のグラフに示す。
【００６２】
図７はワーキングエアＷＡ及びプロダクトエアＰＡの入口湿度とプロダクトエアＰＡの出口温度の関係を示すグラフで、間接気化エレメント１１に入力されるワーキングエアＷＡとプロダクトエアＰＡの条件は、温度３０℃、流量は５０ｍ3／ｈｒ固定とする。
【００６３】
図７より、ワーキングエアＷＡ及びプロダクトエアＰＡの入口湿度が低い程、プロダクトエアＰＡの出口温度が低下していることが判る。
【００６４】
以上のことから、間接気化エレメント１１では、ワーキングエアＷＡの流量、プロダクトエアＰＡの流量、ワーキングエアＷＡの入口温度、プロダクトエアＰＡの入口温度、ワーキングエアＷＡの入口湿度、プロダクトエアＰＡの入口湿度等を制御することで、プロダクトエアＰＡの出口温度を制御できることが判る。
【００６５】
＜第１の実施の形態の換気装置１Ａの動作＞
次に、図１等を参照に第１の実施の形態の換気装置１Ａの動作について説明する。換気装置１Ａは、給気ファン２が駆動されると、給気流路９Ａにおいて給気吹出口６へ向かうエアの流れが生成される。これにより、外気ＯＡが外気吸込口５から吸い込まれ、空気清浄フィルタ１６及び間接気化エレメント１１のプロダクトエア流路１１ｂを通り、給気吹出口６から給気ＳＡとして室内に供給される。
【００６６】
また、排気ファン３が駆動されると、排気流路１０Ａにおいて排気吹出口８へ向かうエアの流れが生成される。これにより、室内からの還気ＲＡが還気吸込口７から吸い込まれ、間接気化エレメント１１のワーキングエア流路１１ａを通り、排気吹出口８から排気ＥＡとして屋外に排出される。
【００６７】
従って、換気装置１Ａでは、外気ＯＡがプロダクトエアＰＡとなり、還気ＲＡがワーキングエアＷＡとなる。
【００６８】
更に、給排水装置１２の給気バルブ１２ａを開けて、間接気化エレメント１１に給水が行われ、図２に示す湿潤層２３ｂが常に水分を含む状態とする。
【００６９】
図２で説明したように、間接気化エレメント１１では、ワーキングエア流路１１ａを通るワーキングエアＷＡが水の気化熱で冷却され、ワーキングエアＷＡが冷却されると、プロダクトエア流路１１ｂを通るプロダクトエアＰＡがワーキングエアＷＡの冷熱を受けて冷却される。
【００７０】
そして、ワーキングエア流路１１ａとプロダクトエア流路１１ｂの間では湿度の移動は起こらないので、間接気化エレメント１１のプロダクトエア流路１１ｂを通った外気ＯＡは、湿度（絶対湿度）は変化せずに温度は下がる。
【００７１】
よって、間接気化エレメント１１のプロダクトエア流路１１ｂを通過した外気ＯＡを、給気吹出口６から給気ＳＡとして吹き出すことで、室内の温度を下げることができる。
【００７２】
なお、間接気化エレメント１１のワーキングエア流路１１ａを通った還気ＲＡは高湿度のエアとなるので、排気吹出口８から排気ＥＡとして排出する。
【００７３】
換気装置１Ａでは、給気流量調整ダンパ１４の開度によって、間接気化エレメント１１のプロダクトエア流路１１ｂを通るプロダクトエアＰＡの流量が調整される。また、排気流量調整ダンパ１５の開度によって、間接気化エレメント１１のワーキングエア流路１１ａを通るワーキングエアＷＡの流量が調整される。
【００７４】
これにより、給気流量調整ダンパ１４と排気流量調整ダンパ１５の何れかを作動させて、プロダクトエアＰＡの流量かワーキングエアＷＡの流量を調整することで、図３及び図４で説明したように、間接気化エレメント１１におけるプロダクトエアＰＡの出口温度が制御される。よって、給気吹出口６からの給気温度が制御される。
【００７５】
すなわち、排気流量調整ダンパ１５の開度を制御して、ワーキングエアＷＡの流量を増加させると、間接気化エレメント１１におけるプロダクトエアＰＡの出口温度が低下する。よって、給気吹出口６からの給気温度を下げることができる。
【００７６】
また、排気流量調整ダンパ１５の開度を制御して、ワーキングエアＷＡの流量を減少させると、間接気化エレメント１１におけるプロダクトエアＰＡの出口温度が上昇する。よって、給気吹出口６からの給気温度を上げることができる。
【００７７】
更に、給気流量調整ダンパ１４の開度を制御して、プロダクトエアＰＡの流量を増加させると、間接気化エレメント１１におけるプロダクトエアＰＡの出口温度が上昇する。よって、給気吹出口６からの給気温度を上げることができる。
【００７８】
また、給気流量調整ダンパ１４の開度を制御して、プロダクトエアＰＡの流量を減少させると、間接気化エレメント１１におけるプロダクトエアＰＡの出口温度が低下する。よって、給気吹出口６からの給気温度を下げることができる。
【００７９】
このように、プロダクトエアＰＡとワーキングエアＷＡの何れか一方の流量を調整することで、給気温度を制御できるので、給気流量調整ダンパ１４と排気流量調整ダンパ１５の何れか一方を備える構成でも良い。
【００８０】
また、給気流量調整ダンパ１４と排気流量調整ダンパ１５の双方を作動させて、プロダクトエアＰＡの流量及びワーキングエアＷＡの流量を調整することでも、間接気化エレメント１１におけるプロダクトエアＰＡの出口温度が制御され、給気吹出口６からの給気温度が制御される。
【００８１】
更に、給気ファン２の回転数を変化させ風量を制御することでも、プロダクトエアＰＡの流量が調整可能で、同様に、排気ファン３の回転数を変化させ風量を制御することでも、ワーキングエアＷＡの流量が調整可能である。
【００８２】
よって、給気ファン２と排気ファン３の何れか、あるいは給気ファン２と排気ファン３の双方の風量を制御することで、間接気化エレメント１１におけるプロダクトエアＰＡの出口温度が制御され、給気吹出口６からの給気温度が制御される。
【００８３】
また、給気流量調整ダンパ１４と排気流量調整ダンパ１５の少なくとも一方の開度の制御と、給気ファン２と排気ファン３の少なくとも一方の風量の制御を組み合わせても、間接気化エレメント１１におけるプロダクトエアＰＡの出口温度が制御され、給気吹出口６からの給気温度が制御される。
【００８４】
上述した温度制御は、後述する設定スイッチで手動で行うこともできるし、温度センサ１７等を利用して、温度に合わせて自動調整することも可能である。
【００８５】
なお、夏場に換気装置１Ａを使用することで、室内の温度が下げられる。よって、還気ＲＡの温度も低い。図５で説明したように、ワーキングエアＷＡの入力温度が低いと、プロダクトエアＰＡの出口温度が下がるので、還気ＲＡをワーキングエアＷＡとして利用することで、効率的にプロダクトエアＰＡの出口温度を下げて、給気温度を制御することができる。
【００８６】
そして、還気ＲＡを利用することで、室内のエアを屋外に排気しながら、外気を冷却して取り入れることができ、換気装置１Ａは換気を行いながら冷房を行う機能を有することになる。
【００８７】
また、建築基準法によって、住宅の空気を所定時間で入れ替えることができる換気設備の設置が必要となり、ファンを利用して強制的に換気が行えるようにした換気装置等を利用して、所定時間で部屋の空気の入れ替えができるようにしている。
【００８８】
本例の換気装置１Ａは、換気を行いながら冷房を行う機能を有するので、別の換気装置を備えることなく、還気ＲＡの流量と、給気ＳＡの流量を調整することで、所定時間で部屋の空気を入れ替えるような換気動作が可能で、２４時間換気装置としても利用できる。このため、換気装置１Ａでは、ワーキングエアＷＡの流量やプロダクトエアＰＡの流量で温度制御を行うため、所望の冷却温度が得られ、かつ、所定の換気量が確保できるように、換気動作と冷却動作を連動させる制御が行われる。
【００８９】
２４時間換気機能は、建物内の換気対象エリアの所定回数換気（例えば、０．５回／時間）を満たすような連続的または断続的に常時換気をする機能である。これは、換気装置１のみで所定換気回数を満たしても良いし、他の換気装置の換気量を合わせて所定回数換気を満たすようしても良い。また、冬季等で、所定換気回数を少なくするため、操作手段のスイッチや温度を検出して、手動または自動で切り換えられるようにして、２４時間換気風量を小さくなるようにしても良い。
【００９０】
＜第２の実施の形態の換気装置１Ｂの構成＞
図８は第２の実施の形態の換気装置１Ｂの一例を示す構成図である。第２の実施の形態の換気装置１Ｂは、間接気化冷却ユニット４を構成する間接気化エレメント１１のワーキングエアＷＡに外気ＯＡを使用するものである。なお、第２の実施の形態の換気装置１Ｂにおいて、第１の実施の形態の換気装置１Ａと同じ構成要素については、同じ番号を付して説明する。
【００９１】
換気装置１Ｂは、外気吸込口５から給気ファン２及び間接気化エレメント１１のプロダクトエア流路１１ｂを通り、給気吹出口６へ連通する給気流路９Ｂを備える。
【００９２】
また、換気装置１Ｂは、給気ファン２より下流側で給気流路９Ｂと分岐し、間接気化エレメント１１のワーキングエア流路１１ａ及び排気ファン３を通り、排気吹出口８へ連通する第１の排気流路１０Ｂと、還気吸込口７から排気ファン３を通り、排気吹出口８へ連通した第２の排気流路１０Ｃを備える。なお、第２の排気流路１０Ｃの破線で示す部分は、給気流路９Ｂと独立するように、例えばケースの側壁に沿って形成される。
【００９３】
給気流路９Ｂは、第１の排気流路１０Ｂとの分岐位置より下流側で、例えば間接気化冷却ユニット４の上流側に給気流量調整ダンパ１４を備える。また、第１の排気流路１０Ｂは、給気流路９Ｂとの分岐位置より下流側で、例えば間接気化冷却ユニット４の上流側に排気流量調整ダンパ１５を備える。
【００９４】
給気流量調整ダンパ１４の開度を調整することで、給気流路９Ｂを流れるエアの流量が調整される。これにより、間接気化エレメント１１のプロダクトエア流路１１ｂを流れるプロダクトエアＰＡの流量が調整される。
【００９５】
また、排気流量調整ダンパ１５の開度を調整することで、第１の排気流路１０Ｂを流れるエアの流量が調整される。これにより、間接気化エレメント１１のワーキングエア流路１１ａを流れるワーキングエアＷＡの流量が調整される。
【００９６】
なお、給気流路９Ｂは、例えば第１の排気流路１０Ｂとの分岐位置より上流側に空気清浄フィルタ１６を備える。更に、給気流路９Ｂは、給気吹出口６に温度センサ１７を備える。
【００９７】
＜第２の実施の形態の換気装置１Ｂの動作＞
次に、図８等を参照に第２の実施の形態の換気装置１Ｂの動作について説明する。換気装置１Ｂは、給気ファン２が駆動されると、給気流路９Ｂにおいて給気吹出口６へ向かうエアの流れが生成される。これにより、外気ＯＡが外気吸込口５から吸い込まれ、間接気化エレメント１１のプロダクトエア流路１１ｂを通り、給気吹出口６から給気ＳＡとして室内に供給される。
【００９８】
また、排気ファン３が駆動されると、第１の排気流路１０Ｂ及び第２の排気流路１０Ｃにおいて排気吹出口８へ向かうエアの流れが生成される。これにより、第１の排気流路１０Ｂによって外気ＯＡの一部が間接気化エレメント１１のワーキングエア流路１１ａを通り、排気吹出口８から排気ＥＡとして屋外に排出される。また、第２の排気流路１０Ｃによって、室内からの還気ＲＡが還気吸込口７から吸い込まれ、排気吹出口８から排気ＥＡとして屋外に排出される。
【００９９】
従って、換気装置１Ｂでは、外気ＯＡがプロダクトエアＰＡ及びワーキングエアＷＡとなる。
【０１００】
上述したしたように、間接気化エレメント１１では、ワーキングエアＷＡが水の気化熱で冷却され、プロダクトエアＰＡはワーキングエアＷＡの冷熱を受けて冷却されるので、プロダクトエア流路１１ｂを通った外気ＯＡは、湿度（絶対湿度）は変化せずに温度は下がる。
【０１０１】
よって、間接気化エレメント１１のプロダクトエア流路１１ｂを通過した外気ＯＡを、給気吹出口６から給気ＳＡとして吹き出すことで、室内の温度を下げることができる。
【０１０２】
なお、間接気化エレメント１１のワーキングエア流路１１ａを通った外気ＯＡは高湿度のエアとなるので、排気吹出口８から排気ＥＡとして排出する。
【０１０３】
換気装置１Ｂでは、第１の実施の形態の換気装置１Ａと同様に、給気流量調整ダンパ１４の開度によって、間接気化エレメント１１のプロダクトエア流路１１ｂを通るプロダクトエアＰＡの流量が調整される。また、排気流量調整ダンパ１５の開度によって、間接気化エレメント１１のワーキングエア流路１１ａを通るワーキングエアＷＡの流量が調整される。
【０１０４】
これにより、給気流量調整ダンパ１４と排気流量調整ダンパ１５の何れか、あるいは双方を作動させて、プロダクトエアＰＡの流量かワーキングエアＷＡの流量あるいは双方の流量を調整することで、図３及び図４で説明したように、間接気化エレメント１１におけるプロダクトエアＰＡの出口温度が制御される。よって、給気吹出口６からの給気温度が制御される。
【０１０５】
更に、給気ファン２の回転数を変化させ風量を制御することでも、プロダクトエアＰＡの流量が調整可能で、同様に、排気ファン３の回転数を変化させ風量を制御することでも、ワーキングエアＷＡの流量が調整可能である。
【０１０６】
よって、給気ファン２と排気ファン３の何れか、あるいは給気ファン２と排気ファン３の双方の風量を制御することで、間接気化エレメント１１におけるプロダクトエアＰＡの出口温度が制御され、給気吹出口６からの給気温度が制御される。
【０１０７】
また、給気流量調整ダンパ１４と排気流量調整ダンパ１５の少なくとも一方の開度の制御と、給気ファン２と排気ファン３の少なくとも一方の風量の制御を組み合わせても、間接気化エレメント１１におけるプロダクトエアＰＡの出口温度が制御され、給気吹出口６からの給気温度が制御される。
【０１０８】
換気装置１Ｂは、還気ＲＡを屋外に排気する機能を有するので、室内のエアを屋外に排気しながら、外気を冷却して取り入れることができ、換気装置１Ｂは換気を行いながら冷房を行う機能を有することになる。
【０１０９】
そして、還気ＲＡの流量と、給気ＳＡの流量を調整することで、所定時間で部屋の空気を入れ替えるような換気動作が可能である。このため、換気装置１Ｂでは、ワーキングエアＷＡの流量やプロダクトエアＰＡの流量で温度制御を行うため、所望の冷却温度が得られ、かつ、所定の換気量が確保できるように、換気動作と冷却動作を連動させる制御が行われる。
【０１１０】
＜第３の実施の形態の換気装置１Ｃの構成＞
図９は第３の実施の形態の換気装置１Ｃの一例を示す構成図である。第３の実施の形態の換気装置１Ｃは、間接気化冷却ユニット４をバイパスする給気流路を備えるものである。なお、第３の実施の形態の換気装置１Ｃにおいて、第１の実施の形態の換気装置１Ａと同じ構成要素については、同じ番号を付して説明する。
【０１１１】
換気装置１Ｃは、外気吸込口５から給気ファン２及び間接気化エレメント１１のプロダクトエア流路１１ｂを通り、給気吹出口６へ連通する給気流路９Ｃを備える。排気流路１０Ａは、第１の実施の形態の換気装置１Ａと同じ構成である。
【０１１２】
また、換気装置１Ｃは、間接気化冷却ユニット４より上流側で給気流路９Ｃから分岐し、間接気化冷却ユニット４をバイパスして給気吹出口６へ連通したバイパス流路１０Ｄを備える。
【０１１３】
バイパス流路１０Ｄは、給気流量調整ダンパ１８を備える。給気流量調整ダンパ１８は流量制御手段を構成し、開閉によりエアの流量を調整するダンパと、ダンパを駆動するモータを備え、給気流量調整ダンパ１８の開度を調整することで、バイパス流路１０Ｄを流れるエアの流量が調整される。これにより、間接気化冷却ユニット４をバイパスして給気吹出口６へ供給されるエアの流量が調整される。
【０１１４】
なお、給気流路９Ｃは、例えばバイパス流路１０Ｄとの分岐位置より上流側に空気清浄フィルタ１６を備える。
【０１１５】
換気装置１Ｃでは給排水装置１２の給水バルブ１２ｂを間接気化冷却ユニット４の下側に配置している。例えば、間接気化エレメント１１をドレンパン１３に貯めた水につけた状態として給水を行う構成としても良い。
【０１１６】
＜第３の実施の形態の換気装置１Ｃの動作＞
次に、図９等を参照に第３の実施の形態の換気装置１Ｃの動作について説明する。換気装置１Ｃは、給気ファン２が駆動されると、給気流路９Ｃにおいて給気吹出口６へ向かうエアの流れが生成される。これにより、外気ＯＡが外気吸込口５から吸い込まれ、間接気化エレメント１１のプロダクトエア流路１１ｂを通り、給気吹出口６から給気ＳＡとして室内に供給される。
【０１１７】
また、排気ファン３が駆動されると、排気流路１０Ａにおいて排気吹出口８へ向かうエアの流れが生成される。これにより、室内からの還気ＲＡが還気吸込口７から吸い込まれ、間接気化エレメント１１のワーキングエア流路１１ａを通り、排気吹出口８から排気ＥＡとして屋外に排出される。
【０１１８】
従って、換気装置１Ｃでは、外気ＯＡがプロダクトエアＰＡとなり、還気ＲＡがワーキングエアＷＡとなる。
【０１１９】
上述したように、間接気化エレメント１１では、ワーキングエアＷＡが水の気化熱で冷却され、プロダクトエアＰＡはワーキングエアＷＡの冷熱を受けて冷却されるので、プロダクトエア流路１１ｂを通った外気ＯＡは、湿度（絶対湿度）は変化せずに温度は下がる。
【０１２０】
よって、間接気化エレメント１１のプロダクトエア流路１１ｂを通過した外気ＯＡを、給気吹出口６から給気ＳＡとして吹き出すことで、室内の温度を下げることができる。
【０１２１】
換気装置１Ｃでは、給気流量調整ダンパ１８の開度を調整することで、バイパス流路１０Ｄを流れるエアの流量が調整される。
【０１２２】
これにより、間接気化冷却ユニット４をバイパスして給気吹出口６へ供給されるエアの流量が調整される。
【０１２３】
よって、給気流量調整ダンパ１８を作動させて、バイパス流路１０Ｄを流れるエアの流量を調整することで、間接気化冷却ユニット４を通り冷却されたエアと、間接気化冷却ユニット４をバイパスして冷却されていないエアの混合比率が制御され、給気吹出口６からの給気温度が制御される。
【０１２４】
換気装置１Ｃは、還気ＲＡを利用することで、室内のエアを屋外に排気しながら、外気を冷却して取り入れることができ、換気装置１Ｃは換気を行いながら冷房を行う機能を有することになる。
【０１２５】
そして、還気ＲＡの流量と、給気ＳＡの流量を調整することで、所定時間で部屋の空気を入れ替えるような換気動作が可能である。このため、換気装置１Ｃでは、ワーキングエアＷＡの流量やプロダクトエアＰＡの流量で温度制御を行うため、所望の冷却温度が得られ、かつ、所定の換気量が確保できるように、換気動作と冷却動作を連動させる制御が行われる。
【０１２６】
＜第４の実施の形態の換気装置１Ｄの構成＞
図１０は第４の実施の形態の換気装置１Ｄの一例を示す構成図である。第４の実施の形態の換気装置１Ｄは、給気ファン２と排気ファン３と間接気化冷却ユニット４に加え、熱交換ユニット３１を備える。なお、第４の実施の形態の換気装置１Ｄにおいて、第１の実施の形態の換気装置１Ａと同じ構成要素については、同じ番号を付して説明する。
【０１２７】
熱交換ユニット３１は、熱交換エレメント３２と図示しないフィルタ等を備える。熱交換エレメント３２は、第１の流路３２ａが形成された熱交換素子材と第２の流路３２ｂが形成された熱交換素子材を、第１の流路３２ａと第２の流路３２ｂが直交する向きで積層した直交流式熱交換器である。第１の流路３２ａと第２の流路３２ｂは図示しない隔壁で仕切られ、第１の流路３２ａと第２の流路３２ｂに供給されたエアの間で顕熱交換が行われる。
【０１２８】
給気流路９Ｄは、外気吸込口５から給気ファン２、熱交換ユニット３１を構成する熱交換エレメント３２の第１の流路３２ａ及び間接気化冷却ユニット４を構成する間接気化エレメント１１のプロダクトエア流路１１ｂを通り、給気吹出口６へ連通する。
【０１２９】
第１の排気流路１０Ｅは、還気吸込口７から間接気化エレメント１１のワーキングエア流路１１ａ及び排気ファン３を通り、排気吹出口８へ連通する。また、第２の排気流路１０Ｆは、還気吸込口７から熱交換エレメント３２の第２の流路３２ｂ及び排気ファン３を通り、排気吹出口８へ連通する。
【０１３０】
給気流路９Ｄは、例えば熱交換ユニット３１の上流側に給気流量調整ダンパ１４を備える。給気流量調整ダンパ１４の開度を調整することで、給気流路９Ｄを流れるエアの流量が調整される。これにより、間接気化エレメント１１のプロダクトエア流路１１ｂを流れるプロダクトエアＰＡの流量が調整される。
【０１３１】
第１の排気流路１０Ｅは、例えば間接気化冷却ユニット４の上流側に排気流量調整ダンパ１５を備える。排気流量調整ダンパ１５の開度を調整することで、第１の排気流路１０Ｅを流れるエアの流量が調整される。これにより、間接気化エレメント１１のワーキングエア流路１１ａを流れるワーキングエアＷＡの流量が調整される。
【０１３２】
また、給気流路９Ｄは、例えば熱交換ユニット３１の上流側に空気清浄フィルタ１６を備える。空気清浄フィルタ１６を熱交換ユニット３１の上流側に配置することで、熱交換エレメント３２及び間接気化エレメント１１への粉塵等の侵入を防ぐ。
【０１３３】
更に、給気流路９Ｄは、給気吹出口６に温度センサ１７を備えることで、給気温度が検出される。
【０１３４】
＜第４の実施の形態の換気装置１Ｄの動作＞
次に、図１０等を参照に第４の実施の形態の換気装置１Ｄの動作について説明する。換気装置１Ｄは、給気ファン２が駆動されると、給気流路９Ｄにおいて給気吹出口６へ向かうエアの流れが生成される。これにより、外気ＯＡが外気吸込口５から吸い込まれ、空気清浄フィルタ１６、熱交換エレメント３２の第１の流路３２ａ及び間接気化エレメント１１のプロダクトエア流路１１ｂを通り、給気吹出口６から給気ＳＡとして室内に供給される。
【０１３５】
また、排気ファン３が駆動されると、第１の排気流路１０Ｅ及び第２の排気流路１０Ｆにおいて排気吹出口８へ向かうエアの流れが生成される。これにより、室内からの還気ＲＡが還気吸込口７から吸い込まれ、間接気化エレメント１１のワーキングエア流路１１ａを通り、排気吹出口８から排気ＥＡとして屋外に排出される。また、還気ＲＡの一部は、熱交換エレメント３２の第２の流路３２ｂを通り、排気吹出口８から排気ＥＡとして屋外に排出される。
【０１３６】
従って、換気装置１Ｄでは、外気ＯＡがプロダクトエアＰＡとなり、還気ＲＡがワーキングエアＷＡとなる。
【０１３７】
熱交換エレメント３２では、第１の流路３２ａを通る外気ＯＡと、第２の流路３２ｂを通る還気ＲＡの間で熱交換が行われる。夏場に換気装置１Ｄを使用することで、室内の温度が下げられ、還気ＲＡの温度は外気ＯＡの温度よりも低い。
【０１３８】
よって、熱交換エレメント３２の第１の流路３２ａを通った外気ＯＡは温度が下がり、第２の流路３２ｂを通った還気ＲＡは温度が上がる。
【０１３９】
上述したように、間接気化エレメント１１では、ワーキングエアＷＡが水の気化熱で冷却され、プロダクトエアＰＡはワーキングエアＷＡの冷熱を受けて冷却されるので、プロダクトエア流路１１ｂを通った外気ＯＡは、湿度（絶対湿度）は変化せずに温度は下がる。
【０１４０】
よって、間接気化エレメント１１のプロダクトエア流路１１ｂを通過した外気ＯＡを、給気吹出口６から給気ＳＡとして吹き出すことで、室内の温度を下げることができる。
【０１４１】
ここで、間接気化エレメント１１のプロダクトエア流路１１ｂを通る外気ＯＡは、前段の熱交換ユニット３１で温度が下げられている。これにより、図５で説明したように、プロダクトエアＰＡの入力温度が低いと、プロダクトエアＰＡの出口温度が下がるので、間接気化冷却ユニット４の前段に熱交換ユニット３１を配置して、プロダクトエアＰＡの入力温度を下げることで、効率的にプロダクトエアＰＡの出口温度を下げて、給気温度を制御することができる。
【０１４２】
また、図５で説明したように、ワーキングエアＷＡの入力温度が低いと、プロダクトエアＰＡの出口温度が下がるので、還気ＲＡをワーキングエアＷＡとして利用することで、効率的にプロダクトエアＰＡの出口温度を下げて、給気温度を制御することができる。
【０１４３】
なお、間接気化エレメント１１のワーキングエア流路１１ａを通った還気ＲＡは高湿度のエアとなるので、排気吹出口８から排気ＥＡとして排出する。また、熱交換エレメント３２の第２の流路３２ｂを通った還気ＲＡは温度が上がるので、排気吹出口８から排気ＥＡとして排出する。
【０１４４】
換気装置１Ｄでは、給気流量調整ダンパ１４の開度によって、間接気化エレメント１１のプロダクトエア流路１１ｂを通るプロダクトエアＰＡの流量が調整される。また、排気流量調整ダンパ１５の開度によって、間接気化エレメント１１のワーキングエア流路１１ａを通るワーキングエアＷＡの流量が調整される。
【０１４５】
これにより、熱交換ユニット３１を備えた換気装置１Ｄでも、給気流量調整ダンパ１４と排気流量調整ダンパ１５の何れかを作動させて、プロダクトエアＰＡの流量かワーキングエアＷＡの流量を調整することで、図３及び図４で説明したように、間接気化エレメント１１におけるプロダクトエアＰＡの出口温度が制御される。よって、給気吹出口６からの給気温度が制御される。
【０１４６】
例えば、ワーキングエアＷＡの流量を増加させると、間接気化エレメント１１におけるプロダクトエアＰＡの出口温度が低下することで、給気吹出口６からの給気温度を下げることができる。
【０１４７】
また、ワーキングエアＷＡの流量を減少させると、間接気化エレメント１１におけるプロダクトエアＰＡの出口温度が上昇することで、給気吹出口６からの給気温度を上げることができる。
【０１４８】
なお、プロダクトエアＰＡとワーキングエアＷＡの何れか一方の流量を調整することで、給気温度を制御できるので、給気流量調整ダンパ１４と排気流量調整ダンパ１５の何れか一方を備える構成でも良い。
【０１４９】
また、給気流量調整ダンパ１４と排気流量調整ダンパ１５の双方を作動させて、プロダクトエアＰＡの流量及びワーキングエアＷＡの流量を調整することで、間接気化エレメント１１におけるプロダクトエアＰＡの出口温度が制御され、給気吹出口６からの給気温度が制御される。
【０１５０】
更に、給気ファン２の回転数を変化させ風量を制御することでも、プロダクトエアＰＡの流量が調整可能で、同様に、排気ファン３の回転数を変化させ風量を制御することでも、ワーキングエアＷＡの流量が調整可能である。
【０１５１】
よって、給気ファン２と排気ファン３の何れか、あるいは給気ファン２と排気ファン３の双方の風量を制御することで、間接気化エレメント１１におけるプロダクトエアＰＡの出口温度が制御され、給気吹出口６からの給気温度が制御される。
【０１５２】
また、給気流量調整ダンパ１４と排気流量調整ダンパ１５の少なくとも一方の開度の制御と、給気ファン２と排気ファン３の少なくとも一方の風量の制御を組み合わせても、間接気化エレメント１１におけるプロダクトエアＰＡの出口温度が制御され、給気吹出口６からの給気温度が制御される。
【０１５３】
熱交換ユニット３１を備えた構成と、熱交換ユニット３１を備えていない構成の比較例を図１０（ｂ）に示すと、まず、熱交換ユニット３１を備えていない構成では、４０℃の外気ＯＡを取り入れて間接気化冷却ユニット４で冷却すると、図５に示すグラフから、２１℃の給気ＳＡが生成できることが判るが、同時に図６に示すように、０．４８ｋｇ／ｈｒの水を消費する。
【０１５４】
そこで、取り込んだ外気ＯＡの温度を下げる熱交換ユニット３１を組み込むこととした。熱交換ユニット３１を構成する熱交換エレメント３２は、一般的に７０％程度の熱交換率を有しており、４０℃の外気ＯＡと２５℃の還気ＲＡ（室内空気）で熱交換すると、熱交換効率７０％で間接気化冷却ユニット４に２９．５℃のエアを供給できることになる。
【０１５５】
この条件で間接気化エレメント１１のプロダクトエアＰＡとワーキングエアＷＡとして供給すると、１７℃の給気ＳＡを生成でき、水の消費量も０．３２ｋｇ／ｈｒと抑えることができることが判った。
【０１５６】
これにより、換気装置１Ｄは、熱交換ユニット３１を備え、熱交換ユニット３１と間接気化冷却ユニット４で還気ＲＡを利用することで、冷却能力が向上すると共に、水の消費を抑えることができる。また、還気ＲＡを利用することで、室内のエアを屋外に排気しながら、外気を冷却して取り入れることができ、換気装置１Ｄは換気を行いながら冷房を行う機能を有することになる。
【０１５７】
そして、還気ＲＡの流量と、給気ＳＡの流量を調整することで、所定時間で部屋の空気を入れ替えるような換気動作が可能である。このため、換気装置１Ｄでは、ワーキングエアＷＡの流量やプロダクトエアＰＡの流量で温度制御を行うため、所望の冷却温度が得られ、かつ、所定の換気量が確保できるように、換気動作と冷却動作を連動させる制御が行われる。
【０１５８】
＜第５の実施の形態の換気装置１Ｅの構成＞
図１１は第５の実施の形態の換気装置１Ｅの一例を示す構成図である。第５の実施の形態の換気装置１Ｅは、熱交換ユニット３１を備えた換気装置１Ｅにおいて、間接気化冷却ユニット４を構成する間接気化エレメント１１のワーキングエアＷＡに外気ＯＡを使用するものである。なお、第５の実施の形態の換気装置１Ｅにおいて、第４の実施の形態の換気装置１Ｄと同じ構成要素については、同じ番号を付して説明する。
【０１５９】
換気装置１Ｅは、外気吸込口５から給気ファン２、熱交換エレメント３２の第１の流路３２ａ及び間接気化エレメント１１のプロダクトエア流路１１ｂを通り、給気吹出口６へ連通する給気流路９Ｅを備える。
【０１６０】
また、換気装置１Ｅは、熱交換ユニット３１より下流側で給気流路９Ｅと分岐し、間接気化エレメント１１のワーキングエア流路１１ａ及び排気ファン３を通り、排気吹出口８へ連通する第１の排気流路１０Ｇと、還気吸込口７から熱交換エレメント３２の第２の流路３２ｂ及び排気ファン３を通り、排気吹出口８へ連通した第２の排気流路１０Ｈを備える。
【０１６１】
給気流路９Ｅは、例えば熱交換ユニット３１の上流側に給気流量調整ダンパ１４を備える。また、第１の排気流路１０Ｇは、給気流路９Ｅとの分岐位置より下流側で、例えば間接気化冷却ユニット４の上流側に排気流量調整ダンパ１５を備える。
【０１６２】
給気流量調整ダンパ１４の開度を調整することで、給気流路９Ｅを流れるエアの流量が調整される。これにより、間接気化エレメント１１のプロダクトエア流路１１ｂを流れるプロダクトエアＰＡの流量が調整される。
【０１６３】
また、排気流量調整ダンパ１５の開度を調整することで、第１の排気流路１０Ｇを流れるエアの流量が調整される。これにより、間接気化エレメント１１のワーキングエア流路１１ａを流れるワーキングエアＷＡの流量が調整される。
【０１６４】
なお、給気流路９Ｅは、例えば熱交換ユニット３１より上流側に空気清浄フィルタ１６を備える。更に、給気流路９Ｅは、給気吹出口６に温度センサ１７を備える。
【０１６５】
＜第５の実施の形態の換気装置１Ｅの動作＞
次に、図１１等を参照に第５の実施の形態の換気装置１Ｅの動作について説明する。換気装置１Ｅは、給気ファン２が駆動されると、給気流路９Ｅにおいて給気吹出口６へ向かうエアの流れが生成される。これにより、外気ＯＡが外気吸込口５から吸い込まれ、熱交換エレメント３２の第１の流路３２ａ及び間接気化エレメント１１のプロダクトエア流路１１ｂを通り、給気吹出口６から給気ＳＡとして室内に供給される。
【０１６６】
また、排気ファン３が駆動されると、第１の排気流路１０Ｇ及び第２の排気流路１０Ｈにおいて排気吹出口８へ向かうエアの流れが生成される。これにより、第１の排気流路１０Ｇによって外気ＯＡの一部が間接気化エレメント１１のワーキングエア流路１１ａを通り、排気吹出口８から排気ＥＡとして屋外に排出される。また、第２の排気流路１０Ｈによって、室内からの還気ＲＡが還気吸込口７から吸い込まれ、熱交換エレメント３２の第２の流路３２ｂを通り、排気吹出口８から排気ＥＡとして屋外に排出される。
【０１６７】
従って、換気装置１Ｅでは、外気ＯＡがプロダクトエアＰＡ及びワーキングエアＷＡとなる。
【０１６８】
熱交換エレメント３２では、第１の流路３２ａを通る外気ＯＡと、第２の流路３２ｂを通る還気ＲＡの間で熱交換が行われる。夏場に換気装置１Ｅを使用することで、室内の温度が下げられ、還気ＲＡの温度は外気ＯＡの温度よりも低い。
【０１６９】
よって、熱交換エレメント３２の第１の流路３２ａを通った外気ＯＡは温度が下がり、第２の流路３２ｂを通った還気ＲＡは温度が上がる。
【０１７０】
上述したように、間接気化エレメント１１では、ワーキングエアＷＡが水の気化熱で冷却され、プロダクトエアＰＡはワーキングエアＷＡの冷熱を受けて冷却されるので、プロダクトエア流路１１ｂを通った外気ＯＡは、湿度（絶対湿度）は変化せずに温度は下がる。
【０１７１】
よって、間接気化エレメント１１のプロダクトエア流路１１ｂを通過した外気ＯＡを、給気吹出口６から給気ＳＡとして吹き出すことで、室内の温度を下げることができる。
【０１７２】
ここで、間接気化エレメント１１のプロダクトエア流路１１ｂを通る外気ＯＡは、前段の熱交換ユニット３１で温度が下げられている。これにより、図５で説明したように、プロダクトエアＰＡの入力温度が低いと、プロダクトエアＰＡの出口温度が下がるので、間接気化冷却ユニット４の前段に熱交換ユニット３１を配置して、プロダクトエアＰＡの入力温度を下げることで、効率的にプロダクトエアＰＡの出口温度を下げて、給気温度を制御することができる。
【０１７３】
また、図５で説明したように、ワーキングエアＷＡの入力温度が低いと、プロダクトエアＰＡの出口温度が下がるので、熱交換ユニット３１で冷却された外気ＯＡの一部をワーキングエアＷＡとして利用することで、効率的にプロダクトエアＰＡの出口温度を下げて、給気温度を制御することができる。
【０１７４】
なお、間接気化エレメント１１のワーキングエア流路１１ａを通った外気ＯＡは高湿度のエアとなるので、排気吹出口８から排気ＥＡとして排出する。また、熱交換エレメント３２の第２の流路３２ｂを通った還気ＲＡは温度が上がるので、排気吹出口８から排気ＥＡとして排出する。
【０１７５】
換気装置１Ｅでは、第４の実施の形態の換気装置１Ｄと同様に、給気流量調整ダンパ１４の開度によって、間接気化エレメント１１のプロダクトエア流路１１ｂを通るプロダクトエアＰＡの流量が調整される。また、排気流量調整ダンパ１５の開度によって、間接気化エレメント１１のワーキングエア流路１１ａを通るワーキングエアＷＡの流量が調整される。
【０１７６】
これにより、給気流量調整ダンパ１４と排気流量調整ダンパ１５の何れか、あるいは双方を作動させて、プロダクトエアＰＡの流量かワーキングエアＷＡの流量あるいは双方の流量を調整することで、図３及び図４で説明したように、間接気化エレメント１１におけるプロダクトエアＰＡの出口温度が制御される。よって、給気吹出口６からの給気温度が制御される。
【０１７７】
更に、給気ファン２の回転数を変化させ風量を制御することでも、プロダクトエアＰＡの流量が調整可能で、同様に、排気ファン３の回転数を変化させ風量を制御することでも、ワーキングエアＷＡの流量が調整可能である。
【０１７８】
よって、給気ファン２と排気ファン３の何れか、あるいは給気ファン２と排気ファン３の双方の風量を制御することで、間接気化エレメント１１におけるプロダクトエアＰＡの出口温度が制御され、給気吹出口６からの給気温度が制御される。
【０１７９】
また、給気流量調整ダンパ１４と排気流量調整ダンパ１５の少なくとも一方の開度の制御と、給気ファン２と排気ファン３の少なくとも一方の風量の制御を組み合わせても、間接気化エレメント１１におけるプロダクトエアＰＡの出口温度が制御され、給気吹出口６からの給気温度が制御される。
【０１８０】
換気装置１Ｅは、熱交換ユニット３１を備え、熱交換ユニット３１で還気ＲＡを利用し、熱交換ユニット３１で冷却されたＯＡを間接気化冷却ユニット４で利用することで、冷却能力が向上する。また、還気ＲＡを利用することで、室内のエアを屋外に排気しながら、外気を冷却して取り入れることができ、換気装置１Ｅは換気を行いながら冷房を行う機能を有することになる。
【０１８１】
そして、還気ＲＡの流量と、給気ＳＡの流量を調整することで、所定時間で部屋の空気を入れ替えるような換気動作が可能である。このため、換気装置１Ｅでは、ワーキングエアＷＡの流量やプロダクトエアＰＡの流量で温度制御を行うため、所望の冷却温度が得られ、かつ、所定の換気量が確保できるように、換気動作と冷却動作を連動させる制御が行われる。
【０１８２】
＜第６の実施の形態の換気装置１Ｆの構成＞
図１２は第６の実施の形態の換気装置１Ｆの一例を示す構成図である。第６の実施の形態の換気装置１Ｆは、熱交換ユニット３１を備えた換気装置１Ｆにおいて、間接気化冷却ユニット４をバイパスする給気流路を備えるものである。なお、第６の実施の形態の換気装置１Ｆにおいて、第４の実施の形態の換気装置１Ｄと同じ構成要素については、同じ番号を付して説明する。
【０１８３】
換気装置１Ｆは、外気吸込口５から給気ファン２、熱交換エレメント３２の第１の流路３２ａ及び間接気化エレメント１１のプロダクトエア流路１１ｂを通り、給気吹出口６へ連通する給気流路９Ｆを備える。第１の排気流路１０Ｅ及び第２の排気流路１０Ｆは、第４の実施の形態の換気装置１Ｄと同じ構成である。
【０１８４】
また、換気装置１Ｆは、間接気化冷却ユニット４より上流側で給気流路９Ｆから分岐し、間接気化冷却ユニット４をバイパスして給気吹出口６へ連通したバイパス流路１０Ｉを備える。
【０１８５】
バイパス流路１０Ｉは、給気流量調整ダンパ１８を備える。給気流量調整ダンパ１８の開度を調整することで、バイパス流路１０Ｉを流れるエアの流量が調整される。これにより、間接気化冷却ユニット４をバイパスして給気吹出口６へ供給されるエアの流量が調整される。
【０１８６】
なお、給気流路９Ｆは、例えば熱交換ユニット３１より上流側に空気清浄フィルタ１６を備える。
【０１８７】
＜第６の実施の形態の換気装置１Ｆの動作＞
次に、図１２等を参照に第６の実施の形態の換気装置１Ｆの動作について説明する。換気装置１Ｆは、給気ファン２が駆動されると、給気流路９Ｆにおいて給気吹出口６へ向かうエアの流れが生成される。これにより、外気ＯＡが外気吸込口５から吸い込まれ、熱交換エレメント３２の第１の流路３２ａ及び間接気化エレメント１１のプロダクトエア流路１１ｂを通り、給気吹出口６から給気ＳＡとして室内に供給される。
【０１８８】
また、排気ファン３が駆動されると、第１の排気流路１０Ｅ及び第２の排気流路１０Ｆにおいて排気吹出口８へ向かうエアの流れが生成される。これにより、室内からの還気ＲＡが還気吸込口７から吸い込まれ、間接気化エレメント１１のワーキングエア流路１１ａを通り、排気吹出口８から排気ＥＡとして屋外に排出される。また、還気ＲＡの一部は、熱交換エレメント３２の第２の流路３２ｂを通り、排気吹出口８から排気ＥＡとして屋外に排出される。
【０１８９】
従って、換気装置１Ｆでは、外気ＯＡがプロダクトエアＰＡとなり、還気ＲＡがワーキングエアＷＡとなる。
【０１９０】
熱交換エレメント３２では、第１の流路３２ａを通る外気ＯＡと、第２の流路３２ｂを通る還気ＲＡの間で熱交換が行われる。夏場に換気装置１Ｆを使用することで、室内の温度が下げられ、還気ＲＡの温度は外気ＯＡの温度よりも低い。
【０１９１】
よって、熱交換エレメント３２の第１の流路３２ａを通った外気ＯＡは温度が下がり、第２の流路３２ｂを通った還気ＲＡは温度が上がる。
【０１９２】
上述したように、間接気化エレメント１１では、ワーキングエアＷＡが水の気化熱で冷却され、プロダクトエアＰＡはワーキングエアＷＡの冷熱を受けて冷却されるので、プロダクトエア流路１１ｂを通った外気ＯＡは、湿度（絶対湿度）は変化せずに温度は下がる。
【０１９３】
よって、間接気化エレメント１１のプロダクトエア流路１１ｂを通過した外気ＯＡを、給気吹出口６から給気ＳＡとして吹き出すことで、室内の温度を下げることができる。
【０１９４】
ここで、間接気化エレメント１１のプロダクトエア流路１１ｂを通る外気ＯＡは、前段の熱交換ユニット３１で温度が下げられている。これにより、図５で説明したように、プロダクトエアＰＡの入力温度が低いと、プロダクトエアＰＡの出口温度が下がるので、間接気化冷却ユニット４の前段に熱交換ユニット３１を配置して、プロダクトエアＰＡの入力温度を下げることで、効率的にプロダクトエアＰＡの出口温度を下げて、給気温度を制御することができる。
【０１９５】
また、図５で説明したように、ワーキングエアＷＡの入力温度が低いと、プロダクトエアＰＡの出口温度が下がるので、還気ＲＡをワーキングエアＷＡとして利用することで、プロダクトエアＰＡの出口温度を下げて、給気温度を下げることができる。
【０１９６】
換気装置１Ｆでは、給気流量調整ダンパ１８の開度を調整することで、バイパス流路１０Ｉを流れるエアの流量が調整される。
【０１９７】
これにより、間接気化冷却ユニット４をバイパスして給気吹出口６へ供給されるエアの流量が調整される。
【０１９８】
よって、給気流量調整ダンパ１８を作動させて、バイパス流路１０Ｉを流れるエアの流量を調整することで、間接気化冷却ユニット４を通り冷却されたエアと、間接気化冷却ユニット４をバイパスして間接気化冷却ユニット４では冷却されていないエアの混合比率が制御され、給気吹出口６からの給気温度が制御される。
【０１９９】
換気装置１Ｆは、熱交換ユニット３１を備え、熱交換ユニット３１と間接気化冷却ユニット４で還気ＲＡを利用することで、冷却能力が向上する。また、還気ＲＡを利用することで、室内のエアを屋外に排気しながら、外気を冷却して取り入れることができ、換気装置１Ｆは換気を行いながら冷房を行う機能を有することになる。
【０２００】
そして、還気ＲＡの流量と、給気ＳＡの流量を調整することで、所定時間で部屋の空気を入れ替えるような換気動作が可能である。このため、換気装置１Ｆでは、ワーキングエアＷＡの流量やプロダクトエアＰＡの流量で温度制御を行うため、所望の冷却温度が得られ、かつ、所定の換気量が確保できるように、換気動作と冷却動作を連動させる制御が行われる。
【０２０１】
＜第７の実施の形態の換気装置１Ｇの構成＞
図１３は第７の実施の形態の換気装置１Ｇの一例を示す構成図である。第７の実施の形態の換気装置１Ｇは、給気ファン２と排気ファン３と間接気化冷却ユニット４に加え、除湿ユニット３３を備える。なお、第７の実施の形態の換気装置１Ｇにおいて、第１の実施の形態の換気装置１Ａと同じ構成要素については、同じ番号を付して説明する。
【０２０２】
除湿ユニット３３は、隔壁３４で仕切られた除湿流路３５ａ及び再生流路３５ｂと、除湿流路３５ａと再生流路３５ｂに跨って回転駆動される除湿ロータ３６と、再生流路３５ｂを通るエアを加熱するヒータ３７と、除湿ロータ３６を回転駆動する図示しない回転駆動装置を備える。
【０２０３】
除湿ロータ３６は、シリカゲル等の吸着材を有するハニカム構造の部材が、軸方向に連通した流路が形成されるように円板状に構成される。除湿ロータ３６は除湿流路３５ａと再生流路３５ｂに跨って配置され、除湿流路３５ａを通るエア及び再生流路３５ｂを通るエアはそれぞれ除湿ロータ３６を通る。
【０２０４】
なお、除湿ロータ３６において除湿流路３５ａと再生流路３５ｂは隔壁３４で仕切られ、除湿流路３５ａを通るエアと再生流路３５ｂを通るエアが混合されることはない。
【０２０５】
除湿流路３５ａを通るエアは水分が除湿ロータ３６に吸着され、除湿される。除湿ロータ３６は、回転駆動されることで、水分を吸着した部分が再生流路３５ｂ側に移動する。再生流路３５ｂを通るエアはヒータ３７で加熱されることで、再生流路３５ｂを通るエアで除湿ロータ３６が加熱されて水分が蒸発し、再度水分を吸着できる状態に再生する。
【０２０６】
そして、除湿ロータ３６は、再生された部分が除湿流路３５ａ側に移動する。これにより、除湿ユニット３３は、除湿ロータ３６を回転駆動することで、水分の吸着と再生を繰り返しながら、除湿流路３５ａを通るエアが除湿される。
【０２０７】
給気流路９Ｇは、外気吸込口５から給気ファン２、除湿ユニット３３の除湿流路３５ａ及び間接気化エレメント１１のプロダクトエア流路１１ｂを通り、給気吹出口６へ連通する。
【０２０８】
第１の排気流路１０Ｊは、還気吸込口７から間接気化エレメント１１のワーキングエア流路１１ａ及び排気ファン３を通り、排気吹出口８へ連通する。また、第２の排気流路１０Ｋは、還気吸込口７から除湿ユニット３３の再生流路３５ｂ及び排気ファン３を通り、排気吹出口８へ連通する。
【０２０９】
給気流路９Ｇは、例えば除湿ユニット３３の上流側に給気流量調整ダンパ１４を備える。給気流量調整ダンパ１４の開度を調整することで、給気流路９Ｇを流れるエアの流量が調整される。これにより、間接気化エレメント１１のプロダクトエア流路１１ｂを流れるプロダクトエアＰＡの流量が調整される。
【０２１０】
第１の排気流路１０Ｊは、例えば間接気化冷却ユニット４の上流側に排気流量調整ダンパ１５を備える。排気流量調整ダンパ１５の開度を調整することで、第１の排気流路１０Ｊを流れるエアの流量が調整される。これにより、間接気化エレメント１１のワーキングエア流路１１ａを流れるワーキングエアＷＡの流量が調整される。
【０２１１】
また、給気流路９Ｇは、例えば除湿ユニット３３の上流側に空気清浄フィルタ１６を備える。空気清浄フィルタ１６を除湿ユニット３３の上流側に配置することで、除湿ロータ３６及び間接気化エレメント１１への粉塵等の侵入を防ぐ。
【０２１２】
更に、給気流路９Ｇは、給気吹出口６に温度センサ１７を備えることで、給気温度が検出される。
【０２１３】
＜第７の実施の形態の換気装置１Ｇの動作＞
次に、図１３等を参照に第７の実施の形態の換気装置１Ｇの動作について説明する。換気装置１Ｇは、給気ファン２が駆動されると、給気流路９Ｇにおいて給気吹出口６へ向かうエアの流れが生成される。これにより、外気ＯＡが外気吸込口５から吸い込まれ、空気清浄フィルタ１６、除湿ユニット３３の除湿流路３５ａ及び間接気化エレメント１１のプロダクトエア流路１１ｂを通り、給気吹出口６から給気ＳＡとして室内に供給される。
【０２１４】
また、排気ファン３が駆動されると、第１の排気流路１０Ｊ及び第２の排気流路１０Ｋにおいて排気吹出口８へ向かうエアの流れが生成される。これにより、室内からの還気ＲＡが還気吸込口７から吸い込まれ、間接気化エレメント１１のワーキングエア流路１１ａを通り、排気吹出口８から排気ＥＡとして屋外に排出される。また、還気ＲＡの一部は、除湿ユニット３３の再生流路３５ｂを通り、排気吹出口８から排気ＥＡとして屋外に排出される。
【０２１５】
従って、換気装置１Ｇでは、外気ＯＡがプロダクトエアＰＡとなり、還気ＲＡがワーキングエアＷＡとなる。
【０２１６】
上述したように、間接気化エレメント１１では、ワーキングエアＷＡが水の気化熱で冷却され、プロダクトエアＰＡはワーキングエアＷＡの冷熱を受けて冷却されるので、プロダクトエア流路１１ｂを通った外気ＯＡは、湿度（絶対湿度）は変化せずに温度は下がる。
【０２１７】
よって、間接気化エレメント１１のプロダクトエア流路１１ｂを通過した外気ＯＡを、給気吹出口６から給気ＳＡとして吹き出すことで、室内の温度を下げることができる。
【０２１８】
ここで、間接気化エレメント１１のプロダクトエア流路１１ｂを通る外気ＯＡは、前段の除湿ユニット３３で湿度が下げられている。これにより、図７で説明したように、プロダクトエアＰＡの入力湿度が低いと、プロダクトエアＰＡの出口温度が下がるので、間接気化冷却ユニット４の前段に除湿ユニット３３を配置して、プロダクトエアＰＡの入力湿度を下げることで、効率的にプロダクトエアＰＡの出口温度を下げて、給気温度を制御することができる。
【０２１９】
また、夏場に換気装置１Ｇを使用することで、室内の温度が下げられる。よって、還気ＲＡの温度も低い。図５で説明したように、ワーキングエアＷＡの入力温度が低いと、プロダクトエアＰＡの出口温度が下がるので、還気ＲＡをワーキングエアＷＡとして利用することで、効率的にプロダクトエアＰＡの出口温度を下げて、給気温度を制御することができる。
【０２２０】
なお、間接気化エレメント１１のワーキングエア流路１１ａを通った還気ＲＡ及び除湿ユニット３３の再生流路３５ｂを通った還気ＲＡは高湿度のエアとなるので、排気吹出口８から排気ＥＡとして排出する。
【０２２１】
換気装置１Ｇでは、給気流量調整ダンパ１４の開度によって、間接気化エレメント１１のプロダクトエア流路１１ｂを通るプロダクトエアＰＡの流量が調整される。また、排気流量調整ダンパ１５の開度によって、間接気化エレメント１１のワーキングエア流路１１ａを通るワーキングエアＷＡの流量が調整される。
【０２２２】
これにより、除湿ユニット３３を備えた換気装置１Ｇでも、給気流量調整ダンパ１４と排気流量調整ダンパ１５の何れかを作動させて、プロダクトエアＰＡの流量かワーキングエアＷＡの流量を調整することで、図３及び図４で説明したように、間接気化エレメント１１におけるプロダクトエアＰＡの出口温度が制御される。よって、給気吹出口６からの給気温度が制御される。
【０２２３】
例えば、ワーキングエアＷＡの流量を増加させると、間接気化エレメント１１におけるプロダクトエアＰＡの出口温度が低下することで、給気吹出口６からの給気温度を下げることができる。
【０２２４】
また、ワーキングエアＷＡの流量を減少させると、間接気化エレメント１１におけるプロダクトエアＰＡの出口温度が上昇することで、給気吹出口６からの給気温度を上げることができる。
【０２２５】
なお、プロダクトエアＰＡとワーキングエアＷＡの何れか一方の流量を調整することで、給気温度を制御できるので、給気流量調整ダンパ１４と排気流量調整ダンパ１５の何れか一方を備える構成でも良い。
【０２２６】
また、給気流量調整ダンパ１４と排気流量調整ダンパ１５の双方を作動させて、プロダクトエアＰＡの流量及びワーキングエアＷＡの流量を調整することで、間接気化エレメント１１におけるプロダクトエアＰＡの出口温度が制御され、給気吹出口６からの給気温度が制御される。
【０２２７】
更に、給気ファン２の回転数を変化させ風量を制御することでも、プロダクトエアＰＡの流量が調整可能で、同様に、排気ファン３の回転数を変化させ風量を制御することでも、ワーキングエアＷＡの流量が調整可能である。
【０２２８】
よって、給気ファン２と排気ファン３の何れか、あるいは給気ファン２と排気ファン３の双方の風量を制御することで、間接気化エレメント１１におけるプロダクトエアＰＡの出口温度が制御され、給気吹出口６からの給気温度が制御される。
【０２２９】
また、給気流量調整ダンパ１４と排気流量調整ダンパ１５の少なくとも一方の開度の制御と、給気ファン２と排気ファン３の少なくとも一方の風量の制御を組み合わせても、間接気化エレメント１１におけるプロダクトエアＰＡの出口温度が制御され、給気吹出口６からの給気温度が制御される。
【０２３０】
除湿ユニット３３を備えた構成の効果を図１３（ｂ）に示すと、例えば、温度３０℃、絶対湿度１０ｇ／ｋｇ（ＤＡ）、相対湿度約４０％ＲＨの外気ＱＡが、除湿ユニット３３の除湿流路３５ａを通ることで、温度４０℃、絶対湿度５ｇ／ｋｇ（ＤＡ）、相対湿度約１０％ＲＨの入力エアとなる。
【０２３１】
ここで、入力エアの温度が上がるのは、除湿ユニット３３では、除湿ロータ３６が再生流路３５ｂ側ではヒータ３７により加熱されるためである。
【０２３２】
この条件の入力エアを、間接気化冷却ユニット４のプロダクトエアＰＡ及びワーキングエアＷＡとすると、入力湿度（絶対湿度）が低いため、プロダクトエアＰＡの出口温度は２０℃と下がる。なお、絶対湿度が５ｇ／ｋｇ（ＤＡ）と低いので、出口温度は更に下がる余地がある。
【０２３３】
これにより、換気装置１Ｇは、除湿ユニット３３を備え、間接気化冷却ユニット４で還気ＲＡを利用することで、冷却能力が向上する。また、還気ＲＡを利用することで、室内のエアを屋外に排気しながら、外気を冷却して取り入れることができ、換気装置１Ｇは換気を行いながら冷房を行う機能を有することになる。
【０２３４】
そして、還気ＲＡの流量と、給気ＳＡの流量を調整することで、所定時間で部屋の空気を入れ替えるような換気動作が可能である。このため、換気装置１Ｇでは、ワーキングエアＷＡの流量やプロダクトエアＰＡの流量で温度制御を行うため、所望の冷却温度が得られ、かつ、所定の換気量が確保できるように、換気動作と冷却動作を連動させる制御が行われる。
【０２３５】
＜第８の実施の形態の換気装置１Ｈの構成＞
図１４は第８の実施の形態の換気装置１Ｈの一例を示す構成図である。第８の実施の形態の換気装置１Ｈは、除湿ユニット３３を備えた換気装置１Ｈにおいて、間接気化冷却ユニット４を構成する間接気化エレメント１１のワーキングエアＷＡに外気ＯＡを使用するものである。なお、第８の実施の形態の換気装置１Ｈにおいて、第７の実施の形態の換気装置１Ｇと同じ構成要素については、同じ番号を付して説明する。
【０２３６】
換気装置１Ｈは、外気吸込口５から給気ファン２、除湿ユニット３３の除湿流路３５ａ及び間接気化エレメント１１のプロダクトエア流路１１ｂを通り、給気吹出口６へ連通する給気流路９Ｈを備える。
【０２３７】
また、換気装置１Ｈは、除湿ユニット３３より下流側で給気流路９Ｈと分岐し、間接気化エレメント１１のワーキングエア流路１１ａ及び排気ファン３を通り、排気吹出口８へ連通する第１の排気流路１０Ｌと、還気吸込口７から除湿ユニット３３の再生流路３５ｂ及び排気ファン３を通り、排気吹出口８へ連通した第２の排気流路１０Ｍを備える。
【０２３８】
給気流路９Ｈは、例えば除湿ユニット３３の上流側に給気流量調整ダンパ１４を備える。また、第１の排気流路１０Ｌは、給気流路９Ｈとの分岐位置より下流側で、例えば間接気化冷却ユニット４の上流側に排気流量調整ダンパ１５を備える。
【０２３９】
給気流量調整ダンパ１４の開度を調整することで、給気流路９Ｈを流れるエアの流量が調整される。これにより、間接気化エレメント１１のプロダクトエア流路１１ｂを流れるプロダクトエアＰＡの流量が調整される。
【０２４０】
また、排気流量調整ダンパ１５の開度を調整することで、第１の排気流路１０Ｌを流れるエアの流量が調整される。これにより、間接気化エレメント１１のワーキングエア流路１１ａを流れるワーキングエアＷＡの流量が調整される。
【０２４１】
なお、給気流路９Ｈは、例えば除湿ユニット３３より上流側に空気清浄フィルタ１６を備える。更に、給気流路９Ｈは、給気吹出口６に温度センサ１７を備える。
【０２４２】
＜第８の実施の形態の換気装置１Ｈの動作＞
次に、図１４等を参照に第８の実施の形態の換気装置１Ｈの動作について説明する。換気装置１Ｈは、給気ファン２が駆動されると、給気流路９Ｈにおいて給気吹出口６へ向かうエアの流れが生成される。これにより、外気ＯＡが外気吸込口５から吸い込まれ、除湿ユニット３３の除湿流路３５ａ及び間接気化エレメント１１のプロダクトエア流路１１ｂを通り、給気吹出口６から給気ＳＡとして室内に供給される。
【０２４３】
また、排気ファン３が駆動されると、第１の排気流路１０Ｌ及び第２の排気流路１０Ｍにおいて排気吹出口８へ向かうエアの流れが生成される。これにより、第１の排気流路１０Ｌによって外気ＯＡの一部が間接気化エレメント１１のワーキングエア流路１１ａを通り、排気吹出口８から排気ＥＡとして屋外に排出される。また、第２の排気流路１０Ｍによって、室内からの還気ＲＡが還気吸込口７から吸い込まれ、除湿ユニット３３の再生流路３５ｂを通り、排気吹出口８から排気ＥＡとして屋外に排出される。
【０２４４】
従って、換気装置１Ｈでは、外気ＯＡがプロダクトエアＰＡ及びワーキングエアＷＡとなる。
【０２４５】
上述したように、間接気化エレメント１１では、ワーキングエアＷＡが水の気化熱で冷却され、プロダクトエアＰＡはワーキングエアＷＡの冷熱を受けて冷却されるので、プロダクトエア流路１１ｂを通った外気ＯＡは、湿度（絶対湿度）は変化せずに温度は下がる。
【０２４６】
よって、間接気化エレメント１１のプロダクトエア流路１１ｂを通過した外気ＯＡを、給気吹出口６から給気ＳＡとして吹き出すことで、室内の温度を下げることができる。
【０２４７】
ここで、間接気化エレメント１１のプロダクトエア流路１１ｂ及びワーキングエア流路１１ａには共に外気ＯＡが供給され、外気ＯＡは、前段の除湿ユニット３３で湿度が下げられている。これにより、図７で説明したように、プロダクトエアＰＡ及びワーキングエアＷＡの入力湿度が低いと、プロダクトエアＰＡの出口温度が下がるので、間接気化冷却ユニット４の前段に除湿ユニット３３を配置して、プロダクトエアＰＡ及びワーキングエアＷＡの入力湿度を下げることで、効率的にプロダクトエアＰＡの出口温度を下げて、給気温度を制御することができる。
【０２４８】
なお、間接気化エレメント１１のワーキングエア流路１１ａを通った外気ＯＡ及び除湿ユニット３３の再生流路３５ｂを通った還気ＲＡは高湿度のエアとなるので、排気吹出口８から排気ＥＡとして排出する。
【０２４９】
換気装置１Ｈでは、第７の実施の形態の換気装置１Ｇと同様に、給気流量調整ダンパ１４の開度によって、間接気化エレメント１１のプロダクトエア流路１１ｂを通るプロダクトエアＰＡの流量が調整される。また、排気流量調整ダンパ１５の開度によって、間接気化エレメント１１のワーキングエア流路１１ａを通るワーキングエアＷＡの流量が調整される。
【０２５０】
これにより、給気流量調整ダンパ１４と排気流量調整ダンパ１５の何れか、あるいは双方を作動させて、プロダクトエアＰＡの流量かワーキングエアＷＡの流量あるいは双方の流量を調整することで、図３及び図４で説明したように、間接気化エレメント１１におけるプロダクトエアＰＡの出口温度が制御される。よって、給気吹出口６からの給気温度が制御される。
【０２５１】
更に、給気ファン２の回転数を変化させ風量を制御することでも、プロダクトエアＰＡの流量が調整可能で、同様に、排気ファン３の回転数を変化させ風量を制御することでも、ワーキングエアＷＡの流量が調整可能である。
【０２５２】
よって、給気ファン２と排気ファン３の何れか、あるいは給気ファン２と排気ファン３の双方の風量を制御することで、間接気化エレメント１１におけるプロダクトエアＰＡの出口温度が制御され、給気吹出口６からの給気温度が制御される。
【０２５３】
また、給気流量調整ダンパ１４と排気流量調整ダンパ１５の少なくとも一方の開度の制御と、給気ファン２と排気ファン３の少なくとも一方の風量の制御を組み合わせても、間接気化エレメント１１におけるプロダクトエアＰＡの出口温度が制御され、給気吹出口６からの給気温度が制御される。
【０２５４】
換気装置１Ｈは、除湿ユニット３３を備え、除湿ユニット３３で除湿された外気ＯＡを間接気化冷却ユニット４で利用することで、冷却能力が向上する。また、還気ＲＡを除湿ユニット３３で再生空気として利用することで、室内のエアを屋外に排気しながら、外気を冷却して取り入れることができ、換気装置１Ｈは換気を行いながら冷房を行う機能を有することになる。
【０２５５】
そして、還気ＲＡの流量と、給気ＳＡの流量を調整することで、所定時間で部屋の空気を入れ替えるような換気動作が可能である。このため、換気装置１Ｈでは、ワーキングエアＷＡの流量やプロダクトエアＰＡの流量で温度制御を行うため、所望の冷却温度が得られ、かつ、所定の換気量が確保できるように、換気動作と冷却動作を連動させる制御が行われる。
【０２５６】
＜第９の実施の形態の換気装置１Ｉの構成＞
図１５は第９の実施の形態の換気装置１Ｉの一例を示す構成図である。第９の実施の形態の換気装置１Ｉは、除湿ユニット３３を備えた換気装置１Ｉにおいて、間接気化冷却ユニット４をバイパスする給気流路を備えるものである。なお、第９の実施の形態の換気装置１Ｉにおいて、第７の実施の形態の換気装置１Ｇと同じ構成要素については、同じ番号を付して説明する。
【０２５７】
換気装置１Ｉは、外気吸込口５から給気ファン２、除湿ユニット３３の除湿流路３５ａ及び間接気化エレメント１１のプロダクトエア流路１１ｂを通り、給気吹出口６へ連通する給気流路９Ｉを備える。第１の排気流路１０Ｊ及び第２の排気流路１０Ｋは、第７の実施の形態の換気装置１Ｇと同じ構成である。
【０２５８】
また、換気装置１Ｉは、間接気化冷却ユニット４より上流側で給気流路９Ｉから分岐し、間接気化冷却ユニット４をバイパスして給気吹出口６へ連通したバイパス流路１０Ｎを備える。
【０２５９】
バイパス流路１０Ｎは、給気流量調整ダンパ１８を備える。給気流量調整ダンパ１８の開度を調整することで、バイパス流路１０Ｎを流れるエアの流量が調整される。これにより、間接気化冷却ユニット４をバイパスして給気吹出口６へ供給されるエアの流量が調整される。
【０２６０】
なお、給気流路９Ｉは、例えば除湿ユニット３３より上流側に空気清浄フィルタ１６を備える。
【０２６１】
＜第９の実施の形態の換気装置１Ｉの動作＞
次に、図１５等を参照に第９の実施の形態の換気装置１Ｉの動作について説明する。換気装置１Ｉは、給気ファン２が駆動されると、給気流路９Ｉにおいて給気吹出口６へ向かうエアの流れが生成される。これにより、外気ＯＡが外気吸込口５から吸い込まれ、除湿ユニット３３の除湿流路３５ａ及び間接気化エレメント１１のプロダクトエア流路１１ｂを通り、給気吹出口６から給気ＳＡとして室内に供給される。
【０２６２】
また、排気ファン３が駆動されると、第１の排気流路１０Ｊ及び第２の排気流路１０Ｋにおいて排気吹出口８へ向かうエアの流れが生成される。これにより、室内からの還気ＲＡが還気吸込口７から吸い込まれ、間接気化エレメント１１のワーキングエア流路１１ａを通り、排気吹出口８から排気ＥＡとして屋外に排出される。また、還気ＲＡの一部は、除湿ユニット３３の再生流路３５ａを通り、排気吹出口８から排気ＥＡとして屋外に排出される。
【０２６３】
従って、換気装置１Ｉでは、外気ＯＡがプロダクトエアＰＡとなり、還気ＲＡがワーキングエアＷＡとなる。
【０２６４】
上述したように、間接気化エレメント１１では、ワーキングエアＷＡが水の気化熱で冷却され、プロダクトエアＰＡはワーキングエアＷＡの冷熱を受けて冷却されるので、プロダクトエア流路１１ｂを通った外気ＯＡは、湿度（絶対湿度）は変化せずに温度は下がる。
【０２６５】
よって、間接気化エレメント１１のプロダクトエア流路１１ｂを通過した外気ＯＡを、給気吹出口６から給気ＳＡとして吹き出すことで、室内の温度を下げることができる。
【０２６６】
ここで、間接気化エレメント１１のプロダクトエア流路１１ｂを通る外気ＯＡは、前段の除湿ユニット３３で湿度が下げられている。これにより、図７で説明したように、プロダクトエアＰＡの入力湿度が低いと、プロダクトエアＰＡの出口温度が下がるので、間接気化冷却ユニット４の前段に除湿ユニット３３を配置して、プロダクトエアＰＡの入力湿度を下げることで、効率的にプロダクトエアＰＡの出口温度を下げて、給気温度を制御することができる。
【０２６７】
また、夏場に換気装置１Ｉを使用することで、室内の温度が下げられる。よって、還気ＲＡの温度も低い。図５で説明したように、ワーキングエアＷＡの入力温度が低いと、プロダクトエアＰＡの出口温度が下がるので、還気ＲＡをワーキングエアＷＡとして利用することで、効率的にプロダクトエアＰＡの出口温度を下げて、給気温度を制御することができる。
【０２６８】
換気装置１Ｉでは、給気流量調整ダンパ１８の開度を調整することで、バイパス流路１０Ｎを流れるエアの流量が調整される。
【０２６９】
これにより、間接気化冷却ユニット４をバイパスして給気吹出口６へ供給されるエアの流量が調整される。
【０２７０】
よって、給気流量調整ダンパ１８を作動させて、バイパス流路１０Ｎを流れるエアの流量を調整することで、間接気化冷却ユニット４を通り冷却されたエアと、間接気化冷却ユニット４をバイパスして冷却されていないエアの混合比率が制御され、給気吹出口６からの給気温度が制御される。
【０２７１】
なお、間接気化冷却ユニット４をバイパスしたエア（外気ＯＡ）は、除湿ユニット３３で除湿されているので、給気ＳＡの湿度が上がることはない。
【０２７２】
換気装置１Ｉは、除湿ユニット３３を備え、間接気化冷却ユニット４で還気ＲＡを利用することで、冷却能力が向上する。また、還気ＲＡを利用することで、室内のエアを屋外に排気しながら、外気を冷却して取り入れることができ、換気装置１Ｉは換気を行いながら冷房を行う機能を有することになる。
【０２７３】
そして、還気ＲＡの流量と、給気ＳＡの流量を調整することで、所定時間で部屋の空気を入れ替えるような換気動作が可能である。このため、換気装置１Ｉでは、ワーキングエアＷＡの流量やプロダクトエアＰＡの流量で温度制御を行うため、所望の冷却温度が得られ、かつ、所定の換気量が確保できるように、換気動作と冷却動作を連動させる制御が行われる。
【０２７４】
＜第１０の実施の形態の換気装置１Ｊの構成＞
図１６は第１０の実施の形態の換気装置１Ｊの一例を示す構成図である。第１０の実施の形態の換気装置１Ｊは、給気ファン２と排気ファン３と間接気化冷却ユニット４に加え、熱交換ユニット３１と除湿ユニット３３を備える。なお、第１０の実施の形態の換気装置１Ｊにおいて、第１の実施の形態の換気装置１Ａ等と同じ構成要素については、同じ番号を付して説明する。
【０２７５】
給気流路９Ｊは、外気吸込口５から給気ファン２、除湿ユニット３３の除湿流路３５ａ、熱交換エレメント３２の第１の流路３２ａ及び間接気化エレメント１１のプロダクトエア流路１１ｂを通り、給気吹出口６へ連通する。
【０２７６】
第１の排気流路１０Ｐは、還気吸込口７から間接気化エレメント１１のワーキングエア流路１１ａ及び排気ファン３を通り、排気吹出口８へ連通する。また、第２の排気流路１０Ｑは、還気吸込口７から熱交換エレメント３２の第２の流路３２ｂ、除湿ユニット３３の再生流路３５ｂ及び排気ファン３を通り、排気吹出口８へ連通する。
【０２７７】
給気流路９Ｊは、例えば除湿ユニット３３の上流側に給気流量調整ダンパ１４を備える。給気流量調整ダンパ１４の開度を調整することで、給気流路９Ｊを流れるエアの流量が調整される。これにより、間接気化エレメント１１のプロダクトエア流路１１ｂを流れるプロダクトエアＰＡの流量が調整される。
【０２７８】
第１の排気流路１０Ｐは、例えば間接気化冷却ユニット４の上流側に排気流量調整ダンパ１５を備える。排気流量調整ダンパ１５の開度を調整することで、第１の排気流路１０Ｐを流れるエアの流量が調整される。これにより、間接気化エレメント１１のワーキングエア流路１１ａを流れるワーキングエアＷＡの流量が調整される。
【０２７９】
また、給気流路９Ｊは、例えば除湿ユニット３３の上流側に空気清浄フィルタ１６を備える。空気清浄フィルタ１６を除湿ユニット３３の上流側に配置することで、除湿ロータ３６、熱交換エレメント３２及び間接気化エレメント１１への粉塵等の侵入を防ぐ。
【０２８０】
更に、給気流路９Ｊは、給気吹出口６に温度センサ１７を備えることで、給気温度が検出される。
【０２８１】
＜第１０の実施の形態の換気装置１Ｊの動作＞
次に、図１６等を参照に第１０の実施の形態の換気装置１Ｊの動作について説明する。換気装置１Ｊは、給気ファン２が駆動されると、給気流路９Ｊにおいて給気吹出口６へ向かうエアの流れが生成される。これにより、外気ＯＡが外気吸込口５から吸い込まれ、空気清浄フィルタ１６、除湿ユニット３３の除湿流路３５ａ、熱交換エレメント３２の第１の流路３２ａ及び間接気化エレメント１１のプロダクトエア流路１１ｂを通り、給気吹出口６から給気ＳＡとして室内に供給される。
【０２８２】
また、排気ファン３が駆動されると、第１の排気流路１０Ｐ及び第２の排気流路１０Ｑにおいて排気吹出口８へ向かうエアの流れが生成される。これにより、室内からの還気ＲＡが還気吸込口７から吸い込まれ、間接気化エレメント１１のワーキングエア流路１１ａを通り、排気吹出口８から排気ＥＡとして屋外に排出される。また、還気ＲＡの一部は、熱交換エレメント３２の第２の流路３２ｂ及び除湿ユニット３３の再生流路３５ｂを通り、排気吹出口８から排気ＥＡとして屋外に排出される。
【０２８３】
従って、換気装置１Ｊでは、外気ＯＡがプロダクトエアＰＡとなり、還気ＲＡがワーキングエアＷＡとなる。
【０２８４】
除湿ユニット３３では、除湿流路３５ａを通る外気ＯＡが除湿される。但し、除湿ロータ３６が再生流路３５ｂ側ではヒータ３７により加熱された再生空気で加熱されるため、除湿流路３５ａを通った外気ＯＡの温度は上昇する。
【０２８５】
熱交換エレメント３２では、第１の流路３２ａを通る外気ＯＡと、第２の流路３２ｂを通る還気ＲＡの間で熱交換が行われる。夏場に換気装置１Ｊを使用することで、室内の温度が下げられ、還気ＲＡの温度は外気ＯＡの温度よりも低い。
【０２８６】
よって、熱交換エレメント３２の第１の流路３２ａを通った外気ＯＡは温度が下がり、第２の流路３２ｂを通った還気ＲＡは温度が上がる。
【０２８７】
これにより、除湿ユニット３３の除湿流路３５ａを通ることで除湿され且つ加熱された外気ＯＡは、熱交換エレメント３２の第１の流路３２ａを通ることで、湿度は変化せず温度が下がる。
【０２８８】
上述したように、間接気化エレメント１１では、ワーキングエアＷＡが水の気化熱で冷却され、プロダクトエアＰＡはワーキングエアＷＡの冷熱を受けて冷却されるので、プロダクトエア流路１１ｂを通った外気ＯＡは、湿度（絶対湿度）は変化せずに温度は下がる。
【０２８９】
よって、間接気化エレメント１１のプロダクトエア流路１１ｂを通過した外気ＯＡを、給気吹出口６から給気ＳＡとして吹き出すことで、室内の温度を下げることができる。
【０２９０】
ここで、間接気化エレメント１１のプロダクトエア流路１１ｂを通る外気ＯＡは、前段の除湿ユニット３３で湿度が下げられている。更に、熱交換ユニット３１で温度が下げられている。これにより、図５及び図７で説明したように、プロダクトエアＰＡの入力湿度及び入力温度が低いと、プロダクトエアＰＡの出口温度が下がるので、間接気化冷却ユニット４の前段に除湿ユニット３３及び熱交換ユニット３１を配置して、プロダクトエアＰＡの入力湿度及び入力温度を下げることで、効率的にプロダクトエアＰＡの出口温度を下げて、給気温度を制御することができる。
【０２９１】
また、夏場に換気装置１Ｊを使用することで、室内の温度が下げられる。よって、還気ＲＡの温度も低い。図５で説明したように、ワーキングエアＷＡの入力温度が低いと、プロダクトエアＰＡの出口温度が下がるので、還気ＲＡをワーキングエアＷＡとして利用することで、効率的にプロダクトエアＰＡの出口温度を下げて、給気温度を制御することができる。
【０２９２】
なお、間接気化エレメント１１のワーキングエア流路１１ａを通った還気ＲＡ及び熱交換エレメント３２の第２の流路３２ｂと除湿ユニット３３の再生流路３５ｂを通った還気ＲＡは高湿度のエアとなるので、排気吹出口８から排気ＥＡとして排出する。
【０２９３】
換気装置１Ｊでは、給気流量調整ダンパ１４の開度によって、間接気化エレメント１１のプロダクトエア流路１１ｂを通るプロダクトエアＰＡの流量が調整される。また、排気流量調整ダンパ１５の開度によって、間接気化エレメント１１のワーキングエア流路１１ａを通るワーキングエアＷＡの流量が調整される。
【０２９４】
これにより、除湿ユニット３３と熱交換ユニット３１を備えた換気装置１Ｊでも、給気流量調整ダンパ１４と排気流量調整ダンパ１５の何れかを作動させて、プロダクトエアＰＡの流量かワーキングエアＷＡの流量を調整することで、図３及び図４で説明したように、間接気化エレメント１１におけるプロダクトエアＰＡの出口温度が制御される。よって、給気吹出口６からの給気温度が制御される。
【０２９５】
例えば、ワーキングエアＷＡの流量を増加させると、間接気化エレメント１１におけるプロダクトエアＰＡの出口温度が低下することで、給気吹出口６からの給気温度を下げることができる。
【０２９６】
また、ワーキングエアＷＡの流量を減少させると、間接気化エレメント１１におけるプロダクトエアＰＡの出口温度が上昇することで、給気吹出口６からの給気温度を上げることができる。
【０２９７】
なお、プロダクトエアＰＡとワーキングエアＷＡの何れか一方の流量を調整することで、給気温度を制御できるので、給気流量調整ダンパ１４と排気流量調整ダンパ１５の何れか一方を備える構成でも良い。
【０２９８】
また、給気流量調整ダンパ１４と排気流量調整ダンパ１５の双方を作動させて、プロダクトエアＰＡの流量及びワーキングエアＷＡの流量を調整することで、間接気化エレメント１１におけるプロダクトエアＰＡの出口温度が制御され、給気吹出口６からの給気温度が制御される。
【０２９９】
更に、給気ファン２の回転数を変化させ風量を制御することでも、プロダクトエアＰＡの流量が調整可能で、同様に、排気ファン３の回転数を変化させ風量を制御することでも、ワーキングエアＷＡの流量が調整可能である。
【０３００】
よって、給気ファン２と排気ファン３の何れか、あるいは給気ファン２と排気ファン３の双方の風量を制御することで、間接気化エレメント１１におけるプロダクトエアＰＡの出口温度が制御され、給気吹出口６からの給気温度が制御される。
【０３０１】
また、給気流量調整ダンパ１４と排気流量調整ダンパ１５の少なくとも一方の開度の制御と、給気ファン２と排気ファン３の少なくとも一方の風量の制御を組み合わせても、間接気化エレメント１１におけるプロダクトエアＰＡの出口温度が制御され、給気吹出口６からの給気温度が制御される。
【０３０２】
換気装置１Ｊは、除湿ユニット３３と熱交換ユニット３１を備え、除湿ユニット３３で除湿され、熱交換ユニット４で冷却された外気ＯＡと室内の冷却された還気ＲＡを間接気化冷却ユニット４で利用することで、冷却能力が向上する。また、還気ＲＡを利用することで、室内のエアを屋外に排気しながら、外気を冷却して取り入れることができ、換気装置１Ｊは換気を行いながら冷房を行う機能を有することになる。
【０３０３】
そして、還気ＲＡの流量と、給気ＳＡの流量を調整することで、所定時間で部屋の空気を入れ替えるような換気動作が可能である。このため、換気装置１Ｊでは、ワーキングエアＷＡの流量やプロダクトエアＰＡの流量で温度制御を行うため、所望の冷却温度が得られ、かつ、所定の換気量が確保できるように、換気動作と冷却動作を連動させる制御が行われる。
【０３０４】
＜第１１の実施の形態の換気装置１Ｋの構成＞
図１７は第１１の実施の形態の換気装置１Ｋの一例を示す構成図である。第１１の実施の形態の換気装置１Ｋは、除湿ユニット３３及び熱交換ユニット３１を備えた換気装置１Ｋにおいて、間接気化冷却ユニット４を構成する間接気化エレメント１１のワーキングエアＷＡに外気ＯＡを使用するものである。なお、第１１の実施の形態の換気装置１Ｋにおいて、第１０の実施の形態の換気装置１Ｊと同じ構成要素については、同じ番号を付して説明する。
【０３０５】
換気装置１Ｋは、外気吸込口５から給気ファン２、除湿ユニット３３の除湿流路３５ａ、熱交換エレメント３２の第１の流路３２ａ及び間接気化エレメント１１のプロダクトエア流路１１ｂを通り、給気吹出口６へ連通する給気流路９Ｋを備える。
【０３０６】
また、換気装置１Ｋは、熱交換ユニット３１より下流側で給気流路９Ｋと分岐し、間接気化エレメント１１のワーキングエア流路１１ａ及び排気ファン３を通り、排気吹出口８へ連通する第１の排気流路１０Ｒと、還気吸込口７から熱交換エレメント３２の第２の流路３２ｂ、除湿ユニット３３の再生流路３５ｂ及び排気ファン３を通り、排気吹出口８へ連通した第２の排気流路１０Ｓを備える。
【０３０７】
給気流路９Ｋは、例えば除湿ユニット３３の上流側に給気流量調整ダンパ１４を備える。また、第１の排気流路１０Ｒは、給気流路９Ｋとの分岐位置より下流側で、例えば間接気化冷却ユニット４の上流側に排気流量調整ダンパ１５を備える。
【０３０８】
給気流量調整ダンパ１４の開度を調整することで、給気流路９Ｋを流れるエアの流量が調整される。これにより、間接気化エレメント１１のプロダクトエア流路１１ｂを流れるプロダクトエアＰＡの流量が調整される。
【０３０９】
また、排気流量調整ダンパ１５の開度を調整することで、第１の排気流路１０Ｒを流れるエアの流量が調整される。これにより、間接気化エレメント１１のワーキングエア流路１１ａを流れるワーキングエアＷＡの流量が調整される。
【０３１０】
なお、給気流路９Ｋは、例えば除湿ユニット３３より上流側に空気清浄フィルタ１６を備える。更に、給気流路９Ｋは、給気吹出口６に温度センサ１７を備える。
【０３１１】
＜第１１の実施の形態の換気装置１Ｋの動作＞
次に、図１７等を参照に第１１の実施の形態の換気装置１Ｋの動作について説明する。換気装置１Ｋは、給気ファン２が駆動されると、給気流路９Ｋにおいて給気吹出口６へ向かうエアの流れが生成される。これにより、外気ＯＡが外気吸込口５から吸い込まれ、除湿ユニット３３の除湿流路３５ａ、熱交換エレメント３２の第１の流路３２ａ及び間接気化エレメント１１のプロダクトエア流路１１ｂを通り、給気吹出口６から給気ＳＡとして室内に供給される。
【０３１２】
また、排気ファン３が駆動されると、第１の排気流路１０Ｒ及び第２の排気流路１０Ｓにおいて排気吹出口８へ向かうエアの流れが生成される。これにより、第１の排気流路１０Ｒによって外気ＯＡの一部が間接気化エレメント１１のワーキングエア流路１１ａを通り、排気吹出口８から排気ＥＡとして屋外に排出される。また、第２の排気流路１０Ｓによって、室内からの還気ＲＡが還気吸込口７から吸い込まれ、熱交換エレメント３２の第２の流路３２ｂ及び除湿ユニット３３の再生流路３５ｂを通り、排気吹出口８から排気ＥＡとして屋外に排出される。
【０３１３】
従って、換気装置１Ｋでは、外気ＯＡがプロダクトエアＰＡ及びワーキングエアＷＡとなる。
【０３１４】
除湿ユニット３３では、除湿流路３５ａを通る外気ＯＡが除湿される。但し、除湿ロータ３６が再生流路３５ｂ側ではヒータ３７により加熱された再生空気で加熱されるため、除湿流路３５ａを通った外気ＯＡの温度は上昇する。
【０３１５】
熱交換エレメント３２では、第１の流路３２ａを通る外気ＯＡと、第２の流路３２ｂを通る還気ＲＡの間で熱交換が行われる。夏場に換気装置１Ｋを使用することで、室内の温度が下げられ、還気ＲＡの温度は外気ＯＡの温度よりも低い。
【０３１６】
よって、熱交換エレメント３２の第１の流路３２ａを通った外気ＯＡは温度が下がり、第２の流路３２ｂを通った還気ＲＡは温度が上がる。
【０３１７】
これにより、除湿ユニット３３の除湿流路３５ａを通ることで除湿され且つ加熱された外気ＯＡは、熱交換エレメント３２の第１の流路３２ａを通ることで、湿度は変化せず温度が下がる。
【０３１８】
上述したように、間接気化エレメント１１では、ワーキングエアＷＡが水の気化熱で冷却され、プロダクトエアＰＡはワーキングエアＷＡの冷熱を受けて冷却されるので、プロダクトエア流路１１ｂを通った外気ＯＡは、湿度（絶対湿度）は変化せずに温度は下がる。
【０３１９】
よって、間接気化エレメント１１のプロダクトエア流路１１ｂを通過した外気ＯＡを、給気吹出口６から給気ＳＡとして吹き出すことで、室内の温度を下げることができる。
【０３２０】
ここで、間接気化エレメント１１のプロダクトエア流路１１ｂ及びワーキングエア流路１１ａには共に外気ＯＡが供給され、外気ＯＡは、前段の除湿ユニット３３及び熱交換ユニット３１で湿度と温度が下げられている。これにより、図５及び図７で説明したように、プロダクトエアＰＡ及びワーキングエアＷＡの入力湿度及び入力温度が低いと、プロダクトエアＰＡの出口温度が下がるので、間接気化冷却ユニット４の前段に除湿ユニット３３及び熱交換ユニット３１を配置して、プロダクトエアＰＡ及びワーキングエアＷＡの入力湿度及び入力温度を下げることで、効率的にプロダクトエアＰＡの出口温度を下げて、給気温度を制御することができる。
【０３２１】
なお、間接気化エレメント１１のワーキングエア流路１１ａを通った外気ＯＡ及び熱交換エレメント３２の第２の流路３２ｂと除湿ユニット３３の再生流路３５ｂを通った還気ＲＡは高湿度のエアとなるので、排気吹出口８から排気ＥＡとして排出する。
【０３２２】
換気装置１Ｋでは、第１０の実施の形態の換気装置１Ｊと同様に、給気流量調整ダンパ１４の開度によって、間接気化エレメント１１のプロダクトエア流路１１ｂを通るプロダクトエアＰＡの流量が調整される。また、排気流量調整ダンパ１５の開度によって、間接気化エレメント１１のワーキングエア流路１１ａを通るワーキングエアＷＡの流量が調整される。
【０３２３】
これにより、給気流量調整ダンパ１４と排気流量調整ダンパ１５の何れか、あるいは双方を作動させて、プロダクトエアＰＡの流量かワーキングエアＷＡの流量あるいは双方の流量を調整することで、図３及び図４で説明したように、間接気化エレメント１１におけるプロダクトエアＰＡの出口温度が制御される。よって、給気吹出口６からの給気温度が制御される。
【０３２４】
更に、給気ファン２の回転数を変化させ風量を制御することでも、プロダクトエアＰＡの流量が調整可能で、同様に、排気ファン３の回転数を変化させ風量を制御することでも、ワーキングエアＷＡの流量が調整可能である。
【０３２５】
よって、給気ファン２と排気ファン３の何れか、あるいは給気ファン２と排気ファン３の双方の風量を制御することで、間接気化エレメント１１におけるプロダクトエアＰＡの出口温度が制御され、給気吹出口６からの給気温度が制御される。
【０３２６】
また、給気流量調整ダンパ１４と排気流量調整ダンパ１５の少なくとも一方の開度の制御と、給気ファン２と排気ファン３の少なくとも一方の風量の制御を組み合わせても、間接気化エレメント１１におけるプロダクトエアＰＡの出口温度が制御され、給気吹出口６からの給気温度が制御される。
【０３２７】
換気装置１Ｋは、除湿ユニット３３と熱交換ユニット３１を備え、除湿ユニット３３で除湿され、熱交換ユニット４で冷却された外気ＯＡを間接気化冷却ユニット４で利用することで、冷却能力が向上する。また、還気ＲＡを除湿ユニット３３と熱交換ユニット３１で利用することで、室内のエアを屋外に排気しながら、外気を冷却して取り入れることができ、換気装置１Ｋは換気を行いながら冷房を行う機能を有することになる。
【０３２８】
そして、還気ＲＡの流量と、給気ＳＡの流量を調整することで、所定時間で部屋の空気を入れ替えるような換気動作が可能である。このため、換気装置１Ｋでは、ワーキングエアＷＡの流量やプロダクトエアＰＡの流量で温度制御を行うため、所望の冷却温度が得られ、かつ、所定の換気量が確保できるように、換気動作と冷却動作を連動させる制御が行われる。
【０３２９】
＜第１２の実施の形態の換気装置１Ｌの構成＞
図１８は第１２の実施の形態の換気装置１Ｌの一例を示す構成図である。第１２の実施の形態の換気装置１Ｌは、除湿ユニット３３及び熱交換ユニット３１を備えた換気装置１Ｌにおいて、間接気化冷却ユニット４をバイパスする給気流路を備えるものである。なお、第１２の実施の形態の換気装置１Ｌにおいて、第１０の実施の形態の換気装置１Ｊと同じ構成要素については、同じ番号を付して説明する。
【０３３０】
換気装置１Ｌは、外気吸込口５から給気ファン２、除湿ユニット３３の除湿流路３５ａ、熱交換エレメント３２の第１の流路３２ａ及び間接気化エレメント１１のプロダクトエア流路１１ｂを通り、給気吹出口６へ連通する給気流路９Ｌを備える。第１の排気流路１０Ｐ及び第２の排気流路１０Ｑは、第１０の実施の形態の換気装置１Ｊと同じ構成である。
【０３３１】
また、換気装置１Ｌは、間接気化冷却ユニット４より上流側で給気流路９Ｌから分岐し、間接気化冷却ユニット４をバイパスして給気吹出口６へ連通したバイパス流路１０Ｔを備える。
【０３３２】
バイパス流路１０Ｔは、給気流量調整ダンパ１８を備える。給気流量調整ダンパ１８の開度を調整することで、バイパス流路１０Ｔを流れるエアの流量が調整される。これにより、間接気化冷却ユニット４をバイパスして給気吹出口６へ供給されるエアの流量が調整される。
【０３３３】
なお、給気流路９Ｌは、例えば除湿ユニット３３より上流側に空気清浄フィルタ１６を備える。
【０３３４】
＜第１２の実施の形態の換気装置１Ｌの動作＞
次に、図１８等を参照に第１２の実施の形態の換気装置１Ｌの動作について説明する。換気装置１Ｌは、給気ファン２が駆動されると、給気流路９Ｌにおいて給気吹出口６へ向かうエアの流れが生成される。これにより、外気ＯＡが外気吸込口５から吸い込まれ、除湿ユニット３３の除湿流路３５ａ、熱交換エレメント３２の第１の流路３２ａ及び間接気化エレメント１１のプロダクトエア流路１１ｂを通り、給気吹出口６から給気ＳＡとして室内に供給される。
【０３３５】
また、排気ファン３が駆動されると、第１の排気流路１０Ｐ及び第２の排気流路１０Ｑにおいて排気吹出口８へ向かうエアの流れが生成される。これにより、室内からの還気ＲＡが還気吸込口７から吸い込まれ、間接気化エレメント１１のワーキングエア流路１１ａを通り、排気吹出口８から排気ＥＡとして屋外に排出される。また、還気ＲＡの一部は、熱交換エレメント３２の第２の流路３２ｂ及び除湿ユニット３３の再生流路３５ａを通り、排気吹出口８から排気ＥＡとして屋外に排出される。
【０３３６】
従って、換気装置１Ｌでは、外気ＯＡがプロダクトエアＰＡとなり、還気ＲＡがワーキングエアＷＡとなる。
【０３３７】
除湿ユニット３３では、除湿流路３５ａを通る外気ＯＡが除湿される。但し、除湿ロータ３６が再生流路３５ｂ側ではヒータ３７により加熱された再生空気で加熱されるため、除湿流路３５ａを通った外気ＯＡの温度は上昇する。
【０３３８】
熱交換エレメント３２では、第１の流路３２ａを通る外気ＯＡと、第２の流路３２ｂを通る還気ＲＡの間で熱交換が行われる。夏場に換気装置１Ｌを使用することで、室内の温度が下げられ、還気ＲＡの温度は外気ＯＡの温度よりも低い。
【０３３９】
よって、熱交換エレメント３２の第１の流路３２ａを通った外気ＯＡは温度が下がり、第２の流路３２ｂを通った還気ＲＡは温度が上がる。
【０３４０】
これにより、除湿ユニット３３の除湿流路３５ａを通ることで除湿され且つ加熱された外気ＯＡは、熱交換エレメント３２の第１の流路３２ａを通ることで、湿度は変化せず温度が下がる。
【０３４１】
上述したように、間接気化エレメント１１では、ワーキングエアＷＡが水の気化熱で冷却され、プロダクトエアＰＡはワーキングエアＷＡの冷熱を受けて冷却されるので、プロダクトエア流路１１ｂを通った外気ＯＡは、湿度（絶対湿度）は変化せずに温度は下がる。
【０３４２】
よって、間接気化エレメント１１のプロダクトエア流路１１ｂを通過した外気ＯＡを、給気吹出口６から給気ＳＡとして吹き出すことで、室内の温度を下げることができる。
【０３４３】
ここで、間接気化エレメント１１のプロダクトエア流路１１ｂを通る外気ＯＡは、前段の除湿ユニット３３及び熱交換ユニット３１で湿度及び温度が下げられている。これにより、図５及び図７で説明したように、プロダクトエアＰＡの入力湿度及び入力温度が低いと、プロダクトエアＰＡの出口温度が下がるので、間接気化冷却ユニット４の前段に除湿ユニット３３及び熱交換ユニット３１を配置して、プロダクトエアＰＡの入力湿度及び入力温度を下げることで、効率的にプロダクトエアＰＡの出口温度を下げて、給気温度を制御することができる。
【０３４４】
また、夏場に換気装置１Ｌを使用することで、室内の温度が下げられる。よって、還気ＲＡの温度も低い。図５で説明したように、ワーキングエアＷＡの入力温度が低いと、プロダクトエアＰＡの出口温度が下がるので、還気ＲＡをワーキングエアＷＡとして利用することで、効率的にプロダクトエアＰＡの出口温度を下げて、給気温度を制御することができる。
【０３４５】
換気装置１Ｌでは、給気流量調整ダンパ１８の開度を調整することで、バイパス流路１０Ｔを流れるエアの流量が調整される。
【０３４６】
これにより、間接気化冷却ユニット４をバイパスして給気吹出口６へ供給されるエアの流量が調整される。
【０３４７】
よって、給気流量調整ダンパ１８を作動させて、バイパス流路１０Ｔを流れるエアの流量を調整することで、間接気化冷却ユニット４を通り冷却されたエアと、間接気化冷却ユニット４をバイパスして冷却されていないエアの混合比率が制御され、給気吹出口６からの給気温度が制御される。
【０３４８】
なお、間接気化冷却ユニット４をバイパスしたエア（外気ＯＡ）は、除湿ユニット３３で除湿され、熱交換ユニット３１で冷却されているので、給気ＳＡの湿度が上がることはない。
【０３４９】
換気装置１Ｌは、除湿ユニット３３と熱交換ユニット３１を備え、除湿ユニット３３で除湿され、熱交換ユニット４で冷却された外気ＯＡと室内の冷却された還気ＲＡを間接気化冷却ユニット４で利用することで、冷却能力が向上する。また、還気ＲＡを利用することで、室内のエアを屋外に排気しながら、外気を冷却して取り入れることができ、換気装置１Ｌは換気を行いながら冷房を行う機能を有することになる。
【０３５０】
そして、還気ＲＡの流量と、給気ＳＡの流量を調整することで、所定時間で部屋の空気を入れ替えるような換気動作が可能である。このため、換気装置１Ｌでは、ワーキングエアＷＡの流量やプロダクトエアＰＡの流量で温度制御を行うため、所望の冷却温度が得られ、かつ、所定の換気量が確保できるように、換気動作と冷却動作を連動させる制御が行われる。
【０３５１】
＜各実施の形態の換気装置の変形例＞
上述した各実施の形態の換気装置１では、給気流量調整ダンパ１４及び排気流量調整ダンパ１５を間接気化冷却ユニット４の上流側に配置した例で説明したが、間接気化冷却ユニット４の下流側に配置しても良い。
【０３５２】
また、還気ＲＡの一部を給気側に利用するため、還気ＲＡを外気吸込口５と連通させても良い。上述したように、還気ＲＡは夏場は空気調和され冷却されているので、還気ＲＡの一部を給気として利用することで、間接気化冷却ユニット４においてプロダクトエアＰＡ等の入力温度更には入力湿度が下がり、冷却能力が向上する。
【０３５３】
更に、空気清浄フィルタ１６の他に、空気清浄装置としてイオン発生器やオゾン発生器を備えても良い。例えば、イオン発生器は、正イオンと負イオンを発生し、略同数の正イオンと負イオンを供給すると共に、負イオンのみ又は負イオンを正イオンより多く供給する機能を備える。
【０３５４】
このようなイオン発生器を給気吹出口６に備えると、略同数の正イオンと負イオンを含む給気ＳＡが居室等に供給され、カビ等の発生を防いで除菌することができる。なお、負イオンを供給すると、リラックス効果を得ることができる。
【０３５５】
また、イオン発生器を間接気化ユニット４の上流側等、給気流路９の上流側に配置することで、居室だけでなく、装置内の除菌を行うことができる。
【０３５６】
更に、間接気化冷却ユニット４と給気ファン２、排気ファン３、熱交換ユニット３１及び除湿ユニット３３はそれぞれが同一筐体内に無くても良く、また、ファンは他の機器のファンと兼用しても良い。
【０３５７】
＜熱交換ユニットを備えた換気装置の変形例＞
上述した第４〜第６の実施の形態の換気装置と、第１０〜第１２の実施の形態の換気装置では、熱交換ユニット３１として、顕熱（温度）交換を行う熱交換エレメント３２を備えた構成としたが、顕熱交換に加えて潜熱（湿度）交換を行ういわゆる全熱交換エレメントを備えた構成としても良い。
【０３５８】
外気ＯＡと還気ＲＡの間で全熱交換を行う場合、夏場は還気ＲＡの温度及び湿度が外気ＯＡの温度及び湿度よりも低いので、外気ＯＡは温度及び湿度が下がり、還気ＲＡは温度及び湿度が上がる。
【０３５９】
第４の実施の形態の換気装置１Ｄ及び第１０の実施の形態の換気装置１Ｊ等のように、熱交換ユニット３１で冷却した外気ＯＡを間接気化エレメント１１のプロダクトエアＰＡとして利用する構成では、全熱交換エレメントを利用することで、プロダクトエアＰＡの入力温度及び入力湿度を下げることができ、効率的にプロダクトエアＰＡの出口温度を下げて、給気ＳＡの温度を制御することができ、冷却能力が向上する。
【０３６０】
また、第５の実施の形態の換気装置１Ｅ及び第１１の実施の形態の換気装置１Ｋ等のように、熱交換ユニット３１で冷却した外気ＯＡを間接気化エレメント１１のプロダクトエアＰＡ及びワーキングエアＷＡとして利用する構成では、全熱交換エレメントを利用することで、プロダクトエアＰＡ及びワーキングエアＷＡの双方の入力温度及び入力湿度を下げることができ、より効率的にプロダクトエアＰＡの出口温度を下げて、給気ＳＡの温度を制御することができ、冷却能力が向上する。
【０３６１】
＜除湿ユニットを備えた換気装置の変形例＞
上述した第７〜第１２の実施の形態で説明した除湿ユニット３３を備えた換気装置では、除湿ロータ３６の回転速度を制御することで、除湿ユニット３３を通ったエアの湿度を制御できる。
【０３６２】
図１９は除湿ロータ３６の回転速度とプロダクトエアＰＡの出口温度の関係を示すグラフである。図１９に示すように、除湿ロータ３６の回転速度が高くなると、除湿量が増加することが判る。これにより、除湿ロータ３６の回転速度を変化させることで、除湿ユニット３３から出力されるエアの湿度が制御される。
【０３６３】
図７で説明したように、熱交換エレメント１１において、プロダクトエアＰＡ及びワーキングエアＷＡの入力湿度が低下すると、プロダクトエアＰＡの出口温度が下がる。
【０３６４】
第７の実施の形態の換気装置１Ｇ及び第１０の実施の形態の換気装置１Ｊ等のように、除湿ユニット３３で除湿した外気ＯＡを間接気化エレメント１１のプロダクトエアＰＡとして利用する構成では、除湿ロータ３６の回転速度を制御する速度制御手段を備えることで、プロダクトエアＰＡの入力湿度を制御できる。
【０３６５】
例えば、除湿ロータ３６の回転速度を高くすると、プロダクトエアＰＡの入力湿度が下がるので、図７で説明したように、プロダクトエアＰＡの出口温度を下げることができる。よって、給気ＳＡの温度を下げることができる。また、除湿ロータ３６の回転速度を低くすると、プロダクトエアＰＡの入力湿度が上がるので、プロダクトエアＰＡの出口温度を上げることができる。よって、給気ＳＡの温度を上げることができる。
【０３６６】
また、第８の実施の形態の換気装置１Ｈ及び第１１の実施の形態の換気装置１Ｋ等のように、除湿ユニット３３で除湿した外気ＯＡを間接気化エレメント１１のプロダクトエアＰＡ及びワーキングエアＷＡとして利用する構成では、除湿ロータ３６の回転速度を制御することで、プロダクトエアＰＡ及びワーキングエアＷＡの入力湿度を制御できる。
【０３６７】
プロダクトエアＰＡ及びワーキングエアＷＡの双方の入力湿度を制御できることで、より効率的にプロダクトエアの出口温度を制御できる。
【０３６８】
また、還気流量や給気流量を変化させずに温度制御を行って、所定時間で部屋の空気を入れ替えるための換気量を確保することができる。
【０３６９】
なお、除湿ロータ３６の回転制御による給気温度の制御と、ダンパ等による流量制御による給気温度の制御を組み合わせても良い。
【０３７０】
また、除湿ロータ３６の再生用のヒータ３７の温度調整によって除湿ロータ３６の除湿量を制御する除湿制御手段を備えて、間接気化冷却ユニット４へ供給されるエアの湿度を制御するようにしても良い。
【０３７１】
＜換気装置の他の変形例＞
図２０は第１３の実施の形態の換気装置１Ｍの一例を示す構成図である。ここで、第１３の実施の形態の換気装置１Ｍにおいて、第１の実施の形態の換気装置１Ａと同じ構成要素については、同じ番号を付して説明する。
【０３７２】
換気装置１Ｍは、給気ファン２と間接気化冷却ユニット４を備え、外気吸込口５から給気ファン２及び間接気化冷却ユニット４を構成する間接気化エレメント１１のプロダクトエア流路１１ｂを通り、給気吹出口６へ連通する給気流路９Ｍを備える。
【０３７３】
また、換気装置１Ｍは、給気ファン２より下流側で給気流路９Ｍと分岐し、間接気化エレメント１１のワーキングエア流路１１ａを通り、排気吹出口８へ連通する排気流路１０Ｕを備える。
【０３７４】
給気流路９Ｍは、排気流路１０Ｕとの分岐位置より下流側で、例えば間接気化冷却ユニット４の上流側に給気流量調整ダンパ１４を備える。また、排気流路１０Ｕは、給気流路９Ｍとの分岐位置より下流側で、例えば間接気化冷却ユニット４の上流側に排気流量調整ダンパ１５を備える。
【０３７５】
給気流量調整ダンパ１４の開度を調整することで、給気流路９Ｍを流れるエアの流量が調整される。これにより、間接気化エレメント１１のプロダクトエア流路１１ｂを流れるプロダクトエアＰＡの流量が調整される。
【０３７６】
また、排気流量調整ダンパ１５の開度を調整することで、排気流路１０Ｕを流れるエアの流量が調整される。これにより、間接気化エレメント１１のワーキングエア流路１１ａを流れるワーキングエアＷＡの流量が調整される。
【０３７７】
次に、第１３の実施の形態の換気装置１Ｍの動作について説明する。換気装置１Ｍは、給気ファン２が駆動されると、給気流路９Ｍにおいて給気吹出口６へ向かうエアの流れが生成される。これにより、外気ＯＡが外気吸込口５から吸い込まれ、間接気化エレメント１１のプロダクトエア流路１１ｂを通り、給気吹出口６から給気ＳＡとして室内に供給される。
【０３７８】
また、給気ファン２が駆動されると、給気流路９Ｍから分岐した排気流路１０Ｕにおいて排気吹出口８へ向かうエアの流れが生成される。これにより、外気ＯＡの一部が間接気化エレメント１１のワーキングエア流路１１ａを通り、排気吹出口８から排気ＥＡとして屋外に排出される。
【０３７９】
従って、換気装置１Ｍでは、外気ＯＡがプロダクトエアＰＡ及びワーキングエアＷＡとなる。
【０３８０】
上述したしたように、間接気化エレメント１１では、ワーキングエアＷＡが水の気化熱で冷却され、プロダクトエアＰＡはワーキングエアＷＡの冷熱を受けて冷却されるので、プロダクトエア流路１１ｂを通った外気ＯＡは、湿度（絶対湿度）は変化せずに温度は下がる。
【０３８１】
よって、間接気化エレメント１１のプロダクトエア流路１１ｂを通過した外気ＯＡを、給気吹出口６から給気ＳＡとして吹き出すことで、室内の温度を下げることができる。
【０３８２】
換気装置１Ｍでは、給気流量調整ダンパ１４の開度によって、間接気化エレメント１１のプロダクトエア流路１１ｂを通るプロダクトエアＰＡの流量が調整される。また、排気流量調整ダンパ１５の開度によって、間接気化エレメント１１のワーキングエア流路１１ａを通るワーキングエアＷＡの流量が調整される。
【０３８３】
これにより、給気流量調整ダンパ１４と排気流量調整ダンパ１５の何れか、あるいは双方を作動させて、プロダクトエアＰＡの流量かワーキングエアＷＡの流量あるいは双方の流量を調整することで、図３及び図４で説明したように、間接気化エレメント１１におけるプロダクトエアＰＡの出口温度が制御される。よって、給気吹出口６からの給気温度が制御される。
【０３８４】
更に、給気ファン２の回転数を変化させ風量を制御することでも、プロダクトエアＰＡ及びワーキングエアＷＡの流量が調整可能である。
【０３８５】
よって、給気流量調整ダンパ１４と排気流量調整ダンパ１５の少なくとも一方の開度の制御と、給気ファン２の風量の制御を組み合わせて、間接気化エレメント１１におけるプロダクトエアＰＡの出口温度が制御され、給気吹出口６からの給気温度が制御される。
【０３８６】
換気装置１Ｍは、単体では換気の機能を有さないが、給気及び空調の機能を有するので、簡単な構成の他の排気装置との組み合わせで、２４時間換気装置を構成できる。
【０３８７】
すなわち、建物に排気装置が既存である場合は、これを利用して安価に２４時間換気と空調が可能な空調システムを構築できる。
【０３８８】
図２１は第１４の実施の形態の換気装置１Ｎの一例を示す構成図である。ここで、第１４の実施の形態の換気装置１Ｎにおいて、第１の実施の形態の換気装置１Ａと同じ構成要素については、同じ番号を付して説明する。
【０３８９】
換気装置１Ｎは、排気ファン３と間接気化冷却ユニット４を備え、還気吸込口７から間接気化冷却ユニット４を構成する間接気化エレメント１１のプロダクトエア流路１１ｂを通り、給気吹出口６へ連通する給気流路９Ｎを備える。
【０３９０】
また、換気装置１Ｎは、還気吸込口７から間接気化エレメント１１のワーキングエア流路１１ａ及び排気ファン３を通り、排気吹出口８へ連通する排気流路１０Ｖを備える。
【０３９１】
給気流路９Ｎは、例えば間接気化冷却ユニット４の上流側に給気流量調整ダンパ１４を備える。また、排気流路１０Ｖは、例えば間接気化冷却ユニット４の上流側に排気流量調整ダンパ１５を備える。
【０３９２】
給気流量調整ダンパ１４の開度を調整することで、給気流路９Ｎを流れるエアの流量が調整される。これにより、間接気化エレメント１１のプロダクトエア流路１１ｂを流れるプロダクトエアＰＡの流量が調整される。
【０３９３】
また、排気流量調整ダンパ１５の開度を調整することで、排気流路１０Ｖを流れるエアの流量が調整される。これにより、間接気化エレメント１１のワーキングエア流路１１ａを流れるワーキングエアＷＡの流量が調整される。
【０３９４】
換気装置１Ｎは、給気吹出口６に図示しないダクト等を介して給気装置４１等が接続される。給気装置４１は、例えば、外気や建物内の空気を吸い込み、室内に給気する装置で、給気装置４１の吸込口４１ａに換気装置１Ｎの給気噴出口６が接続される。
【０３９５】
次に、第１４の実施の形態の換気装置１Ｎの動作について説明する。換気装置１Ｎは、給気装置４１が駆動されると、給気流路９Ｎにおいて給気吹出口６へ向かうエアの流れが生成される。これにより、還気ＲＡが還気吸込口７から吸い込まれ、間接気化エレメント１１のプロダクトエア流路１１ｂを通り、給気吹出口６から給気装置４１を介して給気ＳＡとして室内に供給される。
【０３９６】
また、排気ファン３が駆動されると、排気流路１０Ｖにおいて排気吹出口８へ向かうエアの流れが生成される。これにより、還気ＲＡが間接気化エレメント１１のワーキングエア流路１１ａを通り、排気吹出口８から排気ＥＡとして屋外に排出される。
【０３９７】
従って、換気装置１Ｎでは、還気ＲＡがプロダクトエアＰＡ及びワーキングエアＷＡとなる。
【０３９８】
上述したしたように、間接気化エレメント１１では、ワーキングエアＷＡが水の気化熱で冷却され、プロダクトエアＰＡはワーキングエアＷＡの冷熱を受けて冷却されるので、プロダクトエア流路１１ｂを通った還気ＲＡは、湿度（絶対湿度）は変化せずに温度は下がる。
【０３９９】
よって、間接気化エレメント１１のプロダクトエア流路１１ｂを通過した還気ＲＡを、給気吹出口６から給気ＳＡとして吹き出すことで、室内の温度を下げることができる。
【０４００】
換気装置１Ｎでは、給気流量調整ダンパ１４の開度によって、間接気化エレメント１１のプロダクトエア流路１１ｂを通るプロダクトエアＰＡの流量が調整される。また、排気流量調整ダンパ１５の開度によって、間接気化エレメント１１のワーキングエア流路１１ａを通るワーキングエアＷＡの流量が調整される。
【０４０１】
これにより、給気流量調整ダンパ１４と排気流量調整ダンパ１５の何れか、あるいは双方を作動させて、プロダクトエアＰＡの流量かワーキングエアＷＡの流量あるいは双方の流量を調整することで、図３及び図４で説明したように、間接気化エレメント１１におけるプロダクトエアＰＡの出口温度が制御される。よって、給気吹出口６からの給気温度が制御される。
【０４０２】
更に、排気ファン３の回転数を変化させ風量を制御することでも、ワーキングエアＷＡの流量が調整可能である。
【０４０３】
よって、給気流量調整ダンパ１４と排気流量調整ダンパ１５の少なくとも一方の開度の制御と、排気ファン３の風量の制御を組み合わせて、間接気化エレメント１１におけるプロダクトエアＰＡの出口温度が制御され、給気吹出口６からの給気温度が制御される。
【０４０４】
換気装置１Ｎは、簡単な構成の給気装置４１との組み合わせで、２４時間換気装置を構成できる。すなわち、建物に給気装置が既存である場合は、これを利用して安価に２４時間換気と空調が可能な空調システムを構築できる。
【０４０５】
図２２は第１５の実施の形態の換気装置１Ｐの一例を示す構成図である。ここで、第１５の実施の形態の換気装置１Ｐにおいて、第４の実施の形態の換気装置１Ｄと同じ構成要素については、同じ番号を付して説明する。
【０４０６】
換気装置１Ｐは、熱交換ユニット３１と間接気化冷却ユニット４を備え、外気吸込口５から熱交換ユニット３１を構成する熱交換エレメント３２の第１の流路３２ａ及び間接気化冷却ユニット４を構成する間接気化エレメント１１のプロダクトエア流路１１ｂを通り、給気吹出口６へ連通する給気流路９Ｐを備える。
【０４０７】
また、換気装置１Ｐは、還気吸込口７から間接気化エレメント１１のワーキングエア流路１１ａを通り、排気吹出口８へ連通する第１の排気流路１０Ｗと、還気吸込口７から熱交換エレメント３２の第２の流路３２ｂを通り、排気吹出口８へ連通する第２の排気流路１０Ｘを備える。
【０４０８】
換気装置１Ｐは、給気吹出口６に図示しないダクト等を介して給気装置４１等が接続される。また、還気吸込口７に図示しないダクト等を介して排気装置４２等が接続される。排気装置４２は、例えば、建物内の空気を吸い込み、屋外に排気する装置で、排気装置４２の吹出口４２ａに換気装置１Ｐの還気吸込口７が接続される。
【０４０９】
次に、第１５の実施の形態の換気装置１Ｐの動作について説明する。換気装置１Ｐは、給気装置４１が駆動されると、給気流路９Ｐにおいて給気吹出口６へ向かうエアの流れが生成される。これにより、外気ＯＡが外気吸込口５から吸い込まれ、熱交換エレメント３２の第１の流路３２ａ及び間接気化エレメント１１のプロダクトエア流路１１ｂを通り、給気吹出口６から給気装置４１を介して給気ＳＡとして室内に供給される。
【０４１０】
また、排気装置４２が駆動されると、第１の排気流路１０Ｗ及び第２の排気流路１０Ｘにおいて排気吹出口８へ向かうエアの流れが生成される。これにより、還気ＲＡが排気装置４２を介して間接気化エレメント１１のワーキングエア流路１１ａを通り、排気吹出口８から排気ＥＡとして屋外に排出される。また、還気ＲＡの一部が排気装置４２を介して熱交換エレメント３２の第２の流路３２ｂを通り、排気吹出口８から排気ＥＡとして屋外に排出される。
【０４１１】
従って、換気装置１Ｐでは、外気ＯＡがプロダクトエアＰＡとなり、還気ＲＡがワーキングエアＷＡとなる。
【０４１２】
上述したしたように、間接気化エレメント１１では、ワーキングエアＷＡが水の気化熱で冷却され、プロダクトエアＰＡはワーキングエアＷＡの冷熱を受けて冷却されるので、プロダクトエア流路１１ｂを通った外気ＯＡは、湿度（絶対湿度）は変化せずに温度は下がる。
【０４１３】
よって、間接気化エレメント１１のプロダクトエア流路１１ｂを通過した外気ＯＡを、給気吹出口６から給気ＳＡとして吹き出すことで、室内の温度を下げることができる。
【０４１４】
換気装置１Ｐでは、給気装置４１によって、間接気化エレメント１１のプロダクトエア流路１１ｂを通るプロダクトエアＰＡの流量が調整される。また、排気装置４２よって、間接気化エレメント１１のワーキングエア流路１１ａを通るワーキングエアＷＡの流量が調整される。
【０４１５】
これにより、給気装置４１と排気装置４２の何れか、あるいは双方で流量を制御することで、図３及び図４で説明したように、間接気化エレメント１１におけるプロダクトエアＰＡの出口温度が制御される。よって、給気吹出口６からの給気温度が制御される。
【０４１６】
上述したように、建築基準法によって建物の換気が義務付けられたことで、１台で給気と排気が行える換気装置や、排気のみ、あるいは給気のみが行える換気装置（中間ダクトファン等と称される）が建物に取り付けられる。このような他の換気装置と接続することで、換気装置１Ｎのように、ファンとして排気ファン３のみを備える構成や、換気装置１Ｐのように、給気ファンと排気ファンを共に備えない構成とすることも可能で、ファンを搭載しないことで、製品コストを下げることができる。
【０４１７】
＜ワーキングエアを再利用した換気装置の構成例＞
図２３は第１６の実施の形態の換気装置１Ｑの一例を示す構成図である。換気装置１Ｑは、間接気化冷却ユニット４を構成する間接気化エレメント１１のワーキングエアＷＡを、熱交換ユニット３１を通して排気するものである。なお、換気装置の全体構成としては、第４の実施の形態の換気装置１Ｄを例に説明する。
【０４１８】
換気装置１Ｑは給気ファン２と排気ファン３と熱交換ユニット３１と間接気化冷却ユニット４を備え、外気ＯＡを間接気化エレメント１１のプロダクトエアＰＡとして利用し、還気ＲＡをワーキングエアＷＡとして利用する。
【０４１９】
給気流路９Ｄは、給気ファン２から熱交換エレメント３２の第１の流路３２ａ及び間接気化エレメント１１のプロダクトエア流路１１ｂを通り、給気吹出口６へ連通する。
【０４２０】
換気流路１０Ｙは、還気吸込口７から間接気化エレメント１１のワーキングエア流路１１ａ、熱交換エレメント３２の第２の流路３２ｂ及び排気ファン３を通り、排気吹出口８へ連通する。なお、排気流路１０Ｙの破線で示す部分は、給気流路９Ｄ等と独立するように、例えばケースの側壁に沿って形成される。
【０４２１】
給気流路９Ｄは、例えば熱交換ユニット３１の上流側に給気流量調整ダンパ１４を備え、給気流量調整ダンパ１４の開度を調整することで、間接気化エレメント１１のプロダクトエア流路１１ｂを流れるプロダクトエアＰＡの流量が調整される。
【０４２２】
排気流路１０Ｙは、例えば間接気化冷却ユニット４の上流側に排気流量調整ダンパ１５を備え、排気流量調整ダンパ１５の開度を調整することで、間接気化エレメント１１のワーキングエア流路１１ａを流れるワーキングエアＷＡの流量が調整される。
【０４２３】
次に、換気装置１Ｑの動作について説明する。換気装置１Ｑは、給気ファン２が駆動されると、給気流路９Ｄにおいて給気吹出口６へ向かうエアの流れが生成される。これにより、外気ＯＡが外気吸込口５から吸い込まれ、空気清浄フィルタ１６、熱交換エレメント３２の第１の流路３２ａ及び間接気化エレメント１１のプロダクトエア流路１１ｂを通り、給気吹出口６から給気ＳＡとして室内に供給される。
【０４２４】
また、排気ファン３が駆動されると、排気流路１０Ｙにおいて排気吹出口８へ向かうエアの流れが生成される。これにより、室内からの還気ＲＡが還気吸込口７から吸い込まれ、間接気化エレメント１１のワーキングエア流路１１ａ及び熱交換エレメント３２の第２の流路３２ｂを通り、排気吹出口８から排気ＥＡとして屋外に排出される。
【０４２５】
従って、換気装置１Ｑでは、外気ＯＡがプロダクトエアＰＡとなり、還気ＲＡがワーキングエアＷＡとなる。
【０４２６】
上述したように、間接気化エレメント１１では、ワーキングエアＷＡが水の気化熱で冷却され、プロダクトエアＰＡはワーキングエアＷＡの冷熱を受けて冷却されるので、プロダクトエア流路１１ｂを通った外気ＯＡは、湿度（絶対湿度）は変化せずに温度は下がる。また、ワーキングエア流路１１ａを通った還気ＲＡは、湿度は上がるが温度は下がる。
【０４２７】
よって、間接気化エレメント１１のプロダクトエア流路１１ｂを通過した外気ＯＡを、給気吹出口６から給気ＳＡとして吹き出すことで、室内の温度を下げることができる。
【０４２８】
熱交換エレメント３２では、第１の流路３２ａを通る外気ＯＡと、第２の流路３２ｂを通る還気ＲＡの間で熱交換が行われる。還気ＲＡは間接気化エレメント１１のワーキングエア流路１１ａを通ることで温度が下げられ、外気ＯＡの温度よりも低くなっている。
【０４２９】
よって、熱交換エレメント３２の第１の流路３２ａを通った外気ＯＡは温度が下がる。ここで、還気ＲＡは間接気化エレメント１１のワーキングエア流路１１ａを通ることで高湿度となるが、熱交換エレメント３２は顕熱交換を行う熱交換エレメントであるので、外気ＯＡの湿度は変化しない。
【０４３０】
これにより、間接気化エレメント１１のワーキングエア流路１１ａを通過した還気ＲＡを熱交換エレメント３２の第２の流路３２ｂを通すことで、間接気化冷却ユニット４の前段で外気ＯＡを効率的に冷却できる。
【０４３１】
図５で説明したように、プロダクトエアＰＡの入力温度が低いと、プロダクトエアＰＡの出口温度が下がるので、間接気化冷却ユニット４の前段に熱交換ユニット３１を配置すると共に、ワーキングエアＷＡを熱交換ユニット３１を通すことで、プロダクトエアＰＡの入力温度が効率的に下がり、冷却能力が向上する。
【０４３２】
換気装置１Ｑでは、給気流量調整ダンパ１４の開度によって、間接気化エレメント１１のプロダクトエア流路１１ｂを通るプロダクトエアＰＡの流量が調整される。また、排気流量調整ダンパ１５の開度によって、間接気化エレメント１１のワーキングエア流路１１ａを通るワーキングエアＷＡの流量が調整される。
【０４３３】
これにより、給気流量調整ダンパ１４と排気流量調整ダンパ１５の何れか、あるいは双方を作動させて、例えば、ワーキングエアＷＡの流量を増加させると、間接気化エレメント１１におけるプロダクトエアＰＡの出口温度が低下することで、給気吹出口６からの給気温度を下げることができる。
【０４３４】
また、ワーキングエアＷＡの流量を減少させると、間接気化エレメント１１におけるプロダクトエアＰＡの出口温度が上昇することで、給気吹出口６からの給気温度を上げることができる。
【０４３５】
また、給気ファン２と排気ファン３の何れか、あるいは給気ファン２と排気ファン３の双方の風量を制御することで、間接気化エレメント１１におけるプロダクトエアＰＡの出口温度が制御され、給気吹出口６からの給気温度が制御される。
【０４３６】
更に、給気流量調整ダンパ１４と排気流量調整ダンパ１５の少なくとも一方の開度の制御と、給気ファン２と排気ファン３の少なくとも一方の風量の制御を組み合わせても、間接気化エレメント１１におけるプロダクトエアＰＡの出口温度が制御され、給気吹出口６からの給気温度が制御される。
【０４３７】
図２４は第１７の実施の形態の換気装置１Ｒの一例を示す構成図である。換気装置１Ｒは、間接気化冷却ユニット４を構成する間接気化エレメント１１のワーキングエアＷＡを給気ＳＡとして利用するものである。なお、換気装置の全体構成としては、第５の実施の形態の換気装置１Ｅを例に説明する。
【０４３８】
換気装置１Ｒは、給気ファン２と排気ファン３と熱交換ユニット３１と間接気化冷却エレメント４を備え、外気ＯＡを間接気化エレメント１１のプロダクトエアＰＡとワーキングエアＷＡとして利用する。
【０４３９】
第１の給気流路９Ｒは、外気吸込口５から給気ファン２、熱交換エレメント３２の第１の流路３２ａ及び間接気化エレメント１１のプロダクトエア流路１１ｂを通り、給気吹出口６へ連通する。
【０４４０】
第２の給気流路９Ｓは、熱交換ユニット３１より下流側で第１の給気流路９Ｒと分岐し、間接気化エレメント１１のワーキングエア流路１１ａ及び除湿装置４４を通り、給気吹出口６へ連通する。
【０４４１】
排気流路１０Ｈは、還気吸込口７から熱交換エレメント３２の第２の流路３２ｂ及び排気ファン３を通り、排気吹出口８へ連通する。
【０４４２】
除湿装置４４は透過膜フィルタ等を備えて水と空気を分離し、第２の給気流路９Ｓを通るエアを除湿する。
【０４４３】
第１の給気流路９Ｒは、例えば熱交換ユニット３１の上流側に給気流量調整ダンパ１４を備え、給気流量調整ダンパ１４の開度を調整することで、間接気化エレメント１１のプロダクトエア流路１１ｂを流れるプロダクトエアＰＡの流量が調整される。
【０４４４】
また、第２の給気流路９Ｓは、例えば間接気化冷却ユニット４の上流側に排気流量調整ダンパ１５を備え、排気流量調整ダンパ１５の開度を調整することで、間接気化エレメント１１のワーキングエア流路１１ａを流れるワーキングエアＷＡの流量が調整される。
【０４４５】
次に、第１７の実施の形態の換気装置１Ｒの動作について説明する。換気装置１Ｒは、給気ファン２が駆動されると、第１の給気流路９Ｒ及び第２の給気流路９Ｓにおいて給気吹出口６へ向かうエアの流れが生成される。これにより、外気ＯＡが外気吸込口５から吸い込まれ、熱交換エレメント３２の第１の流路３２ａ及び間接気化エレメント１１のプロダクトエア流路１１ｂを通り、給気吹出口６から給気ＳＡとして室内に供給される。
【０４４６】
また、熱交換ユニット３１を通過した外気ＯＡの一部は、間接気化エレメント１１のワーキングエア流路１１ａ及び除湿装置４４を通り、給気吹出口６から給気ＳＡとして室内に供給される。
【０４４７】
更に、排気ファン３が駆動されると、排気流路１０Ｈにおいて排気吹出口８へ向かうエアの流れが生成される。これにより、室内からの還気ＲＡが還気吸込口７から吸い込まれ、熱交換エレメント３２の第２の流路３２ｂを通り、排気吹出口８から排気ＥＡとして屋外に排出される。
【０４４８】
従って、換気装置１Ｒでは、外気ＯＡがプロダクトエアＰＡ及びワーキングエアＷＡとなる。
【０４４９】
熱交換エレメント３２では、第１の流路３２ａを通る外気ＯＡと、第２の流路３２ｂを通る還気ＲＡの間で熱交換が行われる。夏場に換気装置１Ｒを使用することで、室内の温度が下げられ、還気ＲＡの温度は外気ＯＡの温度よりも低い。
【０４５０】
よって、熱交換エレメント３２の第１の流路３２ａを通った外気ＯＡは温度が下がり、第２の流路３２ｂを通った還気ＲＡは温度が上がる。
【０４５１】
上述したように、間接気化エレメント１１では、ワーキングエアＷＡが水の気化熱で冷却され、プロダクトエアＰＡはワーキングエアＷＡの冷熱を受けて冷却されるので、プロダクトエア流路１１ｂを通った外気ＯＡは、湿度（絶対湿度）は変化せずに温度は下がる。また、ワーキングエア流路１１ａを通った外気ＯＡは湿度は上がるが温度は下がる。
【０４５２】
よって、間接気化エレメント１１のプロダクトエア流路１１ｂを通過した外気ＯＡを、給気吹出口６から給気ＳＡとして吹き出すことで、室内の温度を下げることができる。
【０４５３】
また、間接気化エレメント１１のワーキングエア流路１１ａを通過した外気ＯＡは、高湿度となるが、除湿装置４４を通して除湿することで、給気ＳＡとして利用可能となり、プロダクトエア流路１１ｂを通過した外気ＯＡと共に給気吹出口６から給気ＳＡとして吹き出すことで、室内の温度を湿度を上げることなく下げることができる。
【０４５４】
ここで、間接気化エレメント１１のプロダクトエア流路１１ｂ及びワーキングエア流路１１ａには共に外気ＯＡが供給され、外気ＯＡは、前段の熱交換ユニット３１で温度が下げられている。これにより、効率的にプロダクトエアＰＡの出口温度を下げて、給気温度を制御することができる。更に、冷却されたワーキングエアＷＡを除湿して給気ＳＡとして利用することで、冷却能力が向上する。
【０４５５】
換気装置１Ｒでは、給気流量調整ダンパ１４の開度によって、間接気化エレメント１１のプロダクトエア流路１１ｂを通るプロダクトエアＰＡの流量が調整される。また、排気流量調整ダンパ１５の開度によって、間接気化エレメント１１のワーキングエア流路１１ａを通るワーキングエアＷＡの流量が調整される。
【０４５６】
これにより、給気流量調整ダンパ１４と排気流量調整ダンパ１５の何れか、或いは双方を作動させて、例えば、ワーキングエアＷＡの流量を増加させると、間接気化エレメント１１におけるプロダクトエアＰＡの出口温度が低下することで、給気吹出口６からの給気温度を下げることができる。
【０４５７】
また、ワーキングエアＷＡの流量を減少させると、間接気化エレメント１１におけるプロダクトエアＰＡの出口温度が上昇することで、給気吹出口６からの給気温度を上げることができる。
【０４５８】
＜除湿ユニットに排熱を利用した換気装置の構成例＞
図２５は第１８の実施の形態の換気装置１Ｓの一例を示す構成図である。換気装置１Ｓは、再生空気の熱源に排熱を利用したものである。なお、換気装置の全体構成としては、第７の実施の形態の換気装置１Ｇを例に説明する。
【０４５９】
換気装置１Ｓは、除湿ユニット３３を備える。除湿ユニット３３は、再生流路３５ｂを通るエア（再生空気）を加熱するヒータ３７を備えるが、ヒータ３７の熱源に排熱を利用する。
【０４６０】
排熱の発生源としては、例えば、エアコンの室外機３８を利用する。室外機３８に温風の収集器３８ａを取り付け、ダクト３９ａ等を介してヒータ３７に温風を送る。
【０４６１】
ヒータ３７は、例えばコイル状に巻いたパイプの中に室外機３８からの温風を通し、再生流路３５ｂを通る再生空気を加熱する。ヒータ３７を通った温風は、ダクト３９ｂ等を介して排気装置４２で排気される。
【０４６２】
換気装置１Ｓの動作は第７の実施の形態の換気装置１Ｇと同様である。還気ＲＡの一部を再生空気として利用するが、再生空気の加熱に室外機３８の排熱を利用することで、ヒータ３７の駆動源を換気装置１Ｓに備える必要がなく、例えばヒータ３７に電気ヒータを利用する場合と比較して、消費電力を抑えることができる。
【０４６３】
なお、ヒータ３７の熱源としては、室外機の排熱の他、ガスや電気で湯を沸かす給湯器において湯を沸かすための熱による温風や温水を利用しても良い。
【０４６４】
＜各実施の形態の換気装置の要部構成＞
図２６は各実施の形態の換気装置の要部構成の一例を示す斜視図である。例えば、図１０等で説明したように、熱交換ユニット３１と間接気化冷却ユニット４を備えた第４〜第６の実施の形態の換気装置において、熱交換ユニット３１を断熱材５１ａで囲うと共に、間接気化冷却ユニット４を断熱材５１ｂで囲う。
【０４６５】
断熱材５１ａ及び断熱材５１ｂは例えば発泡スチロール等で構成され、流路が開口する形状を有して、熱交換ユニット３１や間接気化冷却ユニット４等を囲う。熱交換ユニット３１や間接気化冷却ユニット４１を断熱材で囲うことで、装置外の温度の影響を受けにくくし、冷却能力を向上させることができる。
【０４６６】
ここで、熱交換ユニット３１と間接気化冷却ユニット４を独立した形態の断熱材を囲うことで、ユニット交換時等のメンテナンス性の向上を図ることができる。また、各ユニットを１つの断熱材で囲う構成でも良い。
【０４６７】
なお、断熱材で囲うユニットとしては、熱交換ユニット３１と間接気化冷却ユニット４の他に、エアが通る流路に配置される空気清浄フィルタ等の空気清浄装置でも良い。空気清浄装置としては、空気清浄フィルタの他、イオン発生器やオゾン発生器等でも良い。
【０４６８】
また、図２６では、熱交換ユニット３１と間接気化冷却ユニット４を備えた第４〜第６の実施の形態の換気装置を例に説明したが、間接気化冷却ユニット４を備えた第１〜第３の実施の形態の換気装置や、除湿ユニット３３と間接気化冷却ユニット４を備えた第７〜第９の実施の形態の換気装置、更には、除湿ユニット３３と熱交換ユニット４と間接気化冷却ユニット４を備えた第１０〜第１２の実施の形態の換気装置であっても、同様に適用可能である。
【０４６９】
図２７は各実施の形態の換気装置の要部構成図である。例えば、図１０で説明した熱交換ユニット３１と間接気化冷却ユニット４を備えた換気装置１Ｄにおいて、熱交換ユニット３１と間接気化冷却ユニット４との間の給気流路９Ｄに拡散板５２を備える。拡散板５２は、給気流路９Ｄを通るエアを攪拌する。
【０４７０】
熱交換ユニット３１や間接気化冷却ユニット４に流れ込むエアは流れが中央に寄り、間接気化エレメント１１等の各流路に対して均一な流れになりにくい。このため、間接気化冷却ユニット４の前等に拡散板５２を備えることでエアを攪拌し、各流路に対して略均一な流れにすることで、冷却能力を向上させることができる。
【０４７１】
なお、拡散板５２は熱交換ユニット３１の前に備えても良い。また、例えば、図７等で説明した除湿ユニット３３と間接気化冷却ユニット４を備えた換気装置１Ｇでは、除湿ユニット３３と間接気化冷却ユニット４の間の給気流路９Ｇに拡散板５２を備えても良く、更には、除湿ユニット３３の前に拡散板５２を備えても良く、他の実施の形態の換気装置に適用可能である。
【０４７２】
図２８は各実施の形態の換気装置の他の要部構成図である。例えば、図１０で説明した熱交換ユニット３１と間接気化冷却ユニット４を備えた換気装置１Ｄにおいて、熱交換ユニット３１と間接気化冷却ユニット４を近接配置して、熱交換ユニット３１を構成する熱交換エレメント３２の第１の流路３２ａの出口と、間接気化冷却ユニット４を構成する間接気化エレメント１１のプロダクトエア流路１１ｂの入口との間の隙間を極力少なくなるようにする。
【０４７３】
熱交換ユニット３１と間接気化冷却ユニット４との間の間隔が広いと、間接気化冷却ユニット４に流れ込むエアは流れが中央に寄り、間接気化エレメント１１の各流路に対して均一な流れになりにくい。このため、熱交換ユニット３１と間接気化冷却ユニット４を近接配置して、各流路に対して略均一な流れにすることで、冷却能力を向上させることができる。
【０４７４】
なお、熱交換ユニット３１と間接気化冷却ユニット４との間の隙間は、５ｃｍ程度あるいはそれ以下が望ましい。また、熱交換エレメント３２の第１の流路３２ａと間接気化エレメント１１のプロダクトエア流路１１ｂが連通するように、熱交換エレメント３２と間接気化エレメント１１を一体に構成しても良い。
【０４７５】
更に、熱交換エレメント３２の第１の流路３２ａの出口と、間接気化エレメント１１のプロダクトエア流路１１ｂの入口の面積を同じにすると、エアの流れが効率良くなる。また、各ユニットの小型化が図れることで、装置の小型化が図れる。
【０４７６】
図２９は各実施の形態の換気装置の要部構成を示す間接気化エレメントの他の構成図である。なお、図２９（ａ）は外観斜視図、図２９（ｂ）は分解斜視図、図２９（ｃ）は断面図である。
【０４７７】
間接気化エレメント１１′は、図２９（ｂ）に示すように、仕切り２１ａで仕切られた複数の第１の流路２１ｂを有するドライセル２１と、仕切り２２ａで仕切られた複数の第２の流路２２ｂを有するウェットセル２２と、ドライセル２１とウェットセル２２を仕切る隔壁２３とを備え、各流路の出入口は異なる面に形成されると共に、第１の流路２１ｂと第２の流路２２ｂの一部が平行となるように構成される。
【０４７８】
隔壁２３は、図２９（ｃ）に示すように、ポリエチレンフィルム等で形成された防湿フィルム２３ａと、パルプ等で形成された湿潤層２３ｂを備え、防湿フィルム２３ａがドライセル２１に面し、湿潤層２３ｂがウェットセル２２に面する。
【０４７９】
これにより、間接気化エレメント１１′において、第２の流路２２ｂが図１等に示すワーキングエア流路１１ａとなり、第２の流路２１ｂがプロダクトエア流路１１ｂとなる。
【０４８０】
間接気化冷却エレメント１１′において、ワーキングエア流路１１ａとプロダクトエア流路１１ｂの一部が平行に配置されていると、ワーキングエア流路１１ａとプロダクトエア流路１１ｂの隔壁２３を介して接している部分が長くなるので、気化熱で冷却されたワーキングエアＷＡの冷熱が、プロダクトエアＰＡに効率的に伝わり、冷却能力を向上させることができる。
【０４８１】
＜換気装置の設置例＞
図３０は本実施の形態の建物の一例を示す構成図で、換気装置１の設置例を示す。図１等で説明した換気装置１は、建物１０１の天井裏等に設置される。建物１０１は複数の居室１０２とトイレ１０３、洗面所１０４ａ、浴室１０４ｂ等を備え、換気装置１の図１等に示す給気吹出口６は、各居室１０２の天井等に設置した給気口１０５にダクト１０６を介して接続される。
【０４８２】
なお、図１等では、給気吹出口６を１個備えた構成であるが、複数の居室１０２に給気ＳＡを供給するためには、ダクト１０６の途中に分岐チャンバー１０６ａを設置し、１本のダクト１０６を複数本のダクト１０６に分岐できるようにすれば良い。
【０４８３】
また、換気装置１に複数の給気吹出口６を備えても良いし、複数の給気吹出口６を備えた換気装置１と分岐チャンバー１０６ａを組み合わせても良い。
【０４８４】
換気装置１の図１等に示す還気吸込口８は、例えばトイレ１０３の天井等に設置した吸込口１０７にダクト１０７ａ等を介して接続される。居室１０５内に給気した空気は、ドアのアンダーカット部、ガラリ部等を通して吸込口１０７に集められ、還気吸込口８から吸い込んだ還気ＲＡは、図１等で説明したようにワーキングエアＷＡ等として利用して排気するので、居室には戻らない。これにより、臭気を排気できる。吸込口１０７は、図１のような換気装置１の本体下面に設けた還気吸込口７でも良く、更に、還気吸込口７を複数設けても良い、また、給気口１０５を設けた居室１０２内にそれぞれ吸込口１０７を設けても良い。
【０４８５】
換気装置１の図１等に示す外気吸込口５は、ベランダ１０８等の壁面に備えた吸込口１０９にダクト１０９ａを介して接続される。また、排気吹出口８は、ベランダ１０８等の壁面に備えた排気口１１０にダクト１１０ａを介して接続される。これにより、換気装置１は外気ＯＡを屋外から取り込むと共に、トイレ１０３等からの還気ＲＡを屋外へ排気ＥＡとして排気できる。
【０４８６】
換気装置１は、図１等に示すように、間接気化冷却ユニット４に給排水装置１２とドレンパン１３を備える。間接気化冷却ユニット４では、上述したように、水の気化熱でワーキングエアＷＡを冷却するため、給排水装置１２により水が供給され、消費されない水はドレンパン１３に貯水される。そして、ドレンパン１３と、ベランダ１０８等に設置したドレン排水口１１１がホース１１１ａで接続され、ドレンパン１３の水を給排水装置１２等で装置外へ排水できるようになっている。
【０４８７】
ここで、図２１で説明した換気装置１Ｎに接続される給気装置４１は、例えば、換気装置１と給気口１０５を接続するダクト１０６に備える。また、図２２で説明した換気装置１Ｐに接続される排気装置４２は、例えば、換気装置１と吸込口１０７を接続するダクト１０７ａに備える。
【０４８８】
図３１は給気口の一例を示す構成図である。給気口１０５は、給気ＳＡを吹き出す給気グリル６１と、給気口１０５が設置された居室１０２において人が居るか否かを検出する人感センサ６２と、給気口１０５が設置された居室１０２の温度を検出する温度センサ６３を備える。
【０４８９】
また、給気口１０５はイオン発生器６４を備えても良い。イオン発生器６４は正イオンと負イオンを発生し、給気ＳＡに供給する。ここで、正イオンと負イオンを略同数発生することで、略同数の正イオンと負イオンを含む給気ＳＡが居室１０２に供給される。これにより、居室１０２におけるカビの発生を抑制できる。また、負イオンのみあるいは正イオンより負イオンを多く発生することで、負イオンが居室１０２に供給される。これにより、居室１０２においてリラックス効果を得ることができる。
【０４９０】
なお、給気口１０５に給気流量を調整するダンパを備え、給気流量の増減があった場合は任意あるいは所定の居室１０２の給気口１０５での給気量を調整することで、建物全体での換気量を確保できるようにしても良い。
【０４９１】
＜給気を分岐する換気装置の構成例＞
図３２は第１９の実施の形態の換気装置１Ｔの一例を示す構成図である。換気装置１Ｔは、給気吹出口６を複数備えると共に、各給気吹出口６で流量を制御できるようにしたものである。なお、換気装置の全体構成としては、第１の実施の形態の換気装置１Ａを例に説明する。
【０４９２】
換気装置１Ｔは、給気吹出口として本例では第１の給気吹出口６ａと第２の給気吹出口６ｂを備える。また、換気装置１Ｔは給気ファン２と排気ファン３と間接気化冷却ユニット４を備え、給気流路９Ａは、給気ファン２から間接気化エレメント１１のプロダクトエア流路１１ｂを通り、第１の給気吹出口６ａ及び第２の給気吹出口６ｂへ連通する。
【０４９３】
換気流路１０Ａは、還気吸込口７から間接気化エレメント１１のワーキングエア流路１１ａ及び排気ファン３を通り、排気吹出口８へ連通する。
【０４９４】
給気流路９Ａは、例えば間接気化冷却ユニット４の上流側に給気流量調整ダンパ１４を備える。また、排気流路１０Ａは、例えば間接気化冷却ユニット４の上流側に排気流量調整ダンパ１５を備える。
【０４９５】
更に、第１の給気吹出口６ａと第２の給気吹出口６ｂの少なくとも一方に給気流量調整ダンパ１９を備える。本例では、第２の給気吹出口６ｂに給気流量調整ダンパ１９を備える。給気流量調整ダンパ１９の開度を調整することで、第２の給気吹出口６ｂを流れる給気ＳＡの流量が調整される。
【０４９６】
次に、換気装置１Ｔの動作について説明する。換気装置１Ｔは、給気ファン２が駆動されると、給気流路９Ａにおいて第１の給気吹出口６ａ及び第２の給気吹出口６ｂへ向かうエアの流れが生成される。これにより、外気ＯＡが外気吸込口５から吸い込まれ、空気清浄フィルタ１６、間接気化エレメント１１のプロダクトエア流路１１ｂを通り、第１の給気吹出口６ａ及び第２の給気吹出口６ｂから給気ＳＡとして室内に供給される。
【０４９７】
また、排気ファン３が駆動されると、排気流路１０Ｂにおいて排気吹出口８へ向かうエアの流れが生成される。これにより、室内からの還気ＲＡが還気吸込口７から吸い込まれ、間接気化エレメント１１のワーキングエア流路１１ａを通り、排気吹出口８から排気ＥＡとして屋外に排出される。
【０４９８】
上述したように、間接気化エレメント１１では、ワーキングエアＷＡが水の気化熱で冷却され、プロダクトエアＰＡはワーキングエアＷＡの冷熱を受けて冷却されるので、プロダクトエア流路１１ｂを通った外気ＯＡは、湿度（絶対湿度）は変化せずに温度は下がる。また、ワーキングエア流路１１ａを通った還気ＲＡは、湿度は上がるが温度は下がる。
【０４９９】
よって、間接気化エレメント１１のプロダクトエア流路１１ｂを通過した外気ＯＡを、第１の給気吹出口６ａ及び第２の給気吹出口６ｂから給気ＳＡとして吹き出すことで、室内の温度を下げることができる。
【０５００】
換気装置１Ｔでは、給気流量調整ダンパ１４の開度によって、間接気化エレメント１１のプロダクトエア流路１１ｂを通るプロダクトエアＰＡの流量が調整される。また、排気流量調整ダンパ１５の開度によって、間接気化エレメント１１のワーキングエア流路１１ａを通るワーキングエアＷＡの流量が調整される。
【０５０１】
これにより、給気流量調整ダンパ１４と排気流量調整ダンパ１５の何れか、あるいは双方を作動させて、第１の給気吹出口６ａ及び第２の給気吹出口６ｂから吹き出す給気ＳＡの温度が制御される。
【０５０２】
更に、換気装置１Ｔでは、給気流量調整ダンパ１９を作動させることで、第１の給気吹出口６ａから吹き出す給気ＳＡの流量と、第２の給気吹出口６ｂから吹き出す給気ＳＡの流量が制御される。
【０５０３】
例えば、給気流量調整ダンパ１９の開度を大きくすることで、第２の給気吹出口６ｂから吹き出す給気ＳＡの流量を増加させることができ、給気流量調整ダンパ１９の開度を小さくすることで、第２の給気吹出口６ｂから吹き出す給気ＳＡの流量を減少させることができる。
【０５０４】
図３０に示すように、換気装置１から複数の居室１０２へ給気する場合、換気装置１から各居室１０２までの距離が均等ではないので、各ダクト１０６の長さが異なる場合が多い。
【０５０５】
給気ＳＡを同一の流量として、長さの異なるダクト１０６で各居室１０２に給気すると、居室１０２では冷却温度が異なる。また、居室１０２の広さの違いによっても冷却温度が異なる。このため、図３２に示すように、複数の給気吹出口６で流量を調整できるようにし、ダクト１０６の長さ等に応じて風量を制御すれば、各居室１０２の冷却温度を略同一にすることができる。
【０５０６】
なお、図３２では給気吹出口は２個の例を説明したが、２個以上でも良い。また、流量の調整はダンパで行うこととしたが、給気吹出口６の径を可変とできる構成でも良い。更に、図３０に示す分岐チャンバー１０６ａに同等の機能を備えても良い。
【０５０７】
また、図３０に示すように、還気ＲＡを１部屋（トイレ）から行う場合、図３２に示すように還気吸込口７は１個であるが、還気ＲＡを複数の部屋（居室）から行う場合、還気吸込口７を複数備えても良い。この場合、少なくとも１個の還気吸込口７に還気流量調整手段を構成するダンパを備えることで、還気ＲＡの流量が調整され、部屋毎の還気流流量を調整し、例えばある部屋からの還気は停止する等の制御を行うことができる。
【０５０８】
換気装置１Ｔでも、還気ＲＡを利用することで、室内のエアを屋外に排気しながら、外気を冷却して取り入れることができ、換気装置１Ｔは換気を行いながら冷房を行う機能を有することになる。
【０５０９】
これにより、還気ＲＡの流量と、給気ＳＡの流量を調整することで、所定時間で部屋の空気を入れ替えるような換気動作が可能で、２４時間換気装置としても利用できる。このため、換気装置１Ｔでは、ワーキングエアＷＡの流量やプロダクトエアＰＡの流量で温度制御を行うため、所望の冷却温度が得られ、かつ、所定の換気量が確保できるように、換気動作と冷却動作を連動させる制御が行われる。
【０５１０】
＜換気装置の制御例＞
図３３は換気装置の制御機能の一例を示すブロック図である。なお、換気装置としては、除湿ユニットを備えている構成を例にする。換気装置１は、制御手段を構成するＣＰＵ７１に、給気ファン２及び排気ファン３を駆動するファンモータ７２と、給気流量調整ダンパ１４や排気流量調整ダンパ１５等のダンパモータ７３と、除湿ユニット３３の除湿ロータ３６を駆動する除湿ロータモータ７４が接続され、ＣＰＵ７１がこれら駆動源を制御することで、給気ＳＡの温度制御等が行われる。
【０５１１】
また、ＣＰＵ７１に、給排水装置１２の給水バルブ１２ａと排水バルブ１２ｂが接続され、間接気化冷却ユニット４における給排水制御が行われる。更に、ＣＰＵ７１に、給気吹出口６等に備えた温度センサ１７と、ドレンパン１３に備えた水位センサ１３ａと、図３０に示す給気口１０５等に備えた人感センサ６２と温度センサ６３が接続され、各種検出情報に基づいて、給気ＳＡの温度制御等が行われる。
【０５１２】
また、ＣＰＵ７１に、設定手段を構成し各種操作等を行う設定スイッチ７５と、指示手段を構成する冷却動作停止スイッチ７６と、設定情報等を記憶するメモリ７７が接続され、各種操作と設定に基づいて、給気ＳＡの温度制御や運転停止の制御等が行われる。
【０５１３】
なお、換気装置１等にイオン発生器が備えられている場合は、ＣＰＵ７１にイオン発生器が接続され、正負イオンの発生が制御される。
【０５１４】
＜温度センサによる制御＞
図３４は温度センサによる冷却制御の一例を示すフローチャートで、図３２等を参照して具体的な制御例を説明する。ここで、メモリ７７には、予め所望の設定温度値が登録されているものとする。また、ファンモータ７２等が駆動され、冷却動作を行っているものとする。
【０５１５】
ステップＳＡ１：ＣＰＵ７１は、温度センサ１７から給気ＳＡの温度を読み込む。または、温度センサ６３から居室１０２の温度を読み込む。
【０５１６】
ステップＳＡ２：ＣＰＵ７１は、メモリ７７から設定温度値を読み込む。
【０５１７】
ステップＳＡ３：ＣＰＵ７１は、例えば温度センサ１７から読み込んだ給気ＳＡの温度と、メモリ７７から読み込んだ設定温度値を比較する。給気ＳＡの温度が設定温度値より低い場合は、ファン回転数やダンパ開度等を変更せずに現状の制御を維持し、ステップＳＡ１に戻る。
【０５１８】
ステップＳＡ４：ステップＳＡ３の比較で、給気ＳＡの温度が設定温度値より高い場合は、ＣＰＵ７１は、給気ＳＡの温度を下げるため、例えば、図１等に示す間接気化冷却ユニット４のワーキングエアＷＡの流量を増加させる。例えば、ＣＰＵ７１は、ダンパモータ７３を制御して給気流量調整ダンパ１４の開度を大きくすることで、ワーキングエアＷＡの流量を増加させる。
【０５１９】
間接気化冷却ユニット４においてワーキングエアＷＡの流量が増加すると、上述したように、プロダクトエアＰＡの温度が下がる。よって、給気ＳＡの温度を下げることができる。
【０５２０】
なお、給気ＳＡの温度制御は、給気流量調整ダンパ１４の開度制御以外に、ファン風量の制御や、除湿ロータ３６の回転速度制御等でも可能である。
【０５２１】
また、ステップＳＡ３で給気ＳＡの温度が設定温度値より低い場合は現状の制御を維持することとしたが、ワーキングエア流量ＷＡの流量を減少させる等により、給気ＳＡの温度を上げる制御を行っても良い。
【０５２２】
更に、メモリ７７に所望の設定温度値で運転を行う日時や期間等の設定日付データを登録しておき、現在の日時がメモリ７７に登録された設定日付データで指定された日時である場合は、上述したように、所望の設定温度が得られるような制御を行っても良い。また、温度制御だけでなく、換気流量の制御を行っても良い。
【０５２３】
ここで、メモリ７７は書き換え可能なメモリであり、設定スイッチ７５の操作で設定温度値の書き換えが可能である。設定スイッチ７５としては、換気装置１に備えたオペレーションパネルや、有線、無線、赤外線等で接続されるリモートコントロール装置等が使用される。
【０５２４】
メモリ７７に登録した設定温度値を書き換えることで、所望の給気温度を得ることができる。なお、メモリ７７に登録される設定温度値は、温度データでも良いし、ファンモータ７２の回転数、ファンモータ７２の駆動電圧、ダンパモータ７３によるダンパ開度、ダンパモータ７３の駆動電圧等でも良い。
【０５２５】
図３５は温度センサによる冷却制御の他の例を示すフローチャートである。ここで、メモリ７７には、予め所望の設定温度値が登録されているものとする。また、ファンモータ７２等が駆動され、冷却動作を行っているものとする。
【０５２６】
ステップＳＢ１：ＣＰＵ７１は、温度センサ１７から給気ＳＡの温度を読み込む。または、温度センサ６３から居室１０２の温度を読み込む。
【０５２７】
ステップＳＢ２：ＣＰＵ７１は、メモリ７７から設定温度値を読み込む。
【０５２８】
ステップＳＢ３：ＣＰＵ７１は、例えば温度センサ１７から読み込んだ給気ＳＡの温度と、メモリ７７から読み込んだ設定温度値を比較する。給気ＳＡの温度が設定温度値より低い場合は、ファン回転数やダンパ開度等を変更せずに現状の制御を維持し、ステップＳＡ１に戻る。
【０５２９】
ステップＳＢ４：ステップＳＢ３の比較で、給気ＳＡの温度が設定温度値より高い場合は、ＣＰＵ７１は、給気ＳＡの温度を下げるため、例えば、図１等に示す給排水装置１２の給水バルブ１２の開度を増加させ、間接気化エレメント１１への給水量を増加させる。
【０５３０】
間接気化冷却ユニット４では、上述したように、間接気化エレメント１１において水の気化熱を利用してワーキングエアＷＡを冷却しているので、間接気化エレメント１１への給水量が増加すると、ワーキングエアＷＡの温度が下がり、ワーキングエアＷＡの冷熱を受けるプロダクトエアＰＡの温度が下がる。よって、給気ＳＡの温度を下げることができる。
【０５３１】
ここで、メモリ７７に登録された設定温度値は書き換え可能である。また、図３４で説明したエアの流量制御と、給水量の制御を組み合わせても良い。
【０５３２】
＜人感センサによる制御＞
図３６は人感センサによる冷却制御の一例を示すフローチャートである。ここで、メモリ７７には、人の有無に応じて切り換えられる所望の設定温度値が登録されているものとする。また、ファンモータ７２等が駆動され、冷却動作を行っているものとする。
【０５３３】
ステップＳＣ１：ＣＰＵ７１は、人感センサ６２から図３０に示す居室１０２における人の有無を読み込む。
【０５３４】
ステップＳＣ２：ＣＰＵ７１は、メモリ７７から第１の設定温度値と第２の設定温度値を読み込む。ここで、第１の設定温度値は人が居る場合の冷却温度、第２の設定温度値は人が居ない場合の冷却温度とする。
【０５３５】
ステップＳＣ３：ＣＰＵ７１は、人感センサ６２の出力から人の有無を判断する。
【０５３６】
ステップＳＣ４：ステップＳＣ３の判断で、居室１０２に人が居る場合は、ＣＰＵ７１は、給気ＳＡの温度を第１の設定温度値とするため、ファンモータ７２によるファン回転数やダンパモータ７３によるダンパ開度、除湿ロータ３６の回転速度等を制御して、例えばワーキングエアＷＡの流量を調整し、給気ＳＡの温度を第１の設定温度値とする。
【０５３７】
ステップＳＣ５：ステップＳＣ３の判断で、居室１０２に人が居ない場合は、ＣＰＵ７１は、給気ＳＡの温度を第２の設定温度値とするため、ファンモータ７２によるファン回転数やダンパモータ７３によるダンパ開度等を制御して、例えばワーキングエアＷＡの流量を調整し、給気ＳＡの温度を第２の設定温度値とする。
【０５３８】
このように、人の有無で冷却温度を変更することで、例えば、人の居ない場合は冷却温度を高めに設定する等により、消費電力等を抑えることができる。
【０５３９】
ここで、メモリ７７に登録した第１の設定温度値と第２の設定温度値は、設定スイッチ７５の操作で書き換えが可能である。これにより、所望の給気温度を得ることができる。
【０５４０】
図３７は人感センサによる換気量制御の一例を示すフローチャートである。ここで、メモリ７７には、人の有無に応じて切り換えられる所望の換気流量値が登録されているものとする。また、ファンモータ７２等が駆動され、冷却動作を行っているものとする。
【０５４１】
ステップＳＤ１：ＣＰＵ７１は、人感センサ６２から図３０に示す居室１０２における人の有無を読み込む。
【０５４２】
ステップＳＤ２：ＣＰＵ７１は、メモリ７７から第１の設定換気流量値と第２の設定換気流量値を読み込む。ここで、第１の設定換気流量値は人が居る場合の換気流量、第２の設定換気流量値は人が居ない場合の換気流量とする。
【０５４３】
ステップＳＤ３：ＣＰＵ７１は、人感センサ６２の出力から人の有無を判断する。
【０５４４】
ステップＳＤ４：ステップＳＤ３の判断で、居室１０２に人が居る場合は、ＣＰＵ７１は、換気流量を第１の設定換気流量値とするため、ファンモータ７２によるファン回転数やダンパモータ７３によるダンパ開度等を制御して、給気ＳＡの吹き出す流量や、還気ＲＡの吸い込む流量を調整し、還気流量を第１の設定還気流量値とする。
【０５４５】
ステップＳＤ５：ステップＳＤ３の判断で、居室１０２に人が居ない場合は、ＣＰＵ７１は、換気流量を第２の設定換気流量値とするため、ファンモータ７２によるファン回転数やダンパモータ７３によるダンパ開度等を制御して、給気ＳＡの吹き出す流量や、還気ＲＡの吸い込む流量を調整し、還気流量を第２の設定還気流量値とする。
【０５４６】
このように、人の有無で換気流量を変更することで、例えば、人の居ない場合は換気流量を少なく設定する等により、消費電力等を抑えることができる。
【０５４７】
ここで、メモリ７７に登録した第１の設定換気流量値と第２の設定換気流量値は、設定スイッチ７５の操作で書き換えが可能である。これにより、所望の換気流量を得ることができる。
【０５４８】
＜起動・停止制御＞
図１等に示す換気装置１は、間接気化冷却ユニット４を利用することで、居室の温度制御を行う空調機として機能すると共に、間接気化冷却ユニット４による冷却機能を停止することで、温度制御を伴わず、居室の換気（外気と還気の入れ替え）を行う換気装置として機能する。
【０５４９】
図３８は手動による起動・停止制御の一例を示すフローチャートで、まず、手動による冷却機能の停止動作について説明する。
【０５５０】
ステップＳＥ１：ＣＰＵ７１は、冷却動作停止スイッチ７６の出力を読み込む。
【０５５１】
ステップＳＥ２：ＣＰＵ７１は、冷却動作停止スイッチ７６の出力から冷却停止が指示されているか否かを判断する。
【０５５２】
ステップＳＥ３：ステップＳＥ２の判断で冷却停止が指示されていると、ＣＰＵ７１は、例えば図１に示す給排水装置１２の給水バルブ１２ａを閉じ、間接気化エレメント１１への給水を停止する。間接気化エレメント１１への給水が停止すると、水の蒸発によるワーキングエアＷＡの冷却が行われなくなり、プロダクトエアＰＡが冷却されない。よって、給気ＳＡは間接気化冷却ユニット４による温度制御は行われない。これにより、冷却機能を停止することができる。
【０５５３】
なお、ＣＰＵ７１は、給水バルブ１２ａを閉じて間接気化エレメント１１への給水を停止すると、排水バルブ１２ｂを開けてドレンパン１３の水を排水するようにしても良い。これにより、冬場等、冷却機能を長期間停止する場合は、ドレンパン１３に水が残っていない状態とすることができる。
【０５５４】
ステップＳＥ４：ステップＳＥ２の判断で冷却機能の起動が指示されていると、ＣＰＵ７１は、例えば図１に示す給排水装置１２の給水バルブ１２ａを開け、間接気化エレメント１１へ給水を行う。間接気化エレメント１１へ給水が行われると、水の蒸発によりワーキングエアＷＡが冷却され、ワーキングエアＷＡの冷熱を受けてプロダクトエアＰＡが冷却される。よって、給気ＳＡは間接気化冷却ユニット４による温度制御は行われ、これにより、冷却機能を起動することができる。
【０５５５】
なお、ＣＰＵ７１は、給水バルブ１２ａを開ける場合は排水バルブ１２ｂを閉じ、ドレンパン１３に貯水できるようにする。
【０５５６】
図３９は自動による起動・停止制御の一例を示すフローチャートで、次に、自動による冷却機能の停止動作について説明する。ここで、メモリ７７には、冷却機能を停止させる日時、期間等の設定日付データが予め登録されている。
【０５５７】
ステップＳＦ１：ＣＰＵ７１は、図示しないカレンダ機能等から現在の日付データを読み込む。
【０５５８】
ステップＳＦ２：ＣＰＵ７１は、メモリ７７から冷却停止期間の設定日付データを読み込む。
【０５５９】
ステップＳＦ３：ＣＰＵ７１は、現在の日付データとメモリ７７から読み込んだ設定日付データを比較する。
【０５６０】
ステップＳＦ４：ステップＳＦ３の比較で、現在の日付が冷却停止期間に入っていると、ＣＰＵ７１は、例えば図１に示す給排水装置１２の給水バルブ１２ａを閉じ、間接気化エレメント１１への給水を停止する。間接気化エレメント１１への給水が停止すると、上述したように冷却機能を停止することができる。
【０５６１】
なお、ＣＰＵ７１は、給水バルブ１２ａを閉じて間接気化エレメント１１への給水を停止すると、排水バルブ１２ｂを開けてドレンパン１３の水を排水するようにしても良い。
【０５６２】
ステップＳＦ５：ステップＳＦ３の比較で、現在の日付が冷却停止期間に入っていないと、ＣＰＵ７１は、例えば図１に示す給排水装置１２の給水バルブ１２ａを開け、間接気化エレメント１１へ給水を行い、冷却機能を起動する。
【０５６３】
なお、ＣＰＵ７１は、給水バルブ１２ａを開ける場合は排水バルブ１２ｂを閉じ、ドレンパン１３に貯水できるようにする。
【０５６４】
ここで、図３９のフローチャートでは、冷却機能の停止と起動を日付に基づいて行うこととしたが、冷却機能を停止する設定温度値をメモリ７７に登録しておき、図示しない外気温度センサで検出される屋外温度と設定温度値を比較して、屋外温度が設定温度値以下になると、冷却機能を停止し、屋外温度が設定温度値を超えると、冷却機能を起動させるようにしても良い。
【０５６５】
ここで、メモリ７７に登録した設定日付データや設定温度値は、設定スイッチ７５の操作で書き換えが可能である。これにより、所望の期間、冷却機能を停止させることができる。
【０５６６】
＜排水制御＞
ドレンパン１３の排水制御は、運転停止に伴う排水制御の他に、水位等に応じた排水制御が行われる。
【０５６７】
図４０はドレンパン１３の一例を示す構成図である。ドレンパン１３は、貯まった水を全て排水できる位置に排水バルブ１２ｂを備える。また、所定量の水が貯まったことを検出する水位センサ１３ａを備える。なお、水位以外に、重量や水量で貯まった水の量を検出しても良い。
【０５６８】
更に、ドレンパン１３は、所定水位以上の水を排出できる位置に排水口１３ｂを備える。排水バルブ１２ｂと排水口１３ｂは図３０に示すドレン排水口１１１に接続され、水は建物外に排水される。なお、ドレンパン１３の排水は下水に接続しても良いし、トイレの洗浄水に利用しても良い。
【０５６９】
図４１は排水制御の一例を示すフローチャートで、水位の変化に応じた排水動作について説明する。
【０５７０】
ステップＳＧ１：ＣＰＵ７１は、水位センサ１３ａの出力を読み込む。
【０５７１】
ステップＳＧ２：ＣＰＵ７１は、水位センサ１３ａの出力からドレンパン１３の水位が所定量を超えているか否かを判断する。
【０５７２】
ステップＳＧ３：ステップＳＧ２の判断でドレンパン１３の水位が所定量Ｐ１を超えていると、ＣＰＵ７１は、給排水装置１２の排水バルブ１２ｂを開けてドレンパン１３の水を排水する。また、排水バルブ１２ｂを開けている間は、給水バルブ１２ａを閉じ、間接気化エレメント１１への給水を停止する。
【０５７３】
ステップＳＧ４：ステップＳＧ２の判断でドレンパン１３の水位が所定量Ｐ１を超えていないと、ＣＰＵ７１は、給排水装置１２の排水バルブ１２ｂを閉じた状態で保持し、排水を行わない。なお、水位センサ１３ａでドレンパンの貯水量が所定量を下回っていることを検出できる構成であれば、給水バルブ１２ａを開けて、間接気化エレメント１１への給水を行う。
【０５７４】
以上の制御で、ドレンパン１３の水位が監視され、水の過不足が起こらないように制御されるが、水位センサ１３ａが故障した場合等、正常な制御が行えなくなる可能性がある。
【０５７５】
本例では、ドレンパン１３に排水口１３ｂを備えて、所定水位Ｐ２以上の水は排水口１３ｂから排出できるようになっている。これにより、水位センサ１３ａが故障した場合等で正常な制御が行えなくなっても、オーバーフローを防ぐことができる。
【０５７６】
＜水の回収構成＞
間接気化冷却ユニット４では、水の気化熱でワーキングエアＷＡを冷却するので、水を消費する。ワーキングエアＷＡは高湿のエアとなるので、ワーキングエアＷＡから水を回収して再利用することで、水の消費量を減らすことができる。
【０５７７】
図４２は水の回収装置を備えた間接気化冷却ユニットの第１の実施の形態を示す構成図である。なお、図４２では間接気化冷却ユニット４Ａの構成を模式的に示している。ここで、図４２の間接気化冷却ユニット４Ａでは、図１等で説明したように、還気ＲＡをワーキングエアＷＡとして利用する形態で説明しているが、図２等で説明したように、外気ＯＡをワーキングエアＷＡとして利用する形態でも良い。
【０５７８】
間接気化冷却ユニット４Ａは、回収装置８１Ａとして、間接気化エレメント１１の上部でワーキングエア流路１１ａの出口側に給排水装置１２を構成する給水配管８２が配置される。給水配管８２は、蛇行して配置されて流路長を長くしている。なお、給水配管８２は例えば先端から間接気化エレメント１１に給水する構成である。
【０５７９】
これにより、間接気化エレメント１１のワーキングエア流路１１ａは給水配管８２を備えた空間を介して排気流路１０と連通し、ワーキングエアＷＡの排出流路中に給水配管８２が配置される。
【０５８０】
上述したように、間接気化エレメント１１では、ワーキングエア流路１１ａを通るワーキングエアＷＡが水の気化熱で冷却され、ワーキングエアＷＡが冷却されると、プロダクトエア流路１１ｂを通るプロダクトエアＰＡがワーキングエアＷＡの冷熱を受けて冷却される。
【０５８１】
これにより、間接気化エレメント１１のワーキングエア流路１１ａを通った還気ＲＡは高湿度のエアとなる。
【０５８２】
高湿度のエアが給水配管８２が設置された空間を通過すると、給水配管８２を流れる供給水の冷熱で冷却され水分が結露する。そして、給水配管８２が間接気化冷却エレメント１１の上部に配置されているので、結露した水分は給水配管８２から間接気化冷却エレメント１１に滴下し、再利用される。
【０５８３】
図４３は水の回収装置を備えた間接気化冷却ユニットの第２の実施の形態を示す構成図である。なお、図４３では間接気化冷却ユニット４Ｂの構成を模式的に示している。ここで、図４３の間接気化冷却ユニット４Ｂでは、図１等で説明したように、還気ＲＡをワーキングエアＷＡとして利用する形態で説明しているが、図２等で説明したように、外気ＯＡをワーキングエアＷＡとして利用する形態でも良い。
【０５８４】
間接気化冷却ユニット４Ｂは、回収装置８１Ｂとして、間接気化冷却ユニット４Ｂの上流で排気流路１０から分岐し、間接気化冷却ユニット４Ｂの下流で排気流路１０と連通した回収排気配管８３を、間接気化冷却ユニット４の上部に接するように備える。なお、ワーキングエアＷＡの排出流路中に回収排気配管８３が配置される構成でも良い。
【０５８５】
上述したように、間接気化エレメント１１では、ワーキングエア流路１１ａを通るワーキングエアＷＡが水の気化熱で冷却されるので、ワーキングエア流路１１ａを通った還気ＲＡは高湿度のエアとなる。
【０５８６】
間接気化ユニット４の上側は、回収排気配管８３を流れる還気ＲＡの冷熱で冷却されているので、間接気化エレメント１１のワーキングエア流路１１ａから吹き出したエアは水分が結露する。そして、結露した水分は間接気化冷却エレメント１１に滴下し、再利用される。
【０５８７】
図４４は水の回収装置を備えた間接気化冷却ユニットの第３の実施の形態を示す構成図である。なお、図４４では間接気化冷却ユニット４Ｃの構成を模式的に示している。ここで、図４４の間接気化冷却ユニット４Ｃでは、図１等で説明したように、還気ＲＡをワーキングエアＷＡとして利用する形態で説明しているが、図２等で説明したように、外気ＯＡをワーキングエアＷＡとして利用する形態でも良い。
【０５８８】
間接気化冷却ユニット４Ｃは、回収装置８１Ｃとして、間接気化エレメント１１においてプロダクトエア流路１１ｂの出口側に配置されるワーキングエア流路１１ａと連通した冷却排気配管８４と、プロダクトエア流路１１ｂの入口側に配置されるワーキングエア流路１１ａと連通した回収排気配管８５を備える。
【０５８９】
冷却排気配管８４と回収排気配管８５は受熱部８６で接する。受熱部８６は、例えば、大径の冷却排気配管８４を、小径の回収排気配管８５が貫通するような構成である。なお、受熱部８６において、冷却排気配管８４と回収排気配管８５の間でのエアの流通は無い。
【０５９０】
また、冷却排気配管８４と回収排気配管８５は、共に図１等に示す排気吹出口８と連通する。
【０５９１】
さて、間接気化エレメント１１においてプロダクトエア流路１１ｂの入口側に配置されるワーキングエア流路１１ａと、出口側に配置されるワーキングエア流路１１ａでは、ワーキングエアＷＡの出口温度及び出口湿度が異なる。すなわち、プロダクトエア流路１１ｂの入口側に配置されるワーキングエア流路１１ａを通ったワーキングエアＷＡは、プロダクトエアＰＡの温度が高いことから相対的に高温高湿となる。これに対して、プロダクトエア流路１１ｂの出口側に配置されるワーキングエア流路１１ａを通ったワーキングエアＷＡは、プロダクトエアＰＡの温度が低いことから低温低湿となる。
【０５９２】
本例では、このワーキングエアＷＡの温度差を利用して、水分を結露させる。すなわち、回収排気配管８５を流れる相対的に高温高湿のワーキングエアＷＡが、受熱部８６において、冷却排気配管８４を流れる冷温低湿のワーキングエアＷＡの冷熱で冷却され水分が結露する。
【０５９３】
回収排気配管８５は間接気化エレメント１１の上側に接続されているので、結露した水分は回収排気配管８５から間接気化冷却エレメント１１に滴下し、再利用される。
【０５９４】
以上の各例のように、間接気化エレメント１１で消費した水を回収装置８１を備えて回収し、間接気化エレメント１１に再度給水できるようにすることで、水の消費量を減らして、ランニングコストを抑えることができる。
【産業上の利用可能性】
【０５９５】
本発明は、一般住宅に設置され、複数の部屋の換気及び空調を行う換気装置に適用される。
【図面の簡単な説明】
【０５９６】
【図１】第１の実施の形態の換気装置１Ａの一例を示す構成図である。
【図２】間接気化エレメント１１の概要を示す説明図である。
【図３】ワーキングエアＷＡの流量とプロダクトエアＰＡの出口温度の関係を示すグラフである。
【図４】プロダクトエアＰＡの流量とプロダクトエアＰＡの出口温度の関係を示すグラフである。
【図５】ワーキングエアＷＡ及びプロダクトエアＰＡの入口温度とプロダクトエアＰＡの出口温度の関係を示すグラフである。
【図６】ワーキングエアＷＡ及びプロダクトエアＰＡの入口温度と水の消費量の関係を示すグラフである。
【図７】ワーキングエアＷＡ及びプロダクトエアＰＡの入口湿度とプロダクトエアＰＡの出口温度の関係を示すグラフである。
【図８】第２の実施の形態の換気装置１Ｂの一例を示す構成図である。
【図９】第３の実施の形態の換気装置１Ｃの一例を示す構成図である。
【図１０】第４の実施の形態の換気装置１Ｄの一例を示す構成図である。
【図１１】第５の実施の形態の換気装置１Ｅの一例を示す構成図である。
【図１２】第６の実施の形態の換気装置１Ｆの一例を示す構成図である。
【図１３】第７の実施の形態の換気装置１Ｇの一例を示す構成図である。
【図１４】第８の実施の形態の換気装置１Ｈの一例を示す構成図である。
【図１５】第９の実施の形態の換気装置１Ｉの一例を示す構成図である。
【図１６】第１０の実施の形態の換気装置１Ｊの一例を示す構成図である。
【図１７】第１１の実施の形態の換気装置１Ｋの一例を示す構成図である。
【図１８】第１２の実施の形態の換気装置１Ｌの一例を示す構成図である。
【図１９】除湿ロータ３６の回転速度とプロダクトエアＰＡの出口温度の関係を示すグラフである。
【図２０】第１３の実施の形態の換気装置１Ｍの一例を示す構成図である。
【図２１】第１４の実施の形態の換気装置１Ｎの一例を示す構成図である。
【図２２】第１５の実施の形態の換気装置１Ｐの一例を示す構成図である。
【図２３】第１６の実施の形態の換気装置１Ｑの一例を示す構成図である。
【図２４】第１７の実施の形態の換気装置１Ｒの一例を示す構成図である。
【図２５】第１８の実施の形態の換気装置１Ｓの一例を示す構成図である。
【図２６】各実施の形態の換気装置の要部構成の一例を示す斜視図である。
【図２７】各実施の形態の換気装置の要部構成図である。
【図２８】各実施の形態の換気装置の他の要部構成図である。
【図２９】各実施の形態の換気装置の要部構成を示す他の間接気化エレメントの構成図である。
【図３０】本実施の形態の建物の一例を示す構成図である。
【図３１】給気口の一例を示す構成図である。
【図３２】第１９の実施の形態の換気装置１Ｔの一例を示す構成図である。
【図３３】換気装置の制御機能の一例を示すブロック図である。
【図３４】温度センサによる冷却制御の一例を示すフローチャートである。
【図３５】温度センサによる冷却制御の他の例を示すフローチャートである。
【図３６】人感センサによる冷却制御の一例を示すフローチャートである。
【図３７】人感センサによる換気量制御の一例を示すフローチャートである。
【図３８】手動による起動・停止制御の一例を示すフローチャートである。
【図３９】自動による起動・停止制御の一例を示すフローチャートである。
【図４０】ドレンパン１３の一例を示す構成図である。
【図４１】排水制御の一例を示すフローチャートである。
【図４２】水の回収装置を備えた間接気化冷却ユニットの第１の実施の形態を示す構成図である。
【図４３】水の回収装置を備えた間接気化冷却ユニットの第２の実施の形態を示す構成図である。
【図４４】水の回収装置を備えた間接気化冷却ユニットの第３の実施の形態を示す構成図である。
【符号の説明】
【０５９７】
１・・・換気装置、２・・・給気ファン、３・・・排気ファン、４・・・間接気化冷却ユニット、５・・・外気吸込口、６・・・給気吹出口、７・・・還気吸込口、８・・・・排気吹出口、９・・・給気流路、１０・・・排気流路、１１・・・間接気化エレメント、１１ａ・・・ワーキングエア流路、１１ｂ・・・プロダクトエア流路、１２・・・給排水装置、１２ａ・・・給水バルブ、１２ｂ・・・排水バルブ、１３・・・ドレンパン、１４・・・給気流量調整ダンパ、１５・・・排気流量調整ダンパ、１６・・・空気清浄フィルタ、１７・・・温度センサ、１８・・・給気流量調整ダンパ、１９・・・給気流量調整ダンパ、２１・・・ドライセル、２１ａ・・・仕切り、２１ｂ・・・第１の流路、２２・・・ウェットセル、２２ａ・・・仕切り、２２ｂ・・・第２の流路、２３・・・隔壁、２３ａ・・・防湿フィルム、２３ｂ・・・湿潤層、２３ｃ・・・通気口、２４・・・閉塞部、３１・・・熱交換ユニット、３２・・・熱交換エレメント、３２ａ・・・第１の流路、３２ｂ・・・第２の流路、３３・・・除湿ユニット、３４・・・隔壁、３５ａ・・・除湿流路、３５ｂ・・・再生流路、３６・・・除湿ロータ、３７・・・ヒータ
【図１】
2006105424.tif 000005
【図２】
2006105424.tif 000006
【図３】
2006105424.tif 000007
【図４】
2006105424.tif 000008
【図５】
2006105424.tif 000009
【図６】
2006105424.tif 000010
【図７】
2006105424.tif 000011
【図８】
2006105424.tif 000012
【図９】
2006105424.tif 000013
【図１０】
2006105424.tif 000014
【図１１】
2006105424.tif 000015
【図１２】
2006105424.tif 000016
【図１３】
2006105424.tif 000017
【図１４】
2006105424.tif 000018
【図１５】
2006105424.tif 000019
【図１６】
2006105424.tif 000020
【図１７】
2006105424.tif 000021
【図１８】
2006105424.tif 000022
【図１９】
2006105424.tif 000023
【図２０】
2006105424.tif 000024
【図２１】
2006105424.tif 000025
【図２２】
2006105424.tif 000026
【図２３】
2006105424.tif 000027
【図２４】
2006105424.tif 000028
【図２５】
2006105424.tif 000029
【図２６】
2006105424.tif 000030
【図２７】
2006105424.tif 000031
【図２８】
2006105424.tif 000032
【図２９】
2006105424.tif 000033
【図３０】
2006105424.tif 000034
【図３１】
2006105424.tif 000035
【図３２】
2006105424.tif 000036
【図３３】
2006105424.tif 000037
【図３４】
2006105424.tif 000038
【図３５】
2006105424.tif 000039
【図３６】
2006105424.tif 000040
【図３７】
2006105424.tif 000041
【図３８】
2006105424.tif 000042
【図３９】
2006105424.tif 000043
【図４０】
2006105424.tif 000044
【図４１】
2006105424.tif 000045
【図４２】
2006105424.tif 000046
【図４３】
2006105424.tif 000047
【図４４】
2006105424.tif 000048